(57)【要約】本出願のいくつかの実施形態は、ページを表示するための方法および装置、グラフィカルユーザインターフェース、ならびにモバイル端末を提供する。この方法は、初めに、ユーザの動作活動を検出するステップと、動作活動が検出されることに応答して、ページを表示装置上に第１の方向に移動可能に表示するステップであって、ページが１つまたは複数のグラフを含み、１つまたは複数のグラフが初期形式で表示される、移動可能に表示するステップと、ページが第１の方向に移動され、動作活動が依然として検出されるときにページ境界に達することに応答して、複数のグラフのうち、境界に隣接している少なくとも１つのグラフの変更形式を表示するステップであって、グラフの変更形式が初期形式とは異なる、表示するステップとを含む。この方法が使用され、先行技術の欠点、およびユーザが対話のためにモバイル端末を使用するときに生じる不都合の問題を除去する。
2019537118.tif 000002
【特許請求の範囲】
【請求項１】
表示装置を備えたモバイル端末上にページを表示するための方法であって、
ユーザの動作活動を検出するステップと、
前記動作活動が検出されることに応答して、ページを前記表示装置上に第１の方向に移動可能に表示するステップであって、前記ページが１つまたは複数のグラフを含み、前記１つまたは複数のグラフが、前記表示装置上に前記グラフの初期形式で表示される、移動可能に表示するステップと、
前記ページが前記第１の方向に移動され、前記動作活動が依然として検出されるときにページ境界に達することに応答して、第１のグラフの変更形式を表示するステップであって、前記第１のグラフが、前記表示装置上に表示された前記１つまたは複数のグラフ内にあり前記ページ境界に隣接しているグラフであり、前記第１のグラフの前記変更形式が前記第１のグラフの初期形式とは異なる、表示するステップと
を含む方法。
【請求項２】
前記第１のグラフの変更形式を前記表示するステップが、
前記動作活動が継続的に実施されていることを検出することに応答して、前記第１のグラフのものであり、動的に変化する変更形式を表示するステップであって、プリセット範囲内の前記動作活動のより大きな活動範囲が、前記第１のグラフの前記初期形式から前記第１のグラフの前記変更形式へのより大きな形式変更をもたらす、表示するステップと、
前記動作活動の前記活動範囲が前記プリセット範囲を超えることを検出することに応答して、前記第１のグラフの静的変更形式を表示するステップと
を含む請求項１に記載の方法。
【請求項３】
前記第１のグラフの変更形式を前記表示するステップが、
前記動作活動が継続的に実施されていることを検出することに応答して、前記第１のグラフのものであり、動的に変化する変更形式を表示するステップであって、前記動作活動のより大きな活動範囲が、前記第１のグラフの前記初期形式から前記第１のグラフの前記変更形式へのより大きな形式変更をもたらす、表示するステップ
を含む請求項１に記載の方法。
【請求項４】
前記第１のグラフの変更形式を前記表示するステップの後で、
前記動作活動がもはや検出されないことに応答して、前記第１のグラフの前記初期形式を表示するステップ
をさらに含む請求項１乃至３のいずれか一項に記載の方法。
【請求項５】
前記第１のグラフの前記変更形式を前記表示するステップが、
前記第１のグラフの前記初期形式が表示されるまで、前記第１のグラフの前記変更形式から前記第１のグラフの前記初期形式に前記第１のグラフを漸進的に復元することのトゥイーン動画を表示するステップ
をさらに含む請求項４に記載の方法。
【請求項６】
前記ページが前記第１の方向に移動され、前記動作活動が依然として検出されるときにページ境界に達することに応答して、前記ページを継続的に移動させ、前記ページ境界を超えるエリアを表示するステップであって、前記エリアが前記ページとは異なる、表示するステップと、
前記動作入力がもはや検出されないことに応答して、前記エリアがもはや表示されなくなるまで、前記ページを前記第１の方向とは反対の第２の方向に移動させるステップと
をさらに含む請求項１乃至５のいずれか一項に記載の方法。
【請求項７】
前記グラフが、
文字、項目リスト、デジタル画像、またはアイコン
である請求項１乃至６のいずれか一項に記載の方法。
【請求項８】
前記グラフの変更形式が、前記初期形式に関して、
形状変更、サイズ変更、透過性変更、または色変更
のうちのいずれか１つまたはいずれかの組合せが実施された後で取得される形式を含む請求項１乃至７のいずれか一項に記載の方法。
【請求項９】
前記モバイル端末がタッチ表示を有し、ユーザの動作活動を前記検出するステップが、
前記タッチ表示上で前記ユーザによって実施されたタッチ活動を検出するステップ
を含む請求項１乃至８のいずれか一項に記載の方法。
【請求項１０】
ユーザの動作活動を前記検出するステップが、
前記ユーザの音声命令を検出するステップ、
前記ユーザのジェスチャ活動を検出するステップ、または
前記ユーザの身体活動を検出するステップ
のうちの少なくとも１つを含む請求項１乃至８のいずれか一項に記載の方法。
【請求項１１】
前記ページが前記第１の方向に移動されたときに前記ページ境界に達し、前記動作活動が依然として検出されることに応答して、警告音を再生するステップ
をさらに含む請求項１乃至１０のいずれか一項に記載の方法。
【請求項１２】
前記第１の方向が、
前記表示装置上の水平方向、垂直方向、または斜め方向
である請求項１乃至１１のいずれか一項に記載の方法。
【請求項１３】
表示装置を備えたモバイル端末上にページを表示するための方法であって、
ユーザの動作活動を検出するステップと、
前記動作活動が検出されることに応答して、ページを前記表示装置上に第１の方向に移動可能に表示するステップであって、前記ページが１つまたは複数のグラフを含み、前記１つまたは複数のグラフが、前記表示装置上に前記グラフの初期形式で表示される、移動可能に表示するステップと、
前記ページが前記第１の方向に移動され、前記動作活動が依然として検出されるときにページ境界に達することに応答して、第１のグラフの変更形式および第２のグラフの変更形式を表示するステップであって、前記第１のグラフおよび前記第２のグラフが、前記表示装置上に表示された前記１つまたは複数のグラフ内にあり前記ページ境界に隣接しているグラフであり、前記第１のグラフの前記変更形式が前記第１のグラフの初期形式とは異なり、前記第２のグラフの前記変更形式が前記第２のグラフの初期形式とは異なる、表示するステップと
を含む方法。
【請求項１４】
前記第１のグラフと前記ページ境界との間の距離が前記第２のグラフと前記ページ境界との間の距離未満であり、前記第１のグラフの変更形式および第２のグラフの変更形式を前記表示するステップが、
前記第１のグラフの前記変更形式および前記第２のグラフの前記変更形式を表示するステップであって、前記第２のグラフの前記表示された変更形式と前記第２のグラフの前記初期形式との間の差が、前記第１のグラフの前記表示された変更形式と前記第１のグラフの前記初期形式との間の差よりも大きい、表示するステップ
を含む請求項１３に記載の方法。
【請求項１５】
表示装置を備えたモバイル端末上で実装される方法であって、
ユーザの動作活動を検出するステップと、
前記動作活動が検出されることに応答して、ページを前記表示装置上に第１の方向に移動可能に表示するステップであって、前記ページが１つまたは複数のグラフを含み、前記１つまたは複数のグラフが、前記表示装置上に前記グラフの初期形式で表示される、移動可能に表示するステップと、
前記動作活動がもはや検出されないことに応答して、前記ページをダンピング移動に続いて宣言様式で前記第１の方向に継続的に移動させるステップと、
前記ページの移動速度がゼロに低減されておらず、前記ページが前記第１の方向に移動されたときにページ境界に達したことを検出したことに応答して、第１のグラフの変更形式を表示するステップであって、前記第１のグラフが、前記表示装置上に表示された前記１つまたは複数のグラフ内にあり前記ページ境界に隣接しているグラフであり、前記第１のグラフの前記変更形式が前記第１のグラフの初期形式とは異なる、表示するステップと
を含む方法。
【請求項１６】
前記ページが前記第１の方向に移動されたときに前記ページ境界に達したことを検出することに応答して、前記ページを宣言様式で継続的に移動させ、前記ページ境界を超えるエリアを表示するステップであって、前記エリアが前記ページとは異なる、表示するステップと、
前記ページの前記移動速度がゼロに低減されたことを検出することに応答して、前記エリアがもはや表示されなくなるまで、前記ページを前記第１の方向とは反対の第２の方向に移動させるステップと、
前記エリアがもはや表示されないとき、前記第１のグラフの前記初期形式を表示するステップと
をさらに含む請求項１５に記載の方法。
【請求項１７】
モバイル端末であって、
表示装置と、
１つまたは複数のプロセッサと、
メモリと
を含み、
前記メモリが、コンピュータプログラムを記憶するように構成され、
前記プロセッサが、前記コンピュータプログラムを走らせて、
ユーザの動作活動を検出することと、
前記動作活動が検出されることに応答して、ページを前記表示装置上に第１の方向に移動可能に表示することであって、前記ページが１つまたは複数のグラフを含み、前記１つまたは複数のグラフが初期形式で表示される、移動可能に表示することと、
前記ページが前記第１の方向に移動されたときにページ境界に達したという事実、および前記動作活動が依然として検出されることに応答して、前記複数のグラフのうち、前記境界に隣接している少なくとも１つのグラフの変更形式を表示することであって、前記グラフの前記変更形式が前記初期形式とは異なる、表示することと
を実施するように構成されるモバイル端末。
【請求項１８】
前記第１のグラフの変更形式を前記表示するステップが、
前記動作活動が継続的に実施されていることを検出することに応答して、前記第１のグラフのものであり、動的に変化する変更形式を表示することであって、プリセット範囲内の前記動作活動のより大きな活動範囲が、前記第１のグラフの前記初期形式から前記第１のグラフの前記変更形式へのより大きな形式変更をもたらす、表示することと、
前記動作活動の前記活動範囲が前記プリセット範囲を超えることを検出することに応答して、前記第１のグラフの静的変更形式を表示することと
を含む請求項１７に記載のモバイル端末。
【請求項１９】
前記第１のグラフの変更形式を前記表示するステップが、
前記動作活動が継続的に実施されていることを検出することに応答して、前記第１のグラフのものであり、動的に変化する変更形式を表示することであって、前記動作活動のより大きな活動範囲が、前記第１のグラフの前記初期形式から前記第１のグラフの前記変更形式へのより大きな形式変更をもたらす、表示すること
を含む請求項１７に記載のモバイル端末。
【請求項２０】
前記第１のグラフの変更形式を前記表示するステップの後で、前記プロセッサが、
前記動作活動がもはや検出されないことに応答して、前記第１のグラフの前記初期形式を表示すること
をさらに含む請求項１７乃至１９のいずれか一項に記載のモバイル端末。
【請求項２１】
前記第１のグラフの前記変更形式を前記表示するステップが、
前記第１のグラフの前記初期形式が表示されるまで、前記第１のグラフの前記変更形式から前記第１のグラフの前記初期形式に前記第１のグラフを漸進的に復元するトゥイーン動画を表示すること
をさらに含む請求項２０に記載のモバイル端末。
【請求項２２】
前記プロセッサが、
前記ページが前記第１の方向に移動され、前記動作活動が依然として検出されるときにページ境界に達することに応答して、前記ページを継続的に移動させ、前記ページ境界を超えるエリアを表示することであって、前記エリアが前記ページとは異なる、表示することと、
前記動作入力がもはや検出されなくなった後で、前記エリアがもはや表示されなくなるまで、前記ページを前記第１の方向とは反対の第２の方向に移動させることと
をさらに実施する請求項１７乃至２１のいずれか一項に記載のモバイル端末。
【請求項２３】
モバイル端末であって、
表示装置と、
１つまたは複数のプロセッサと、
メモリと
を含み、
前記メモリが、コンピュータプログラムを記憶するように構成され、
前記プロセッサが、前記コンピュータプログラムを走らせて、
ユーザの動作活動を検出することと、
前記動作活動が検出されることに応答して、ページを前記表示装置上に第１の方向に移動可能に表示することであって、前記ページが１つまたは複数のグラフを含み、前記１つまたは複数のグラフが、前記表示装置上に前記グラフの初期形式で表示される、移動可能に表示することと、
前記ページが前記第１の方向に移動され、前記動作活動が依然として検出されるときにページ境界に達することに応答して、第１のグラフの変更形式および第２のグラフの変更形式を表示することであって、前記第１のグラフおよび前記第２のグラフが、前記表示装置上に表示された前記１つまたは複数のグラフ内にあり前記ページ境界に隣接しているグラフであり、前記第１のグラフの前記変更形式が前記第１のグラフの初期形式とは異なり、前記第２のグラフの前記変更形式が前記第２のグラフの初期形式とは異なる、表示することと
を実施するように構成されるモバイル端末。
【請求項２４】
前記第１のグラフと前記ページ境界との間の距離が前記第２のグラフと前記ページ境界との間の距離未満であり、前記第１のグラフの変更形式および第２のグラフの変更形式を前記表示するステップが、
前記第１のグラフの前記変更形式および前記第２のグラフの前記変更形式を表示することであって、前記第２のグラフの前記表示された変更形式と前記第２のグラフの前記初期形式との間の差が、前記第１のグラフの前記表示された変更形式と前記第１のグラフの前記初期形式との間の差よりも大きい、表示すること
を含む請求項２３に記載の端末装置。
【請求項２５】
端末装置であって、
表示装置と、
１つまたは複数のプロセッサと、
メモリと
を含み、
前記メモリが、コンピュータプログラムを記憶するように構成され、
前記プロセッサが、前記コンピュータプログラムを走らせて、
ユーザの動作活動を検出することと、
前記動作活動が検出されることに応答して、ページを前記表示装置上に第１の方向に移動可能に表示することであって、前記ページが１つまたは複数のグラフを含み、前記１つまたは複数のグラフが、前記表示装置上に前記グラフの初期形式で表示される、移動可能に表示することと、
前記動作活動がもはや検出されないことに応答して、前記ページをダンピング移動に続いて宣言様式で前記第１の方向に継続的に移動させることと、
前記ページの移動速度がゼロに低減されておらず、前記ページが前記第１の方向に移動されたときにページ境界に達したことを検出したことに応答して、第１のグラフの変更形式を表示することであって、前記第１のグラフが、前記表示装置上に表示された前記１つまたは複数のグラフ内にあり前記ページ境界に隣接しているグラフであり、前記第１のグラフの前記変更形式が前記第１のグラフの初期形式とは異なる、表示することと
を実施するように構成される端末装置。
【請求項２６】
前記モバイル装置が、
前記ページが前記第１の方向に移動されたときに前記ページ境界に達したことを検出することに応答して、前記ページを宣言様式で継続的に移動させ、前記ページ境界を超えるエリアを表示することであって、前記エリアが前記ページとは異なる、表示することと、
前記ページの前記移動速度がゼロに低減されたことを検出することに応答して、前記エリアがもはや表示されなくなるまで、前記ページを前記第１の方向とは反対の第２の方向に移動させることと、
前記エリアがもはや表示されないとき、前記第１のグラフの前記初期形式を表示することと
をさらに実施する請求項２５に記載のモバイル装置。
【請求項２７】
表示装置を備えたモバイル端末上にページを表示するための装置であって、
ユーザの動作活動を検出するように構成された、検出モジュールと、
前記動作活動が検出されることに応答して、ページを前記表示装置上に第１の方向に移動可能に表示することであって、前記ページが１つまたは複数のグラフを含み、前記１つまたは複数のグラフが、前記表示装置上に前記グラフの初期形式で表示される、移動可能に表示することを行うように構成された、移動表示モジュールと、
前記ページが前記第１の方向に移動され、前記動作活動が依然として検出されるときにページ境界に達することに応答して、第１のグラフの変更形式を表示することであって、前記第１のグラフが、前記表示装置上に表示された前記１つまたは複数のグラフ内にあり前記ページ境界に隣接しているグラフであり、前記第１のグラフの前記変更形式が前記第１のグラフの初期形式とは異なる、表示することを行うように構成された、モーフィング表示モジュールと
を含む装置。
【請求項２８】
前記モーフィング表示モジュールが、
前記動作活動が継続的に実施されていることを検出することに応答して、前記第１のグラフのものであり、動的に変化する変更形式を表示することであって、プリセット範囲内の前記動作活動のより大きな活動範囲が、前記第１のグラフの前記初期形式から前記第１のグラフの前記変更形式へのより大きな形式変更をもたらす、表示することと、前記動作活動の前記活動範囲が前記プリセット範囲を超えることを検出することに応答して、前記第１のグラフの静的変更形式を表示することとを行うように構成された、第１の表示サブユニット
を含む請求項２７に記載の装置。
【請求項２９】
前記モーフィング表示モジュールが、
前記動作活動が継続的に実施されていることを検出することに応答して、前記第１のグラフのものであり、動的に変化する変更形式を表示することであって、前記動作活動のより大きな活動範囲が、前記第１のグラフの前記初期形式から前記第１のグラフの前記変更形式へのより大きな形式変更をもたらす、表示することを行うように構成された、第２の表示サブユニット
を含む請求項２７に記載の装置。
【請求項３０】
前記第１のグラフの前記変更形式が表示された後で、前記動作活動がもはや検出されないことに応答して、前記第１のグラフの前記初期形式を表示するように構成された復元表示モジュール
をさらに含む、請求項２７乃至２９のいずれか一項に記載の装置。
【請求項３１】
前記復元表示モジュールが、
前記第１のグラフの前記初期形式が表示されるまで、前記第１のグラフの前記変更形式から前記第１のグラフの前記初期形式に前記第１のグラフを漸進的に復元することのトゥイーン動画を表示するように構成された、復元表示サブユニット
を含む請求項３０に記載の装置。
【請求項３２】
前記ページが前記第１の方向に移動され、前記動作活動が依然として検出されるときにページ境界に達することに応答して、前記ページを継続的に移動させ、前記ページ境界を超えるエリアを表示することあって、前記エリアが前記ページとは異なる、表示することと、前記動作入力がもはや検出されないことに応答して、前記エリアがもはや表示されなくなるまで、前記ページを前記第１の方向とは反対の第２の方向に移動させることとを行うように構成された、エリア表示モジュール
をさらに含む請求項２７乃至３１のいずれか一項に記載の装置。
【請求項３３】
表示装置を備えたモバイル端末上にページを表示するための装置であって、
ユーザの動作活動を検出するように構成された、検出モジュールと、
前記動作活動が検出されることに応答して、ページを前記表示装置上に第１の方向に移動可能に表示することであって、前記ページが１つまたは複数のグラフを含み、前記１つまたは複数のグラフが、前記表示装置上に前記グラフの初期形式で表示される、移動可能に表示することを行うように構成された、移動表示モジュールと、
前記ページが前記第１の方向に移動され、前記動作活動が依然として検出されるときにページ境界に達することに応答して、第１のグラフの変更形式および第２のグラフの変更形式を表示することであって、前記第１のグラフおよび前記第２のグラフが、前記表示装置上に表示された前記１つまたは複数のグラフ内にあり前記ページ境界に隣接しているグラフであり、前記第１のグラフの前記変更形式が前記第１のグラフの初期形式とは異なり、前記第２のグラフの前記変更形式が前記第２のグラフの初期形式とは異なる、表示することとを行うように構成された、モーフィング表示モジュールと
を含む装置。
【請求項３４】
前記モーフィング表示装置が、
前記第１のグラフの前記変更形式および前記第２のグラフの前記変更形式を表示することであって、前記第２のグラフの前記表示された変更形式と前記第２のグラフの前記初期形式との間の差が、前記第１のグラフの前記表示された変更形式と前記第１のグラフの前記初期形式との間の差よりも大きい、表示すること
を行うように構成される請求項３３に記載の装置。
【請求項３５】
表示装置を備えたモバイル端末上にページを表示するための装置であって、
ユーザの動作活動を検出するように構成された、検出モジュールと、
前記動作活動が検出されることに応答して、ページを前記表示装置上に第１の方向に移動可能に表示することであって、前記ページが１つまたは複数のグラフを含み、前記１つまたは複数のグラフが、前記表示装置上に前記グラフの初期形式で表示される、移動可能に表示することと、前記動作活動がもはや検出されないことに応答して、前記ページをダンピング移動に続いて宣言様式で前記第１の方向に継続的に移動させることとを行うように構成された、移動表示モジュールと、
前記ページの移動速度がゼロに低減されておらず、前記ページが前記第１の方向に移動されたときにページ境界に達したことを検出したことに応答して、第１のグラフの変更形式を表示することであって、前記第１のグラフが、前記表示装置上に表示された前記１つまたは複数のグラフ内にあり前記ページ境界に隣接しているグラフであり、前記第１のグラフの前記変更形式が前記第１のグラフの初期形式とは異なる、表示することとを行うように構成された、モーフィング表示モジュールと
を含む装置。
【請求項３６】
前記ページが前記第１の方向に移動されたときに前記ページ境界に達したことを検出することに応答して、前記ページを宣言様式で継続的に移動させ、前記ページ境界を超えるエリアを表示することであって、前記エリアが前記ページとは異なる、表示することを行うように構成された、エリア表示モジュールと、
前記ページの前記移動速度がゼロに低減されたことを検出することに応答して、前記エリアがもはや表示されなくなるまで、前記ページを前記第１の方向とは反対の第２の方向に移動させるように構成された、リザイリング表示モジュールと、
前記エリアがもはや表示されないとき、前記第１のグラフの前記初期形式を表示するように構成された、復元表示モジュールと
をさらに含む請求項３５に記載の装置。
【請求項３７】
表示装置を備えたモバイル端末上のグラフィカルユーザインターフェースであって、
前記表示装置上に表示されたページの一部分を含み、前記ページが１つまたは複数のグラフを含み、
ユーザの動作活動が検出されるという事実に応答して、前記ページが第１の方向に移動され、前記１つまたは複数のグラフが初期形式で表示され、
前記ページが前記第１の方向に移動され、前記動作活動が依然として検出されるときにページ境界に達することに応答して、第１のグラフの変更形式が表示され、前記第１のグラフが、前記表示装置上に表示された前記１つまたは複数のグラフ内にあり前記ページ境界に隣接しているグラフであり、前記第１のグラフの前記変更形式が前記第１のグラフの初期形式とは異なる
グラフィカルユーザインターフェース。
【発明の詳細な説明】
【技術分野】
【０００１】
本発明は、電子技術の分野に関し、詳細には、ページを表示するための方法および装置、グラフィカルユーザインターフェース、およびモバイル端末に関する。
【背景技術】
【０００２】
継続的な発展により、モバイル端末は増大する量のコンピュータ機能を実装することができる。モバイル端末を使用することによって、人々は、互いと通信することだけではなく、娯楽活動、寿命管理、モバイルオフィスソリューションなどを実装することもできる。完全に機能的で、より携帯し易く、容易に使用できるインテリジェントデバイスとして、モバイル端末は、漸進的にデスクトップコンピュータまたはラップトップに取って代わり、人々によって日々使用されるメインストリーム電子デバイスになった。
【０００３】
モバイル端末の携帯性を満たすために、モバイル端末の表示サイズは、通常、デスクトップコンピュータまたはラップトップの表示サイズよりも小さいことが必要とされる。加えて、モバイル端末によって実行される機能の量および機能のコンテンツは、継続的に増大する。したがって、多くの場合、モバイル端末は、ページ全体の一部分のみを現在の表示インターフェース内に表示することができ、ユーザは、通常、モバイル端末にスクローリング様式または平行移動様式で残りのコンテンツを表示させるための移動動作を実施する必要がある。
【０００４】
たとえば、ユーザがモバイル端末上でページをスライドする動作を実施するとき、ユーザは、通常、上部境界、下部境界、左境界、または右境界を含めて、ページの境界までページをスライドし続ける。しかしながら、ページがページの境界にスライドするとき、視覚的なフィードバックプロンプトがモバイル端末上に示されない場合、ユーザは、動作について誤解することがある。たとえば、ユーザは、ユーザによって入力された動作が影響を及ぼすかどうかを知らず、したがって、ユーザは、無効動作を継続的に繰り返し、それによって、動作効率に影響を及ぼし、次いで、使用経験に影響を及ぼす。
【発明の概要】
【０００５】
本出願のいくつかの実施形態により提供される、表示装置を備えたモバイル端末上にページを表示するための方法および装置が使用され、先行技術の欠点、およびユーザが対話のためにモバイル端末を使用するときに生じる不都合の問題を除去する。
【０００６】
一態様によれば、本出願のいくつかの実施形態により、表示装置を備えたモバイル端末上にページを表示するための方法が提供される。モバイル端末は、ユーザの動作活動を検出し、ユーザの動作活動に従って表示装置上にページを移動可能に表示し、動作活動に従って、ページがページ境界に達するまで移動されたことが検出され、動作活動が依然として検出されるとき、モバイル端末は、第１のグラフの形式を変更し、そのページ内にあり、ページ境界に隣接している、第１のグラフの変更された形式を表示し、変更形式は、モーフィングされていない第１のグラフの初期形式とは異なって見える。
【０００７】
前述の説明を参照すると、いくつかの実施形式では、この方法は、初めに、モバイル端末によって、表示装置上にページを表示するステップと、モバイル装置によって、ページを表示する処理におけるユーザの動作活動を検出するステップと、動作活動が検出されるとき、動作活動に応答して、ページを第１の方向に移動可能に表示するステップであって、ページが１つまたは複数のグラフを含み、１つまたは複数のグラフが表示装置上にグラフの初期形態で表示され、すなわち、ページが表示装置上に移動され、ページのエリアが表示されるとき、ページのエリア内のグラフが表示され、これらのグラフが表示装置上にグラフの初期形態で表示される、移動可能に表示するステップと、次いで、モバイル装置によって、ページが移動されたときにページ境界に達したかどうかを検出するステップと、ページが第１の方向に移動されたときにページ境界が検出され、動作活動が依然として検出されるとき、表示装置上に第１のグラフの変更形式を表示するステップであって、第１のグラフが、表示装置上に表示された１つまたは複数のグラフ内にありページ境界に隣接しているグラフであり、第１のグラフの変更形式が第１のグラフの初期形式とは異なる、表示するステップとを含む。
【０００８】
ページ内のグラフは文字、項目リスト、デジタル画像、またはアイコンであり、１つのページは、１つまたは複数のタイプのグラフを含み得ることに留意されたい。
【０００９】
グラフの形状変更またはサイズ変更は、グラフの形状およびサイズの変更であり、グラフのエリアの一部分が表示装置の表示エリアの外に移動され、残りのエリアが表示装置の表示エリア上に表示される場合は、グラフの形式またはサイズの変更に属さないことに留意されたい。
【００１０】
いくつかの実施形態では、グラフの変更形式は、以下の変更：形状変更、サイズ変更、透過性変更、または色変更のうちのいずれか１つまたはいずれかの組合せが初期形式に関して実施された後で取得される形式を含む。
【００１１】
いくつかの実施形態では、表示装置上に第１のグラフの形式を表示するとき、動作活動が継続的に実施されていることを検出することに応答して、モバイル端末は、第１のグラフのものであり、動的に変化する変更形式を表示し、プリセット範囲内の動作活動のより大きな活動範囲は、第１のグラフの初期形式から第１のグラフの変更形式へのより大きな形式変更をもたらす。動作活動の活動範囲がプリセット範囲を超えることが検出されるとき、第１のグラフの変更形式は、もはや動的に変化せず、モバイル端末は第１のグラフの静的変更形式を表示する。
【００１２】
いくつかの実施形態では、表示装置上に第１のグラフの形式を表示するとき、動作活動が継続的に実施されていることを検出することに応答して、モバイル端末は、第１のグラフのものであり、動的に変化する変更形式を表示し、動作活動のより大きな活動範囲は、第１のグラフの初期形式から第１のグラフの変更形式へのより大きな形式変更をもたらす。
【００１３】
いくつかの実施形態では、表示装置上に第１のグラフの形式を表示した後で、動作活動がもはや検出されないことに応答して、モバイル端末は、第１のグラフの変更形式から第１のグラフの初期形式に第１のグラフの形式を復元し、第１のグラフの初期形式を表示する。
【００１４】
モバイル端末は、第１のグラフの初期形式が表示されるまで、第１のグラフの変更形式から第１のグラフの初期形式に漸進的に復元することのトゥイーン動画（tweened animation）を表示装置上に表示し、第１のグラフの形式を復元する処理を示すことに留意されたい。
【００１５】
いくつかの実施形態では、モバイル端末がそのページを表示装置上に第１の方向に移動可能に表示した後で、動作活動がもはや検出されないとき、モバイル端末は、以下の処理を表示装置上に継続的に表示する：ページをダンピング移動に続いて宣言様式で第１の方向に継続的に移動させる。ページが第１の方向に移動されたことが検出されるとき、ページが移動されたときにページ境界に達しているときですら、移動速度が依然としてゼロに低減されていない場合、モバイル端末は、ページのページ境界に達したとき、第１のグラフの変更形式を表示し、第１のグラフの変更形式は第１のグラフの初期形式とは異なる。
【００１６】
いくつかの実施形態では、前述の実施形態のうちのいくつかを参照すると、ページが第１の方向に移動されたときにページ境界に達しており、動作活動が依然として検出されることに応答して、モバイル端末は、ページを継続的に移動させて、ページ境界を超えるエリア（たとえば、このエリアはブランクエリアであるかまたは純色エリアである）を表示する。このエリアはページとは異なり、エリアおよびページは、ユーザによって視覚的に容易に区別され得る。動作入力がもはや検出されなくなった後で、そのエリアがもはや表示されなくなるまで、ページは第１の方向とは反対の第２の方向に移動される。
【００１７】
いくつかの実施形態では、モバイル端末はタッチ表示を有し、ユーザの動作活動を検出するステップは、タッチ表示上でユーザによって実施されたタッチ活動を検出するステップを含む。
【００１８】
いくつかの他の実施形態では、モバイル端末がユーザの動作活動を検出することは、以下のうちの少なくとも１つをさらに含み得る：ユーザの音声命令を検出するステップ；ユーザのジェスチャ活動を検出するステップ；またはユーザの身体活動を検出するステップ。
【００１９】
いくつかの実施形態では、モバイル端末が、ページが第１の方向に移動されたときにページ境界に達したことを検出し、動作活動を依然として検出する場合、モバイル端末は、プロンプトのための警告音をさらに再生し得る。
【００２０】
前述の実施形態を参照すると、第１の方向は、表示装置上の水平方向、垂直方向、または斜め方向である。
【００２１】
別の態様によれば、この方法では、モバイル端末が、ページが移動されたときにページ境界に達したことを検出し、動作活動を依然として検出することができるとき、モバイル端末は、１つまたは複数のグラフ内にあり、ページ境界に隣接している少なくとも２つのグラフの変更形式を表示する。
【００２２】
いくつかの可能な実装ソリューションでは、少なくとも２つのグラフの初期形式から、１つまたは複数のグラフ内にあり、ページ境界に隣接している、少なくとも２つのグラフの変更形式への形式変更の程度は異なり得る。たとえば、ページ境界からの異なる距離により、異なる形式差が生成される。たとえば、ページ境界からの距離がより短く、形式差がより大きい場合、すなわち、第１のグラフとページ境界との間の距離が第２のグラフとページ境界との間の距離に満たない場合、第２のグラフの表示された変更形式と第２のグラフの初期形式との間の差は、第１のグラフの表示された変更形式と第１のグラフの初期形式との間の差よりも大きい。
【００２３】
前述の説明を参照すると、本出願のいくつかの実施形態による、表示装置を備えたモバイル端末上にページを表示するための方法が提供され、この方法は、ユーザの動作活動を検出するステップと、動作活動が検出されることに応答して、ページを表示装置上に第１の方向に移動可能に表示するステップであって、ページが１つまたは複数のグラフを含み、１つまたは複数のグラフが、表示装置上にグラフの初期形式で表示される、移動可能に表示するステップと、ページが第１の方向に移動され、動作活動が依然として検出されるときにページ境界に達することに応答して、第１のグラフの変更形式および第２のグラフの変更形式を表示するステップであって、第１のグラフおよび第２のグラフが、表示装置上に表示された１つまたは複数のグラフ内にありページ境界に隣接しているグラフであり、第１のグラフの変更形式が第１のグラフの初期形式とは異なり、第２のグラフの変更形式が第２のグラフの初期形式とは異なる、表示するステップとを含む。
【００２４】
当然、ページが第１の方向に移動されたときにページ境界に達し、動作活動が依然として検出される場合、モバイル端末は、ページ内の１つまたは複数のグラフ内にあり、ページ境界に隣接している、第３のグラフ、第４のグラフなどの形式変更を表示装置上にさらに表示し得る。
【００２５】
いくつかの実施形態では、第１のグラフとページ境界との間の距離は、第２のグラフとページ境界との間の距離に満たず、第１のグラフの変更形式および第２のグラフの変更形式を表示するステップは、第１のグラフの変更形式および第２のグラフの変更形式を表示するステップであって、第２のグラフの表示された変更形式と第２のグラフの初期形式との間の差が、第１のグラフの表示された変更形式と第１のグラフの初期形式との間の差よりも大きい、表示するステップを含む。
【００２６】
前述の実施形態のうちのいくつかによれば、モバイル端末によって実施される方法は、ユーザとの対話の処理においてより直観的で、簡潔な、興味深い対話情報を提供し、それにより、ユーザの使用経験を改善する。
【００２７】
さらに別の態様によれば、この方法では、モバイル端末は、動作活動に従って、慣性原理を使用することによってダンピング移動様式で実施されるページの移動を表示し、実際の影響に近づける。動作活動がもはや検出されないとき、ページの速度がゼロに低減されるまで、ページは、動作活動が停止したとき、宣言様式でページの移動方向に継続的に移動される。移動速度がゼロに低減されていないことが検出され、ページが第１の方向に移動されたときにページ境界に達したとき、ページ内の境界に隣接している第１のグラフの変更形式が表示される。
【００２８】
前述の説明を参照すると、本出願のいくつかの実施形態によって提供される方法では、モバイル端末は、ユーザの動作活動を検出することと、動作活動が検出されるという事実に応答して、ページを表示装置上に第１の方向に移動可能に表示することであって、ページが１つまたは複数のグラフを含み、１つまたは複数のグラフが、表示装置上にグラフの初期形式で表示される、移動可能に表示することと、動作活動がもはや検出されないという事実に応答して、ページをダンピング移動に続いて宣言様式で第１の方向に継続的に移動させることと、ページの移動速度がゼロに低減されていないことが検出されるという事実、およびページが第１の方向に移動されたときにページ境界に達したことに応答して、第１のグラフの変更形式を表示することであって、第１のグラフが、表示装置上に表示された１つまたは複数のグラフ内にありページ境界に隣接しているグラフであり、第１のグラフの変更形式が第１のグラフの初期形式とは異なる、表示することとを行う。
【００２９】
いくつかの実施形態では、ページが第１の方向に移動されたときにページ境界に達したことが検出されるという事実に応答して、モバイル端末はページを移動させるのを停止する。
【００３０】
いくつかの他の実施形態では、ページが第１の方向に移動されたときにページ境界に達したことが検出されるという事実に応答して、モバイル端末は、ページを宣言様式で継続的に移動させ、ページ境界を超えるエリアを表示することであって、エリアがページとは異なる、表示することとを行い、ページの移動速度がゼロに低減されたことを検出したことに応答して、モバイル端末は、エリアがもはや表示されなくなるまで、ページを第１の方向とは反対の第２の方向に移動させ、モバイル端末は、エリアがもはや表示されないとき、第１のグラフの初期形式を表示する。
【００３１】
さらに別の態様によれば、本出願のいくつかの実施形態に従って提供されるモバイル端末は、表示装置と、１つまたは複数のプロセッサと、メモリとを含み、メモリは、コンピュータプログラムを記憶するように構成され、プロセッサは、コンピュータプログラムを走らせて、以下の手順：ユーザの動作活動を検出することと、動作活動が検出されることに応答して、ページを表示装置上に第１の方向に移動可能に表示することであって、ページが１つまたは複数のグラフを含み、１つまたは複数のグラフが初期形式で表示される、移動可能に表示することと、ページが第１の方向に移動され、動作活動が依然として検出されるときにページ境界に達することに応答して、複数のグラフのうち、境界に隣接している少なくとも１つのグラフの変更形式を表示することであって、グラフの変更形式が初期形式とは異なる、表示することと、を実施するように構成される。
【００３２】
いくつかの実施形態では、モバイル装置は、ページが第１の方向に移動されたときにページ境界に達したことを検出することに応答して、ページを宣言様式で継続的に移動させ、ページ境界を超えるエリアを表示することであって、エリアがページとは異なる、表示することと、ページの移動速度がゼロに低減されたことを検出することに応答して、エリアがもはや表示されなくなるまで、ページを第１の方向とは反対の第２の方向に移動させることと、エリアがもはや表示されないとき、第１のグラフの初期形式を表示することとをさらに実施する。
【００３３】
さらに別の態様によれば、本出願のいくつかの実施形態による、表示装置を備えたモバイル端末上にページを表示するための装置が提供され、この装置は、ユーザの動作活動を検出するように構成された、検出モジュールと、動作活動が検出されることに応答して、ページを表示装置上に第１の方向に移動可能に表示することであって、ページが１つまたは複数のグラフを含み、１つまたは複数のグラフが、表示装置上にグラフの初期形式で表示される、移動可能に表示することを行うように構成された、移動表示モジュールと、ページが第１の方向に移動され、動作活動が依然として検出されるときにページ境界に達することに応答して、第１のグラフの変更形式を表示することであって、第１のグラフが、表示装置上に表示された１つまたは複数のグラフ内にありページ境界に隣接しているグラフであり、第１のグラフの変更形式が第１のグラフの初期形式とは異なる、表示することを行うように構成された、モーフィング表示モジュールとを含む。
【００３４】
いくつかの実施形態では、モーフィング表示モジュールは、動作活動が継続的に実施されていることを検出することに応答して、第１のグラフのものであり、動的に変化する変更形式を表示することであって、プリセット範囲内の動作活動のより大きな活動範囲が、第１のグラフの初期形式から第１のグラフの変更形式へのより大きな形式変更をもたらす、表示することと、動作活動の活動範囲がプリセット範囲を超えることを検出することに応答して、第１のグラフの静的変更形式を表示することとを行うように構成された、第１の表示サブユニットを含む。
【００３５】
いくつかの実施形態では、モーフィング表示装置は、動作活動が継続的に実施されていることを検出することに応答して、第１のグラフのものであり、動的に変化する変更形式を表示することであって、動作活動のより大きな活動範囲が、第１のグラフの初期形式から第１のグラフの変更形式へのより大きな形式変更をもたらす、表示することを行うように構成された、第２の表示サブユニットを含む。
【００３６】
いくつかの実施形態では、この装置は、第１のグラフの変更形式が表示された後で、動作活動がもはや検出されないことに応答して、第１のグラフの初期形式を表示するように構成された、復元表示モジュールをさらに含む。
【００３７】
いくつかの実施形態では、復元表示モジュールは、第１のグラフの初期形式が表示されるまで、第１のグラフの変更形式から第１のグラフの初期形式に第１のグラフを漸進的に復元することのトゥイーン動画を表示するように構成された、復元表示サブユニットを含む。
【００３８】
いくつかの実施形態では、この装置は、ページが第１の方向に移動され、動作活動が依然として検出されるときにページ境界に達することに応答して、ページを継続的に移動させ、ページ境界を超えるエリアを表示することであって、エリアがページとは異なる、表示することと、動作入力がもはや検出されないことに応答して、エリアがもはや表示されなくなるまで、ページを第１の方向とは反対の第２の方向に移動させることとを行うように構成された、エリア表示モジュールをさらに含む。
【００３９】
さらに別の態様によれば、本出願のいくつかの実施形態による、表示装置を備えたモバイル端末上にページを表示するための装置が提供され、この装置は、ユーザの動作活動を検出するように構成された、検出モジュールと、動作活動が検出されることに応答して、ページを表示装置上に第１の方向に移動可能に表示することであって、ページが１つまたは複数のグラフを含み、１つまたは複数のグラフが、表示装置上にグラフの初期形式で表示される、移動可能に表示することを行うように構成された、移動表示モジュールと、ページが第１の方向に移動され、動作活動が依然として検出されるときにページ境界に達することに応答して、第１のグラフの変更形式および第２のグラフの変更形式を表示することであって、第１のグラフおよび第２のグラフが、表示装置上に表示された１つまたは複数のグラフ内にありページ境界に隣接しているグラフであり、第１のグラフの変更形式が第１のグラフの初期形式とは異なり、第２のグラフの変更形式が第２のグラフの初期形式とは異なる、表示することを行うように構成されたモーフィング表示モジュールとを含む。
【００４０】
いくつかの実施形態では、モーフィング表示装置は、第１のグラフの変更形式および第２のグラフの変更形式を表示することであって、第２のグラフの表示された変更形式と第２のグラフの初期形式との間の差は、第１のグラフの表示された変更形式と第１のグラフの初期形式との間の差よりも大きい、表示することを行うように構成される。
【００４１】
さらに別の態様によれば、本出願のいくつかの実施形態による、表示装置を備えたモバイル端末上にページを表示するための装置が提供され、この装置は、ユーザの動作活動を検出するように構成された、検出モジュールと、動作活動が検出されることに応答して、ページを表示装置上に第１の方向に移動可能に表示することであって、ページが１つまたは複数のグラフを含み、１つまたは複数のグラフが、表示装置上にグラフの初期形式で表示される、移動可能に表示することと、動作活動がもはや検出されないことに応答して、ページをダンピング移動に続いて宣言様式で第１の方向に継続的に移動させることとを行うように構成された、移動表示モジュールと、ページの移動速度がゼロに低減されておらず、ページが第１の方向に移動されたときにページ境界に達したことを検出したことに応答して、第１のグラフの変更形式を表示することであって、第１のグラフが、表示装置上に表示された１つまたは複数のグラフ内にありページ境界に隣接しているグラフであり、第１のグラフの変更形式が第１のグラフの初期形式とは異なる、表示することを行うように構成された、モーフィング表示モジュールとを含む。
【００４２】
いくつかの実施形態では、この装置は、ページが第１の方向に移動されたときにページ境界に達したことが検出されることに応答して、ページを宣言様式で継続的に移動させ、ページ境界を超えるエリアを表示することであって、エリアがページとは異なる、表示することを行うように構成された、エリア表示モジュールと、ページの移動速度がゼロに低減されたことを検出することに応答して、エリアがもはや表示されなくなるまで、ページを第１の方向とは反対の第２の方向に移動させるように構成された、リザイリング（resiling）表示モジュールと、エリアがもはや表示されないとき、第１のグラフの初期形式を表示するように構成された、復元表示モジュールとをさらに含む。
【００４３】
さらに別の態様によれば、本出願のいくつかの実施形態による、表示装置を備えたモバイル端末上のグラフィカルユーザインターフェースが提供され、このグラフィカルユーザインターフェースは、表示装置上に表示されたページの一部分を含み、ページは１つまたは複数のグラフを含み、ユーザの動作活動が検出されるという事実に応答して、ページは第１の方向に移動され、１つまたは複数のグラフは初期形式で表示され、ページが第１の方向に移動され、動作活動が依然として検出されるときにページ境界に達することに応答して、第１のグラフの変更形式が表示され、第１のグラフは、表示装置上に表示された１つまたは複数のグラフ内にありページ境界に隣接しているグラフであり、第１のグラフの変更形式は第１のグラフの初期形式とは異なる。
【００４４】
いくつかの実施形態では、本発明の特定の実装における実装モジュールによれば、実装モジュールは、入力ユニットと、表示装置上で動画表示を実装するように構成されたオブジェクト制御とを含み、オブジェクト制御は、制御インターフェースフレームワークとページ動作プロンプト動画エンジンとを含み、ページ動作プロンプト動画エンジンは、イベント処理ユニットと、動画アルゴリズムユニットと、イベントコールバック機構ユニットと、グラフレンダリングユニットとを含む。入力ユニットは、ユーザの動作活動の入力を取得する。イベント処理ユニットは、ユーザの動作活動を検出し、ユーザの動作活動をスライディング変位情報に転換する。動画アルゴリズムユニットは、スライディング変位情報に従ってページのロケーション情報を計算する。イベントコールバック機構ユニットは、ページのロケーション情報およびスライディング変位情報に従って、ページが移動されたときにページ境界に達したかどうかを判定し、モーフィングアルゴリズムおよびレンダリングアルゴリズムを判定する。動画アルゴリズムユニットは、モーフィングアルゴリズムに従って、表示装置上に表示されたページ内のグラフのズーム情報を計算する。グラフレンダリングユニットは、ページのロケーション情報およびグラフのズーム情報、すなわち、レンダリングアルゴリズムに従って、グラフ影響描写を実施し、描写データを生成し、次いで、制御インターフェースフレームワークを呼び出すことによって、描写データを特定の表示装置に適応させて、描写データを表示装置上に表示する。
【図面の簡単な説明】
【００４５】
本発明の実施形態の技術的解決策についてよりはっきりと説明するために、以下では、本実施形態について説明するために必要とされる添付の図面について手短に説明する。添付の図面では、同じ参照符号は対応する部分を表す。明らかに、以下の説明において添付の図面は、本発明のすべての実施形態ではなく、単にいくつかの実施形態を示す。当業者は、創造的な取り組みなしに、これらの添付の図面から他の図面を依然として導出し得る。
【図１】いくつかの実施形態によるモバイル端末の概略構造図である。
【図２】いくつかの実施形態によるモバイル端末内のソフトウェアの概略図である。
【図３】いくつかの実施形態によるモバイル端末の外観の概略図である。
【図４（ａ）】いくつかの実施形態によるモバイル端末上に形式変更を表示するための例示的概略図である。
【図４（ｂ）】いくつかの実施形態によるモバイル端末上に形式変更を表示するための例示的概略図である。
【図４（ｃ）】いくつかの実施形態によるモバイル端末上に形式変更を表示するための例示的概略図である。
【図４（ｄ）】いくつかの実施形態によるモバイル端末上に形式変更を表示するための例示的概略図である。
【図４（ｅ）】いくつかの実施形態によるモバイル端末上に形式変更を表示するための例示的概略図である。
【図４（ｆ）】いくつかの実施形態によるモバイル端末上に形式変更を表示するための例示的概略図である。
【図４（ｇ）】いくつかの実施形態によるモバイル端末上に形式変更を表示するための例示的概略図である。
【図４（ｈ）】いくつかの実施形態によるモバイル端末上に形式変更を表示するための例示的概略図である。
【図４（ｉ）】いくつかの実施形態によるモバイル端末上に形式変更を表示するための例示的概略図である。
【図４（ｊ）】いくつかの実施形態によるモバイル端末上に形式変更を表示するための例示的概略図である。
【図４（ｋ）】いくつかの実施形態によるモバイル端末上に形式変更を表示するための例示的概略図である。
【図４（ｌ）】いくつかの実施形態によるモバイル端末上に形式変更を表示するための例示的概略図である。
【図４（ｍ）】いくつかの実施形態によるモバイル端末上に形式変更を表示するための例示的概略図である。
【図４（ｎ）】いくつかの実施形態によるモバイル端末上に形式変更を表示するための例示的概略図である。
【図４（ｏ）】いくつかの実施形態によるモバイル端末上に形式変更を表示するための例示的概略図である。
【図５（ａ）】いくつかの実施形態によるモバイル端末の表示装置上にページを移動可能に表示する例示的概略図である。
【図５（ｂ）】いくつかの実施形態によるモバイル端末の表示装置上にページを移動可能に表示する例示的概略図である。
【図５（ｃ）】いくつかの実施形態によるモバイル端末の表示装置上にページを移動可能に表示する例示的概略図である。
【図５（ｄ）】いくつかの実施形態によるモバイル端末の表示装置上にページを移動可能に表示する例示的概略図である。
【図５（ｅ）】いくつかの実施形態によるモバイル端末の表示装置上にページを移動可能に表示する例示的概略図である。
【図６】いくつかの実施形態による、ページを平行移動させ、ページの境界に達したことをユーザに通知するための方法のフローチャートである。
【図７（ａ）】いくつかの実施形態によるスクローリングリストの形式変更の例示的概略図である。
【図７（ｂ）】いくつかの実施形態によるスクローリングリストの形式変更の例示的概略図である。
【図７（ｃ）】いくつかの実施形態によるスクローリングリストの形式変更の例示的概略図である。
【図８（ａ）】いくつかの実施形態によるスクローリングリストの形式変更の例示的概略図である。
【図８（ｂ）】いくつかの実施形態によるスクローリングリストの形式変更の例示的概略図である。
【図８（ｃ）】いくつかの実施形態によるスクローリングリストの形式変更の例示的概略図である。
【図９（ａ）】いくつかの実施形態によるスクローリングリストの形式変更の例示的概略図である。
【図９（ｂ）】いくつかの実施形態によるスクローリングリストの形式変更の例示的概略図である。
【図９（ｃ）】いくつかの実施形態によるスクローリングリストの形式変更の例示的概略図である。
【図９（ｄ）】特定のシナリオのいくつかの実施形態による形式変更の例示的概略構造図である。
【図１０（ａ）】いくつかの実施形態によるスクローリングリストの形式変更の例示的概略図である。
【図１０（ｂ）】いくつかの実施形態によるスクローリングリストの形式変更の例示的概略図である。
【図１０（ｃ）】いくつかの実施形態によるスクローリングリストの形式変更の例示的概略図である。
【図１１（ａ）】いくつかの実施形態による、サムネイルが平行移動されるときに生じる形式変更の例示的概略図である。
【図１１（ｂ）】いくつかの実施形態による、サムネイルが平行移動されるときに生じる形式変更の例示的概略図である。
【図１１（ｃ）】いくつかの実施形態による、サムネイルが平行移動されるときに生じる形式変更の例示的概略図である。
【図１１（ｄ）】いくつかの実施形態による、サムネイルが平行移動されるときに生じる形式変更の例示的概略図である。
【図１１（ｅ）】いくつかの実施形態による、サムネイルが平行移動されるときに生じる形式変更の例示的概略図である。
【図１１（ｆ）】いくつかの実施形態による、サムネイルが平行移動されるときに生じる形式変更の例示的概略図である。
【図１２（ａ）】いくつかの実施形態による、アイコンが平行移動されるときに生じる形式変更の例示的概略図である。
【図１２（ｂ）】いくつかの実施形態による、アイコンが平行移動されるときに生じる形式変更の例示的概略図である。
【図１２（ｃ）】いくつかの実施形態による、アイコンが平行移動されるときに生じる形式変更の例示的概略図である。
【図１３（ａ）】いくつかの実施形態による、サムネイルが平行移動されるときに生じる形式変更の例示的概略図である。
【図１３（ｂ）】いくつかの実施形態による、アイコンが平行移動されるときに生じる形式変更の例示的概略図である。
【図１３（ｃ）】いくつかの実施形態による、アイコンが平行移動されるときに生じる形式変更の例示的概略図である。
【図１３（ｄ）】いくつかの実施形態による、アイコンが平行移動されるときに生じる形式変更の例示的概略図である。
【図１４（ａ）】特定のシナリオのいくつかの実施形態による、サムネイルが左方向に平行移動されるときに生じる形式変更の例示的概略図である。
【図１４（ｂ）】特定のシナリオのいくつかの実施形態による、サムネイルが左方向に平行移動されるときに生じる形式変更の例示的概略図である。
【図１４（ｃ）】特定のシナリオのいくつかの実施形態による、サムネイルが左方向に平行移動されるときに生じる形式変更の例示的概略図である。
【図１５（ａ）】いくつかの実施形態による、サムネイルが平行移動されるときに生じる形式変更の例示的概略図である。
【図１５（ｂ）】いくつかの実施形態による、サムネイルが平行移動されるときに生じる形式変更の例示的概略図である。
【図１５（ｃ）】いくつかの実施形態による、サムネイルが平行移動されるときに生じる形式変更の例示的概略図である。
【図１５（ｄ）】いくつかの実施形態による、サムネイルが平行移動されるときに生じる形式変更の例示的概略図である。
【図１５（ｅ）】いくつかの実施形態による、サムネイルが平行移動されるときに生じる形式変更の例示的概略図である。
【図１５（ｆ）】いくつかの実施形態による、サムネイルが平行移動されるときに生じる形式変更の例示的概略図である。
【図１６】いくつかの実施形態によるモバイル端末内で走るように構成されることが可能なモジュールの概略図である。
【図１７】いくつかの実施形態によるモバイル端末内で走るように構成されること可能な装置の概略図である。
【発明を実施するための形態】
【００４６】
以下は、いくつかの実施形態における添付の図面を参照して、実施形態における技術的ソリューションを明瞭に完全に説明する。明らかに、説明される実施形態は、いくつかの実施形態にすぎず、すべての実施形態ではない。いくつかのよく知られている方法、処理、構造、およびネットワークは、もはや冗長的に説明されない。
【００４７】
以下は、モバイル端末の一実施形態、モバイル端末内で使用されるグラフィカルユーザインターフェースの一実施形態、およびモバイル端末によって実装される方法の一実施形態について説明する。モバイル端末は、モバイルフォン（スマートフォンと呼ばれることもある）、タブレットコンピュータ（Ｔａｂｌｅｔ  Ｐｅｒｓｏｎａｌ  Ｃｏｍｐｕｔｅｒ）、携帯情報端末（ｐｅｒｓｏｎａｌ  ｄｉｇｉｔａｌ  ａｓｓｉｓｔａｎｔ、略して、ＰＤＡ）、電子ブックリーダー（英語：ｅ−ｂｏｏｋ  ｒｅａｄｅｒ）、装着可能デバイス（Ｗｅａｒａｂｌｅ  Ｄｅｖｉｃｅ）、仮想現実対話デバイス（Ｖｉｒｔｕａｌ  Ｒｅａｌｉｔｙ  Ｉｎｔｅｒａｃｔｉｖｅ  Ｄｅｖｉｃｅ）などであり得る。モバイル端末は、２Ｇ（第２世代モバイルフォン通信技術仕様書）、３Ｇ（第３世代モバイルフォン通信技術仕様書）、４Ｇ（第４世代モバイルフォン通信技術仕様書）、５Ｇ（第５世代モバイルフォン通信技術仕様書）、ＷＬＡＮ（ワイヤレスローカルエリアネットワーク）、または将来に出現し得る通信モードを使用することによって、ネットワークとの通信を確立し得る。
【００４８】
簡潔にするために、これは、本発明の実施形態ではさらに限定されない。説明を簡単にするために、モバイル端末は以下の実施形態における説明のための一例として使用される。
【００４９】
図１は、いくつかの実施形態によるモバイル端末１００の概略構造図である。モバイル端末は、モバイルフォン、タブレットコンピュータ、ＰＤＡ（Ｐｅｒｓｏｎａｌ  Ｄｉｇｉｔａｌ  Ａｓｓｉｓｔａｎｔ、携帯情報端末）、ＰＯＳ（Ｐｏｉｎｔ  ｏｆ  Ｓａｌｅ、ポイントオブセール）、車載コンピュータなどを含む、いずれかの端末デバイスであり得る。モバイル端末は、電話アプリケーション、インスタントメッセージ送受信アプリケーション、デジタル撮影および／または画像撮影（image shooting）アプリケーション、ウェブブラウジングアプリケーション、音楽および／またはビデオ再生アプリケーション、ビデオ通信アプリケーション、ソーシャルネットワーキングアプリケーション、金融アプリケーション、天気アプリケーション、買い物アプリケーション、およびオフィスアプリケーションなど、様々なアプリケーションをサポートし得る。
【００５０】
図１は、いくつかの実施形態によるモバイル端末１００の部分的な構造のブロック図である。図１を参照すると、モバイル端末１００は、ＲＦ（Ｒａｄｉｏ  Ｆｒｅｑｕｅｎｃｙ、無線周波数）回路１１０、メモリ１２０、入力ユニット１３０、ディスプレイユニット１４０、センサー１５０、オーディオ周波数回路１６０、ＷｉＦｉ（Ｗｉｒｅｌｅｓｓ  Ｆｉｄｅｌｉｔｙ、ワイヤレスフィデリティ）モジュール１７０、プロセッサ１８０、電源１９０などの構成要素を含む。
【００５１】
当業者は、図１に示されるモバイル端末の構造は単なる一実装における一例であり、モバイル端末に関して何の限定も構成せず、図面に示される構成要素よりも多数のまたは少数の構成要素を含むこと、もしくはいくつかの構成要素を組み合わせること、または異なる構成要素構成を有することがあることを理解されよう。
【００５２】
以下で、図１を参照しながらモバイル端末１００の各構成要素について詳細に説明する。
【００５３】
ＲＦ回路１１０は、情報を受信し、情報を送り、または呼処理において信号を受信し、信号を送るように構成され、詳細には、基地局からダウンリンク情報を受信した後に、プロセッサ１８０に処理のためにダウンリンク情報を送り、基地局に関係するアップリンクデータを送るように構成され得る。通常、ＲＦ回路は、限定はされないが、アンテナ、少なくとも１つの増幅器、トランシーバ、カプラ、ＬＮＡ（Ｌｏｗ  Ｎｏｉｓｅ  Ａｍｐｌｉｆｉｅｒ、低雑音増幅器）、およびデュプレクサを含む。加えて、ＲＦ回路１１０は、ワイヤレス通信様式でネットワークおよび別のデバイスと通信し得る。限定はされないが、ＧＳＭ（Ｇｌｏｂａｌ  Ｓｙｓｔｅｍ  ｏｆ  Ｍｏｂｉｌｅ  Ｃｏｍｍｕｎｉｃａｔｉｏｎ、モバイル通信用グローバルシステム）、ＧＰＲＳ（Ｇｅｎｅｒａｌ  Ｐａｃｋｅｔ  Ｒａｄｉｏ  Ｓｅｒｖｉｃｅ、汎用パケット無線サービス）、ＣＤＭＡ（Ｃｏｄｅ  Ｄｉｖｉｓｉｏｎ  Ｍｕｌｔｉｐｌｅ  Ａｃｃｅｓｓ、符号分割多元接続）、ＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ、広帯域符号分割多元接続）、ＬＴＥ（Ｌｏｎｇ  Ｔｅｒｍ  Ｅｖｏｌｕｔｉｏｎ、ロングタームエボリューション）、電子メール、およびＳＭＳ（Ｓｈｏｒｔ  Ｍｅｓｓａｇｉｎｇ  Ｓｅｒｖｉｃｅ、ショートメッセージサービス）を含む、どんな通信規格またはプロトコルでもワイヤレス通信のために使用され得る。
【００５４】
メモリ１２０は、ソフトウェアプログラムおよびモジュールを記憶するように構成され得、プロセッサ１８０は、メモリ１２０内に記憶されたソフトウェアプログラムおよびモジュールを走らせることによって、モバイル端末１００の様々な機能アプリケーションおよびデータ処理を実施する。メモリ１２０は、プログラムストレージエリアおよびデータストレージエリアを主に含み得る。プログラムストレージエリアは、オペレーティングシステム、（音再生機能または画像再生機能などの）少なくとも１つの機能によって必要とされるアプリケーションプログラムなどを記憶し得る。データストレージエリアは、モバイル端末１００の使用に従って作成された（オーディオデータおよび電話帳などの）データなどを記憶し得る。加えて、メモリ１２０は、高速ランダムアクセスメモリを含むことがあり、または少なくとも１つの磁気ディスクストレージデバイス、フラッシュメモリデバイス、または別の揮発性ソリッドステートストレージデバイスなどの不揮発性メモリを含み得る。
【００５５】
入力ユニット１３０は、入力されたデジタルまたは文字情報を受信し、モバイル端末１００のユーザ設定および機能制御に関係するキー信号または活動信号入力を生成するように構成され得る。詳細には、入力ユニット１３０は、タッチパネル１３１、カメラ１３２、または別の入力デバイス１３２のうちの１つまたは複数を含み得る。タッチパネル１３１は、タッチ表示またはタッチパッドであり得る。タッチ表示は、表示およびタッチエリアを統合するデバイスである。タッチパッドは、タッチ表示とは異なり、視覚的出力を表示しない、デバイスのタッチセンシティブエリアである。タッチパッドは、表示パネルとは別個のタッチセンシティブ表面であり得るか、またはタッチスクリーンを含む、タッチセンシティブ表面の拡張部分であり得る。タッチパネル１３１は、タッチパネル１３１上でまたはタッチパネル１３１の近くでユーザによって実施されるタッチ動作（たとえば、指またはスタイラスなど、いずれかの適切なオブジェクトまたはアクセサリーを使用することによってタッチパネル１３１上でまたはタッチパネル１３１の近くでユーザによって実施される動作など）を収集し、プリセットプログラムに従って対応する接続装置を駆動し得る。任意選択で、タッチパネル１３１は、タッチ検出装置およびタッチコントローラという２つの部分を含み得る。タッチ検出装置は、ユーザのタッチロケーションを検出し、タッチ動作によってもたらされた信号を検出し、信号をタッチコントローラに送信する。タッチコントローラは、タッチ検出装置からタッチ情報を受信し、タッチ情報をタッチ点座標に転換し、タッチ点座標をプロセッサ１８０に送る。加えて、タッチコントローラは、プロセッサ１８０によって送られたコマンドを受信し、実行することができる。加えて、タッチパネル１３１は、抵抗性タイプ、容量性タイプ、赤外線タイプ、および表面弾性波タイプなど、複数のタイプで実装され得る。カメラ１３２は、１つまたは複数のアナログカメラ、デジタルカメラ、深度カメラ、またはいずれかの量の前述のカメラの組合せであり得る。カメラ１３２は、プロセッサ１８０が、ビデオ信号から入力信号を収集する（たとえば、ビデオ信号からユーザのジェスチャ動作を識別する）ように、ビデオ信号を収集し、ビデオ信号をプロセッサ１８０に送信し得る。タッチパネル１３１およびカメラ１３２に加えて、入力ユニット１３０は別の入力デバイス１３３を含み得る。詳細には、別の入力デバイス１３３は、限定はされないが、物理キーボード、（ボリューム制御キーまたはオン／オフキーなどの）機能キー、トラックボール、マウス、ジョイスティック、脳波識別子、またはジャイロスコープのうちの１つまたは複数を含み得る。加えて、入力ユニット１３０は、マイクロフォン１６２、センサー１５０などをカバーし得る。いくつかの実施形態では、マイクロフォン１６２は、プロセッサが、オーディオ信号から入力信号を収集する（たとえば、オーディオ信号からユーザの音声動作を識別する）ように、オーディオ信号を収集し、オーディオ信号をプロセッサに送信し得る。
【００５６】
表示ユニット１４０は、ユーザによって入力された情報またはユーザに提供される情報、およびモバイル端末１００の様々なメニューを表示するように構成され得る。表示ユニット１４０は、表示パネル１４１、投写デバイス１４２、または別の表示デバイス１４３のうちの１つまたは複数を含み得る。任意選択で、表示パネル１４１は、ＬＣＤ（Ｌｉｑｕｉｄ  Ｃｒｙｓｔａｌ  Ｄｉｓｐｌａｙ、液晶ディスプレイ）、ＯＬＥＤ（Ｏｒｇａｎｉｃ  Ｌｉｇｈｔ−Ｅｍｉｔｔｉｎｇ  Ｄｉｏｄｅ、有機発光ダイオード）などの形式で構成され得る。さらに、タッチパネル１３１は表示パネル１４１をカバーし得る。タッチパネル１３１上のまたはその近くのタッチ動作を検出したとき、タッチパネル１３１は、タッチイベントタイプを判定するためにタッチ動作をプロセッサ１８０に送信し、次いで、プロセッサ１８０は、タッチイベントタイプに従って表示パネル１４１上に対応する視覚的出力を提供する。図１では、タッチパネル１３１および表示パネル１４１は、モバイル端末１００の１つまたは複数の入力機能を実装するための２つの独立した構成要素として働く。しかしながら、いくつかの実施形態では、タッチパネル１３１および表示パネル１４１は統合され、モバイル端末１００の入力および出力機能を実装し得る。投写デバイス１４２は、ミニプロジェクタまたは３Ｄホログラフィックプロジェクタであり得る。ミニプロジェクタは、インテリジェントグラスデバイス上にインストールされた、半透明プリズムを使用することによって、投影のために、人の目の網膜上に画像を投写するデバイスであり得る。代替として、ミニプロジェクタは、投影のためにモバイル端末の表示またはスクリーン上に画像を投写するデバイスであり得る。３Ｄ（３次元）ホログラフィックプロジェクタは、干渉および回析の原理を使用することによって物理空間内で投写を直接実施して、オブジェクトの実際の３次元画像を提示することができるデバイスである。表示パネル１４１および投写デバイス１４２に加えて、表示ユニット１４０は別の表示デバイス１４２をさらに含み得る。詳細には、別の表示デバイス１４２は、限定はされないが、ワイヤレスローカルエリアネットワーク、ＵＳＢ（Ｕｎｉｖｅｒｓａｌ  Ｓｅｒｉａｌ  Ｂｕｓ、ユニバーサルシリアルバス）データケーブル、およびＨＤＭＩ（Ｈｉｇｈ  Ｄｅｆｉｎｉｔｉｏｎ  Ｍｕｌｔｉｍｅｄｉａ  Ｉｎｔｅｒｆａｃｅ、高解像度マルチメディアインターフェース）ケーブルなど、１つまたは複数の接続様式でモバイル端末に接続される表示デバイス（ＴＶなど）を含み得る。
【００５７】
モバイル端末１００は、少なくとも１つのタイプのセンサー１５０、たとえば、光センサー、動きセンサー、および別のセンサーをさらに含み得る。詳細には、光センサーは、周辺光センサーおよび近接センサーを含み得る。周辺光センサーは、周辺光の輝度に従って表示パネル１４１のルミナンスを調整し得る。近接センサーは、モバイル端末１００が耳に移動したとき、表示パネル１４１および／またはバックライトをオフにし得る。動きセンサーとして、加速度センサーは、各方向（概して、３軸）の加速度値を検出することがあり、静的状態における重力の値および方向を検出することがあり、モバイル端末姿勢のアプリケーション（横長と縦長の間の切替え、関係するゲーム、および磁力計姿勢校正など）、振動識別に関係する機能（歩数計およびストライクなど）などを識別するように構成され得る。ジャイロスコープ、気圧計、湿度計、温度計、および赤外線センサーなど、他のセンサーがモバイル端末１００内でさらに構成され得、本明細書で詳細については説明されない。
【００５８】
オーディオ周波数回路１６０、ラウドスピーカー１６１、およびマイクロフォン１６２は、ユーザとモバイル端末１００との間のオーディオインターフェースを提供し得る。オーディオ周波数回路１６０は、受信されたオーディオデータが転換された後に取得された電気信号をラウドスピーカー１６１に送信することがあり、ラウドスピーカー１６１は、電気信号を音信号に転換し、音信号を出力する。加えて、マイクロフォン１６２は、収集された音信号を電気信号に転換する。オーディ周波数回路１６０は、電気信号を受信した後に、電気信号をオーディオデータに転換し、次いで、オーディオデータをプロセッサ１８０に出力して、オーディオデータを処理する。プロセッサ１８０はオーディオデータを、ＲＦ回路１１０を使用することによって、たとえば、別のモバイル端末に送るか、またはオーディオデータをメモリ１２０に出力して、オーディオデータをさらに処理する。
【００５９】
ＷｉＦｉは、短距離ワイヤレス送信技術に属する。モバイル端末１００は、ＷｉＦｉモジュール１７０を使用することによって、ユーザが、電子メールを受信し、電子メールを送り、ウェブページをブラウズし、ストリーミングメディアにアクセスすることなどを支援し得る。ＷｉＦｉモジュール１７０は、ワイヤレスブロードバンドインターネットアクセスをユーザに提供する。図１はＷｉＦｉモジュール１７０を示しているが、ＷｉＦｉモジュール１７０はモバイル端末１００の必須構成要素ではなく、本発明の本質を変更することなく要件に応じて完全に省略され得ることを理解されよう。
【００６０】
プロセッサ１８０は、モバイル端末１００の制御センターであり、様々なインターフェースおよびケーブルを使用することによってモバイル端末全体の各部分に接続され、メモリ１２０内に記憶されたソフトウェアプログラムおよび／またはモジュールを走らせるかまたは実行することによってならびにメモリ１２０内に記憶されたデータを呼び出すことによって、モバイル端末の様々な機能を実行しデータを処理して、モバイル端末上で全体的な監視を実施する。任意選択で、プロセッサ１８０は１つまたは複数の処理ユニットを含み得る。好ましくは、プロセッサ１８０は、アプリケーションプロセッサおよびモデムプロセッサを統合し得る。アプリケーションプロセッサは、オペレーティングシステム、ユーザインターフェース、アプリケーションプログラムなどを主に処理し、モデムプロセッサは、ワイヤレス通信を主に処理する。前述のモデムプロセッサは、プロセッサ１８０に統合されないことがあることを理解されよう。
【００６１】
モバイル端末１００は、各構成要素に電力を供給する電源１９０（たとえば、バッテリー）をさらに含む。好ましくは、電源は、電力管理システムを使用することによってプロセッサ１８０に論理的に接続され、電力管理システムを使用することによって、充電管理、放電管理、および電力消費管理などの機能を実装することがある。
【００６２】
図に示されていないが、モバイル端末１００は、カメラ、ブルートゥースモジュールなどをさらに含むことがあり、本明細書で詳細については説明されない。
【００６３】
図２は、いくつかの実施形態によるモバイル端末のソフトウェア構成要素の概略図である。モバイル端末１００は、ソフトウェア構成要素をさらに有する。ソフトウェア構成要素は、メモリ１２０内に記憶されることがあり、オペレーティングシステム１２１、通信モジュール１２２、グラフィックスモジュール１２３、テキスト入力モジュール１２４、測位システムモジュール１２５（全地球測位システム（ＧＰＳ）など）、アプリケーションプログラム１２６などを含み得る。
【００６４】
オペレーティングシステム１２１、たとえば、アンドロイド（Ａｎｄｒｏｉｄ）システム、ｉＯＳ（ＩＯＳ）システム、ＵＮＩＸシステム、またはウィンドウズフォンシステムは、一般的なシステムタスク（電力管理など）を制御および管理するように構成された様々なソフトウェア構成要素および／またはドライバを含み、様々なハードウェア構成要素およびソフトウェア構成要素同士の間の通信を円滑にする。
【００６５】
通信モジュール１２２は、ＲＦ回路１００および／またはＷｉＦｉモジュール１７０を使用することによって受信されたデータを管理するように構成された様々なソフトウェア構成要素を含む。
【００６６】
グラフィックスモジュール１２３は、様々なグラフを表示ユニット１４０上で表示するように構成された様々な知られているソフトウェア構成要素を含む。グラフは、限定はされないが、テキスト、項目リスト、アイコン（タッチ表示上に表示されるソフトキーアイコンまたはアプリケーションアイコンなど）、デジタル画像、ビデオ、および動画を含めて、ユーザに表示され得る、いずれかのオブジェクトを含む。
【００６７】
テキスト入力モジュール１２４は、グラフィックスモジュールを使用することによってソフトキーボードを提供し、ユーザ動作に対応するテキストを様々なアプリケーションプログラム内に入力し得る。
【００６８】
測位システムモジュール１２５は、モバイル端末のロケーションを判定し、各アプリケーションプログラムに使用するためのロケーション情報を提供するように、たとえば、マップアプリケーションにロケーション情報を提供するように構成される。
【００６９】
アプリケーションプログラム１２６は、限定はされないが、電話帳モジュール１２６ａ、インスタントメッセージ送信モジュール１２６ｂ、ウェブページブラウジングモジュール１２６ｃ、画像撮影モジュール１２６ｄ、ビデオ再生モジュール１２６ｅ、ソーシャルネットワーキングモジュール１２６ｆ、音楽再生モジュール１２６ｇ、カレンダーモジュール１２６ｈ、システム設定モジュール１２６ｉ、ピクチャ閲覧および編集モジュール１２６ｊ、アプリケーションストアモジュール１２６ｋ、電子メール送受信モジュール１２６ｌ、検索モジュール１２６ｍ、またはウィジェットモジュール１２６ｎのうちの少なくとも１つを含み得る。ウィジェットモジュール１２６ｋは、計算機ウィジェット、天気ウィジェット、通知ウィジェット、カレンダーウィジェットなどを含み得る。
【００７０】
プロセッサ１８０、入力ユニット１３０、表示ユニット１４０、および関係するアプリケーションプログラムを参照すると、ユーザによって入力ユニット１３０内に入力された入力信号を受信した後で、モバイル端末は、対応する計算および処理を実施し、対応する出力信号を生成し、出力信号を表示ユニット１４０に送信し、その結果、モバイル端末は、視覚的および動作可能な様式でユーザと対話することができる。いくつかの好ましい実施形態では、入力ユニット１３０および表示ユニット１４０は、タッチ表示を使用することによって実装される。
【００７１】
加えて、モバイル端末は、１つまたは複数のキーをさらに含み得る。キーは、物理キーであり得るか、または表示ユニットを使用することによって表示されるソフトキーであり得る。いくつかの実施形態では、物理キーは、実際の圧力を使用することによって加圧されて、入力を取得することがある。物理キーは、デバイスの電源をオン／オフにし、デバイスをロックするためのボタンと、音量を調整するためのボタンとを含み得る。ソフトキーは、上記で説明された様式でタッチされて、入力を取得することがある。代替的実施形態では、モバイル端末１００は、マイクロフォン１６２を使用することによって、いくつかの機能をアクティブ化させるために使用される音声入力を受信するか、またはセンサー１５０を使用することによって、いくつかの機能をアクティブ化させて、たとえば、重力センサーを使用することによってシェーク活動を取得するために使用される活動入力を受信することがさらにあり得る。
【００７２】
以下の実施形態のうちのいくつかでは、表示装置としてタッチ表示を有するモバイル端末は、詳細な説明を継続的に提供するための一例として使用される。当業者は、ミニプロジェクタまたは３Ｄホログラフィックプロジェクタなど、別の表示装置が依然として適用可能であり、依然として以下の実施形態の代替ソリューションであり得ることを理解されよう。
【００７３】
図３は、いくつかの実施形態による、タッチ表示を備えたモバイル端末の概略図である。ラウドスピーカー１６１、カメラ１３２、センサー１５０、およびいくつかの物理キー２１０（音量制御キーおよびスクリーンロック／アンロックキーなど）に加えて、モバイル端末１００はタッチ表示２００を有する。ユーザは、タッチ表示２００上で様々なタッチ動作を実施することによって制御命令を入力し得る。タッチ動作は、１つまたは複数の指２０２またはスタイラスを使用することによって対応するエリアをタッチして、指示されたオブジェクトを制御することを含む。タッチは、ワンタイムのタッピング、複数回の継続的タッピング、またはタッチ表示２００上に存続してスライドすること（左から右へ、右から左へ、上方／下方に、円を描くなど）を含み得る。たとえば、ユーザの指がタッチ表示２００上に残り、スライドするとき、モバイル端末１００は、現在のページをスライディング方向に平行移動させる処理をタッチ表示２００上に提示する。タッチ表示２００は、ユーザと対話するために使用されるユーザインターフェースを表示するように構成され、ユーザインターフェースを直観的な様式で提示することができ、動作させ易い様式でユーザとの対話を提示することができる。
【００７４】
ユーザインターフェースが使用され、単一レイヤにおいてまたは複数のレイヤにおいて１つまたは複数のページを提示する。ユーザインターフェースは、複数のタイプの対話フレームワークを使用することによって提示され得る。図４（ａ）および図４（ｂ）を参照すると、たとえば、ユーザインターフェース３００は、フレームワークをラベル形式で使用することによって提示される。ユーザがいずれかのラベル３０１を選択するとき、ユーザインターフェース３００は、そのラベルに対応するページ、すなわち、ラベル３０１に対応するページ３０２にジャンプする。図４（ｃ）および図４（ｄ）に示されるように、ユーザインターフェース３００は、引き出し形式でさらに提示されることが可能である。ユーザが引き出し形式の拡張アイコン３０３をタップするとき、ナビゲーションのために使用される隠れたページ３０５がユーザインターフェース内に拡張される（タップされるとき、ユーザインターフェース内にサブインターフェース３０５が表示され、現在のインターフェース３０４のすべてまたは一部分をカバーし得る）。ページ３０５は、別のページを入力するためのエントリを含むページである。同様に、図４（ｅ）に示されるように、ユーザインターフェース３００は、ドット収集（dot-gathering）形式で提示される。すなわち、サブインターフェースを入力するために使用されるアイコンは、特定のアイコン（ドットアイコンなど）の中に隠されている。ユーザがアイコンをタップするとき、ページを入力するために使用される、隠されたアイコンは、そのアイコンの周囲に拡張される。ユーザインターフェース３００は、図４（ｆ）および図４（ｇ）に示されたリスト形式で、図４（ｈ）および図（ｉ）に示されたスプリングボード形式で、図４（ｊ）および図４（ｋ）に示された展覧会ギャラリー形式で、または図４（ｌ）および図４（ｍ）に示されたウォーターフォール形式でフレームワークを使用することによってさらに提示されることが可能である。ユーザは、ユーザインターフェース３００内のリスト３０６、アイコン３０７、またはサムネイル３０８をタップして、詳細ページ（図示せず）にジャンプし、閲覧することができる。加えて、ユーザインターフェース３００は、図４（ｎ）および図４（ｏ）に示された交替形式でフレームワークを使用することによってさらに提示されることが可能である。ユーザは、タッチ表示上でスライド動作（たとえば、左から右にスライドする、または右から左にスライドする）を実施して、異なるページ３１０に交替することができる。現在のスクリーン識別子３０９は、現在のページ３１０のシーケンス番号またはロケーションをユーザに通知する。いくつかの実施形態では、対話フレームワークは、複数のレイヤにおいてページを有し得る。前述の実施形態において各ページ内に提示されるフレームワークは、下位レイヤにおいてページを継続的に有することが可能であり、下位レイヤにおけるページの実装は限定されない。
【００７５】
図４（ｂ）、図４（ｄ）、図４（ｅ）、図４（ｇ）、図４（ｉ）、図４（ｋ）、図４（ｍ）、および図４（ｏ）は、特定のアプリケーションシナリオの概略図であり、前述の説明の理解を促進する。しかしながら、図における特定のシナリオおよび特性は、図に示された特定のシナリオおよび特性に限定されない。
【００７６】
いくつかの実施形態では、ページ全体またはタッチ表示２００上に直接見られるページの一部分は、モバイル端末１００のタッチ表示２００上に提示され得る。各ページは、複数のタイプのグラフを含み得る。グラフは、文字、表、画像、動画、ビデオ、およびオーディオなどの提示要素を含み得る。グラフは、電子文書、項目リスト、サムネイル、デジタル画像、アプリケーションアイコンなどであり得る。
【００７７】
いくつかの実施形態では、タッチ表示２００は、グラフの一部分のみをページ内に表示し、ユーザの動作活動を検出し、動作活動の移動に従って、ページを平行移動させる処理を対応して表示し、たとえば、項目リストをスクローリング様式で表示し、電子文書を平行移動様式で表示し、またはマルチスクリーン切替えを交替様式で表示する。動作活動の移動は、加速、速度、方向、変位などを含む。ページを平行移動させる処理では、動作活動の移動に従って、対応する方向、対応する平行移動レート、および対応する加速度が判定され得る。
【００７８】
いくつかの実施形態では、図５（ａ）から図５（ｃ）を参照すると、モバイル端末１００のタッチ表示２００は、ページ３００の一部分を提示し、ページ３００は、特定の瞬間にタッチ表示２００上に表示されるグラフ４００（ａ）と、その瞬間にタッチ表示２００上に表示されないグラフ４００（ｂ）とを含む複数のグラフ４００を有する。ユーザは、タッチ表示２００上でスライド動作を実施して、ページ３００のエリアの一部分またはエリア全体を表示することができる。図５（ｂ）に示されるように、ページ３００は、指の活動に従って上方に平行移動され、他の部分が表示される。ユーザが下部から上部に複数回のスライド動作を継続的に実施した場合、ページ２００は上方に平行移動され、ページ２００の下部ページ境界に達する。いくつかの実施形態では、図５（ｄ）に示されたタッチ表示２００およびページ３００に関して、ユーザはタッチ表示２００上で左方向／右方向にスライドして、それに応じてページ２００を左方向および右方向に移動させることによって、ページ２００を移動可能に表示する。いくつかの実施形態では、図５（ｅ）に示されたタッチ表示２００およびページ３００に関して、ユーザはタッチ表示２００上で左方向／右方向または上方／下方にスライドして、それに応じてページ２００を移動させることによって、ページ２００を移動可能に表示し得る。
【００７９】
いくつかの実施形態では、スライド動作のレート、振幅、方向、および加速度の変更に従って、モバイル端末１００がページ３００を平行移動させるとき、対応する移動変更もやはり生じる。ページ３００の平行移動加速度は、摩擦モデルに従って、すなわち、ダンピング移動をシミュレートする様式で判定され得る。ページ３００内のコンテンツは、文字、画像、ビデオ、またはオーディオのうちのいずれか１つまたはいずれかの組合せを含み得る。ページ３００内のいずれかのコンテンツは、別のページにジャンプするハイパーリンク属性を有し得る。
【００８０】
いくつかの実施形態では、ページは、摩擦移動をシミュレートする様式で平行移動され得る。
【００８１】
図６は、いくつかの実施形態による、ページを平行移動させるための方法のフローチャートである。この方法は、現在ページ境界に達していることをユーザに通知するための方法を提供する。
【００８２】
初めに、ステップＳ１０１において、ユーザの動作活動が検出される。いくつかの実施形態では、検出処理は、モバイル端末１００によってリアルタイムで継続的に実施される。
【００８３】
入力信号を取得した後で、モバイル端末１００の入力装置は、入力信号をプロセッサ１８０に送る。プロセッサ１８０は、入力信号を処理して、入力信号からユーザの動作活動を検出する。いくつかの実施形態では、検出方法は、以下の方法のうちのいずれか１つまたはいずれかの組合せであり得る。
【００８４】
（１）タッチ表示は、タッチ信号を取得し、タッチ信号をプロセッサに送る。プロセッサは、タッチ信号から、プリセット条件を満たすタッチ活動を検出する。いくつかの実施形態では、タッチ活動は、ユーザの指またはスタイラスを使用することによって、タッチ表示上で実施される移動である。
【００８５】
（２）物理ボタンは、加圧信号を取得し、加圧信号をプロセッサに送る。プロセッサは、１つまたは複数の加圧信号から、プリセット条件を満たす加圧入力を検出して、加圧命令を検出する。
【００８６】
（３）マイクロフォンは、オーディオ信号を取得し、オーディオ信号をプロセッサに送る。プロセッサは、音声認識を実施し、オーディオ信号を分析して、音声命令を検出する。
【００８７】
（４）カメラは、ビデオ信号を取得し、ビデオ信号をプロセッサに送る。プロセッサは、画像認識を実施し、ビデオ信号を分析して、ジェスチャ活動、身体活動、および眼球活動を検出する。
【００８８】
（５）加えて、脳波取得手段は、ユーザの脳波信号を直接取得し、脳波信号をプロセッサに送る。プロセッサは、脳波信号を分析して、ユーザの精神的な命令を検出する。
【００８９】
次いで、ステップＳ１０２で、動作活動が検出されることに応答して、ページが表示装置上に第１の方向に移動可能に表示され、ページは１つまたは複数のグラフを含み、１つまたは複数のグラフは初期形式で表示される。
【００９０】
いくつかの実施形態では、各ページは１つまたは複数のグラフを含むことがあり、複数のグラフは複数のタイプのグラフであり得る。グラフは、文字、表、画像、動画、ビデオ、およびオーディオなどの要素を含み得る。グラフは、電子文書、文字、項目リスト、デジタル画像、アイコン、動画、ビデオなどであり得る。いくつかの実施形態では、グラフはショートメッセージリストである。いくつかの実施形態では、グラフは、さらなる他のリスト、たとえば、電子メールメッセージリスト、連絡先リスト、第３者のインスタントメッセージングメッセージのリスト、フォルダリスト、メモリスト、アルバム名リスト、金融手形リスト、ウェブブラウジングメッセージリスト、システム設定項目リスト、文書リスト、またはブックマークリストであり得る。いくつかの実施形態では、電子文書は、文字、表、画像、動画、ビデオ、およびオーディオなどの提示要素を含む文書、たとえば、文字文書、提示文書、電子メール、電子スプレッドシート、またはウェブページであり得る。サムネイルは、ギャラリーサムネイル、アプリケーションエントリサムネイルなどであり得る。アイコンは、アプリケーションアイコン、カテゴリーアイコンなどであり得る。
【００９１】
いくつかの実施形態では、第１の方向は、ページがタッチ表示２００上で移動された方向であり、垂直方向、水平方向、および斜め方向であり得る。第１の方向は、動作活動の方向に対応しているが、動作方向の方向と同じでないことがある。たとえば、ユーザがタッチ表示を垂直方向にスライドするとき、対応する第１の方向は垂直方向である。いくつかの実施形態では、タッチ表示上のユーザのスライディング方向と垂直方向との間に含まれた角度が斜角度範囲未満である（限定の代わりに一例として、３０°未満である）場合、ユーザのタッチ活動のスライディング方向が検出され得、投写原理に従って垂直方向に投写され得、ページは、投写の後で取得された垂直方向に平行移動される。
【００９２】
いくつかの実施形態では、ユーザジェスチャを認識するための制御様式の場合、ユーザによって空中で実施されるジェスチャ活動が垂直方向にスライドするとき、タッチ表示２００上の対応する第１の方向は垂直方向である。
【００９３】
いくつかの実施形態では、ページ境界に達する前に、ページの移動レートはユーザの動作活動の移動レートに対応し得、その結果、ユーザの動作体験は現実により近づけられる。いくつかの実施形態では、ユーザの指がタッチ表示上を特定の速度でスライドするとき、ページは対応する移動レートで転移されるように駆動される。次いで、ユーザの指がタッチ表示を突然離れた場合、移動が停止されるまで、ページは、摩擦移動の原理に従って宣言様式で移動され得る。
【００９４】
この場合、初期形式は、グラフが通常表示されるときの、グラフの色、形状、サイズ、および透過性などの形式である。
【００９５】
次いで、モバイル端末は、表示されたページが第１の方向に移動されたとき、ページ境界に達したかどうか、すなわち、ページの終点に達したかどうかを判定するステップ、およびページ境界に達した場合、この場合、対応する動作活動が依然として検出される場合、複数のグラフのうち、境界に隣接している少なくとも１つのグラフの変更形式を表示するステップであって、グラフの変更形式が初期形式とは異なる、表示するステップであるステップＳ１０３を実施する。
【００９６】
いくつかの実施形態では、ページが第１の方向に移動されたときにページ境界に達したという事実、および動作活動が依然として検出されることに応答して、モバイル端末１００は、警告音をさらに再生し得る。ユーザは、警告音を再生することによってさらにプロンプトされる。
【００９７】
いくつかの実施形態では、モバイル端末１００は、ページ３００が移動されたときにページ境界に達したかどうかをリアルタイムで検出し得る。
【００９８】
検出からモバイル端末１００の応答まで特定の処理持続時間が存在する。いくつかの実施形態では、モバイル端末１００は、ページ３００が移動されたときにページ境界に達したことが検出されるときに応答を行うように設定され得る。
【００９９】
たとえば、モバイル端末１００が、ページが表示エリアの境界に移動されたことを検出し、表示エリアの境界とページに対応するページ境界との間の距離が、距離しきい値未満であり（たとえば、距離しきい値は、限定はされないが、２ミリメートルであり）、動作活動が依然として現在存在することを判定するとき、モバイル端末１００は、複数のグラフのうち、境界に隣接している少なくとも１つのグラフの変更形式を表示する。
【０１００】
別の例では、ページのページ境界およびタッチ表示２００の表示エリアの境界が重複することが予測される時間が、ページの移動速度および加速度、ならびに表示エリアの境界とページに対応するページ境界との間の距離に従って計算される。予測される重複時間が時間しきい値（たとえば、時間しきい値は、限定はされないが、０．１秒である）未満であるとき、動作活動が依然として現在存在することが判定され、複数のグラフのうち、境界に隣接している少なくとも１つのグラフの変更形式が表示される。
【０１０１】
いくつかの実施形態では、モバイル端末１００が、ページ３００が移動されたときにページ境界に達したことを検出し、動作活動の持続時間が特定のしきい値を超えることを検出した（限定の代わりに一例として、ページ３００が移動されたときにページ境界に達した後で、ユーザによって実施される継続的なスライディングの持続時間が０．１秒を超えることが検出された、またはユーザによって実施される継続的なスライディングの距離が２ミリメートルを超えることが検出された）後で、モバイル端末１００は、代替として、複数のグラフのうち、境界に隣接している少なくとも１つのグラフの変更形式を表示し得る。
【０１０２】
ページ境界に達していることに事前に応答するか、またはページ境界に達していることに後で応答する前述の様式において、モバイル端末１００は、よりフレキシブルな様式でユーザにプロンプトし、ユーザの使用習慣に従って、より頻繁にユーザと対話することができる。モバイル端末１００が応答した後で、複数のグラフのうち、境界に隣接している少なくとも１つのグラフの変更形態を表示する表示様式に関しては、本明細書の実施形態を参照されたい。
【０１０３】
図５（ａ）から図５（ｃ）を参照すると、タッチ表示２００は、ページ３００のすべてまたは一部分を表示する。モバイル端末１００が、ユーザの指が第１の方向に移動するという動作活動を検出するとき、ページ３００は第１の方向に対応する方向に移動される。図５（ｃ）に示されるように、モバイル端末１００がページ境界およびタッチ表示２００の表示エリアの境界が重複することを検出するとき、モバイル端末１００は、表示されたページが現在移動されているとき、ページ境界に達したことを判定する。たとえば、図５（ａ）に示されるように、ユーザの指はタッチ表示２００上で下部から上部に、または下部から上部にスライドする。指が上部から下部に移動し（すなわち、第１の方向がタッチ表示２００に沿った下方移動方向であり）、ページ４００の上部ページ境界に達したとき、ページ４００の上部ページ境界に隣接しているいくつかの第１のグラフ４００ｃの形式は変更され、グラフの変更形式が表示される。
【０１０４】
さらに、移動ページに関して、判定が事前に実施され、ページの境界に達したときに適時に応答し得る。詳細には、いくつかの実施形態では、判定方法は、モバイル端末によって、ページの現在の移動方向、移動速度、および移動加速度、ならびにタッチ表示の表示境界を判定するステップと、移動方向に従って、達することが予想されるページの境界を判定するステップと、移動速度および移動加速度に従って、境界に達することになる予想時間を推定するステップと、予測される時間が到着したとき、ページの境界およびタッチ表示２００の表示エリアの境界が重複するかどうかを検出するステップと、ページの境界およびタッチ表示２００の表示エリアの境界が重複する場合、表示されたページの境界に達したことを判定するステップとをさらに含み得る。この期間の間、ページの移動方向、移動速度、および移動加速度のうちのいずれかが変更された場合、計算が再度実施される。
【０１０５】
いくつかの実施形態では、グラフの変更形式は、以下の変更のうちのいずれか１つまたはいずれかの組合せを含む：形状変更、サイズ変更、透過性変更、または色変更。たとえば、グラフ（アイコン、文字、サムネイル、またはリストなど）がより大きくまたはより小さくなり、グラフは長方形から台形に漸進的に変更され、次いで、三角形に漸進的に変更され、グラフの透過性が漸進的により高まるか、またはグラフの色がマルチカラーからグレイに漸進的に変更される。
【０１０６】
グラフの形状変更またはサイズ変更は、グラフの形状およびサイズの変更であり、グラフのエリアの一部分が表示装置の表示エリアの外に移動され、残りのエリアが表示装置の表示エリア上に表示される場合は、グラフの形式またはサイズの変更に属さないことに留意されたい。
【０１０７】
いくつかの実施形態では、境界に隣接しているグラフは、境界に最も近いグラフもしくはグラフの行であり得るか、または境界から開始して最後のいくつかのグラフもしくは最後のいくつかの行であり得る。たとえば、項目リストは、第１の行、最後の行、第１の列、および最後の列を有する。境界に隣接しているグラフは、第１の行、最後の行、第１の列、または最後の列の中にあり得る。境界にあるまたは境界に隣接しているグラフは、第１の行から第３の行の中のグラフ、最後の行から最後から３番目の行までの中のグラフ、第１の列から第３の列の中のグラフ、または最後の列から最後から３番目の列の中のグラフであり得る。当然、当業者は、第１の行または第３の行は説明のための一例に過ぎないことを理解されよう。隣接しているグラフの特定の量は、実際のシナリオに従って詳細に設定されることがあり、本明細書で限定されない。
【０１０８】
境界に隣接しているグラフに加えて、ページは、境界に隣接していない１つまたは複数のグラフをさらに含み得る。境界に隣接していない１つまたは複数のグラフは、最初から終わりまで初期形式で表示され、形式は変更されない。
【０１０９】
ページ内の境界に隣接しているグラフの変更形式は、様々な好ましい様式で表示され得る。たとえば、グラフが直接変更された後に取得された形式が表示され、初期形式の代わりに、変更の後に取得された形式が表示される。代替として、初期形式から漸進的に変化する動的に変更された形式が変更段階において表示される。
【０１１０】
いくつかの実施形態では、変更形式は、初期形式が直接ジャンプして変更される変更形式であり得、初期形式が変更形式にジャンプした後で、動作活動が継続的に実施されていることが検出されるとき、グラフの変更形式が静的な様式で表示される。たとえば、ページが第１の方向に移動されたときに境界に達し、ユーザの指を使用することによってタッチ表示上で実施されたタッチ活動が検出されるとき、ページ内で境界に隣接している、初期サイズのものであるアイコンを表示することは、初期サイズのアイコンがズームアウトした後に取得されたアイコンを表示することに直接切り替わり、ユーザがタッチ活動を終了するまで、初期サイズのアイコンがズームアウトした後に取得されたアイコンが表示される。別の例の場合、ページが第１の方向に移動されたときに境界に達し、動作活動が検出されるとき、ページ内の境界に隣接している四角形アイコンを表示することは、三角形アイコンを表示することに直接切り替わり、ユーザがタッチ活動を終了するまで、三角形アイコンが表示される。
【０１１１】
いくつかの実施形態では、変更形式は、初期形式から漸進的に動的に変化し得る。すなわち、動作活動が継続的に実施されていることが検出されるとき、ページ内の境界に隣接している少なくとも１つのグラフのものであり、動的に変化する変更形式が表示され、動作活動の活動範囲がより大きい場合、初期形式から変更形式への形式変更はより大きく、すなわち、変更形式は初期形式とより異なって見える。たとえば、ページが第１の方向に移動されたときに境界に達し、ユーザの指を使用することによってタッチ表示上で実施されたタッチ活動が検出された時間から開始して、ページ内の境界に隣接するアイコンが初期サイズから直接漸進的にズームアウトされる動的変更が表示され、タッチ活動の移動範囲がより大きい場合、アイコンのサイズはより小さい。タッチ活動の移動範囲は本明細書において第１の方向の移動範囲を条件とし、すなわち、タッチ活動のものであり、第１の方向にある移動距離がより大きい場合、タッチ活動の移動範囲はより大きい。
【０１１２】
いくつかの実施形態では、変更形式は、動作活動が指定された範囲を超えないとき、初期形式から漸進的に動的に変化し得る。しかしながら、動作活動が特定の範囲を超える場合、変更形式は漸進的に変更されない。すなわち、動作活動が継続的に実施されていることが検出されるとき、ページ内の境界に隣接している少なくとも１つのグラフのものであり、動的に変化する変更形式が表示され、動作活動の活動範囲がプリセット範囲内でより大きい場合、グラフの初期形式から変更形式への形式変更はより大きく、すなわち、変更形式は初期形式とより異なって見える。動作活動の活動範囲がプリセット範囲を超えるとき、グラフの静的変更形式が表示される。たとえば、ページが第１の方向に移動されたときに境界に達し、ユーザの指を使用することによってタッチ表示上で実施されたタッチ活動が検出された時間から開始して、ページ内の境界に隣接するアイコンが初期サイズから直接漸進的にズームアウトされる動的変更が表示され、タッチ活動の移動範囲がより大きい場合、アイコンのサイズはより小さい。タッチ活動の移動範囲がプリセット範囲を超えるとき、アイコンのサイズは、移動範囲がプリセット範囲に達したときに取得されたサイズに保持され、もはや低減されない。タッチ活動の移動範囲は本明細書において第１の方向の移動範囲を条件とし、すなわち、タッチ活動のものであり、第１の方向にある移動距離がより大きい場合、タッチ活動の移動範囲はより大きい。
【０１１３】
いくつかの実施形態では、境界に達したとき、グラフのサイズ変更またはグラフの変更を変換することによってグラフの変更形式が提示され得、特定のステップは以下を含む。Ａ１．ページ内の達した境界に隣接する少なくとも１つのグラフを判定し、境界に隣接する少なくとも１つのグラフの各画素のものである、タッチ表示上のロケーション座標を取得する。Ｂ１．サイズ変更規則に従って、各画素の座標の変換パラメータを判定する。Ｃ１．変換パラメータに従って、各画素の新しいロケーション座標を判定する。Ｄ１．画素の新しいロケーション座標においてグラフの各画素を再度描写および表示し、変更形式を表示する。
【０１１４】
いくつかの実施形態では、形状変更を使用することによってグラフの変更形式が提示される場合、形状変更は、テーラリング様式でさらに表示され得、特定のステップは以下を含む。Ａ２．ページ内の達した境界に隣接する少なくとも１つのグラフを判定し、境界に隣接する少なくとも１つのグラフの各画素のものである、タッチ表示上のロケーション座標を取得する。Ｂ２．サイズ変更規則に従って変更された形状を判定し、削除されることになる画素、および変更に先立つ形状と変更された形状との間の対応に従って予約されることになる各画素の座標の変換パラメータを判定し、すなわち、グラフの初期形式をテーラリングする。Ｃ２．変換パラメータに従って、予約されることになる各画素の新しいロケーション座標を判定する。Ｄ２．予約された画素の新しいロケーション座標において予約された画素を再度描写および表示し、変更形式を表示する。
【０１１５】
いくつかの実施形態では、境界に達したとき、透過性またはグレイスケール変更を使用することによって、グラフの変更形式が提示され得る。詳細には、変換パラメータは、透過性またはグレイスケール変更規則に従って判定され、変換パラメータに従って、変更された透過性または変更されたグレイスケールが判定され、変更された透過性またはグレイスケールに従って、グラフが再度描写および表示されて、変更形式を表示する。
【０１１６】
いくつかの実施形態では、ステップＳ１３において、タッチ表示２００上に表示されたページ内の境界に隣接しているグラフ内で、グラフが第１の方向でページ境界により近い場合、グラフの初期形式からグラフの変更形式までの形式変更はより大きい。
【０１１７】
いくつかの実施形態では、変換パラメータは、定数であり得るか、または変数であり得る。変数は、ユーザの動作活動の変位Ｄ、もしくはページ境界までのランキングの後で取得された各グラフのランクＮに関係し得るか、または直接ジャンプして変更形式を表示するか、もしくはユーザの動作活動の振幅に従って、漸進的に変更される変更形式およびページ境界から開始する複数のグラフの段階的変更のパターンを表示するように、変位とランクの両方に関係し得る。
【０１１８】
そのサイズが低減されたグラフの変更形状を表示する様式の場合、各画素の座標の変換パラメータＰａｒａｍｅｔｅｒは、グラフのサイズのズームアウト比率Ｉｔｅｍに関係し、すなわち、Ｐａｒａｍｅｔｅｒ＝Ｆ（Ｉｔｅｍ）である。
【０１１９】
特定のシナリオのいくつかの実施形態では、各グラフのサイズに対するズームアウトＩｔｅｍＮの場合、ＩｔｅｍＮ＝Ｓ（（Ｎ−１）×Ｄ）であり、式中、Ｎは、ページ境界からのランキングの後に取得されたランクであり、Ｄは、隣接しているランクのグラフ同士の間の段階的変更比率であり、Ｓは、ページ境界からのランキングの後に取得された第１のグラフまたはグラフの第１の行のズームアウト比率である。たとえば、ページ境界からのランキングの後で取得された第１のグラフのズームアウト比率が０．２である場合、隣接しているランクのグラフ同士の間の段階的変更比率は０．２であり、ページ境界に隣接している４つのグラフのズームアウト比率は以下の通りである：第１のグラフのズームアウト比率は０．２であり（すなわち、変更形式のサイズは、初期形式のサイズの２０％であり）、第２のグラフのズームアウト比率は０．４であり、第３のグラフのズームアウト比率は０．６であり、第４のグラフのズームアウト比率は０．８である。
【０１２０】
この方法はステップＳ１０４をさらに含み得る。ステップＳ１０４で、ステップＳ１０３の後に、動作活動がもはや検出されないことに応答して、モバイル端末は、ページ内にグラフを表示し、これらのグラフは初期形式で表示される。
【０１２１】
いくつかの実施形態では、ユーザの手がタッチ表示２００を離れるとき、モバイル端末１００は、動作活動をもはや検出せず、ページ内のグラフが変更形式から初期形式（すなわち、変更に先立つ初期形式）に復元される処理を表示する。
【０１２２】
いくつかの実施形態では、変更形式から初期形式に復元する様式は、ジャンピング変更、すなわち、変更形式から初期形式への直接更新であり得る。
【０１２３】
いくつかの実施形態では、変更形式から初期形式への復元様式で、変更形式から初期形式にグラフを漸進的に復元することのトゥイーン動画が表示され得、すなわち、変更形式からのグラフの漸進的な復元は、初期形式が表示されるまで、特定の持続時間内で提示される。
【０１２４】
この方法は、ページが第１の方向に移動され、動作活動が依然として検出されるときにページ境界に達することに応答して、ページを継続的に移動させるステップと、ページ境界を超えるエリアを表示するステップであって、エリアがページとは異なる、表示するステップと、動作入力がもはや検出されないことに応答して、エリアがもはや表示されなくなるまで、ページを第１の方向とは反対の第２の方向に移動させるステップとをさらに含む。
【０１２５】
いくつかの実施形態では、モバイル端末１００は、表示された提示様式で、ページ境界を超えるエリアを提示し得る。詳細には、ページが第１の方向に移動されたときにページ境界に達したことに応答して、モバイル端末１００は、短時間の間、ページを移動させることを停止し、動作活動が特定のしきい値にわたって存続することを検出した後で（限定の代わりに一例として、ページ３００が移動されたときにページ境界に達した後で、ユーザが０．１秒を超えて連続的にスライドすることが検出された後で、またはユーザが２ミリメートルを超えて連続的にスライドすることが検出された後で）、ページを継続的に移動させ、ページ境界を超えるエリアを表示する。
【０１２６】
図７（ａ）から図７（ｃ）は、いくつかの実施形態によるスクローリングリストのページの例示的概略図である。いくつかの実施形態では、ＳＭＳメッセージリストがページ内に提示される一例が使用され、詳細な説明を提供する。図７（ａ）に示されるように、初期状態で、ＳＭＳメッセージリスト内のすべてのＳＭＳメッセージのサイズは、基本的に同じであり得る。
【０１２７】
モバイル端末１００が、ユーザの指がタッチ表示上を上方または下方にスライドしていることを検出するとき、スライド動作に従って、ページ内のＳＭＳメッセージリストがページ内に平行移動様式で表示される。
【０１２８】
いくつかの実施形態では、図７（ｂ）に示されるように、モバイル端末１００が、ユーザの指がタッチ表示上を下方にスライドしていることを検出し、ページが下方に平行移動され、ページの上部境界に達したとき、ユーザがタッチ表示上を下方にスライドしていることが依然として検出される場合、ページ内でＳＭＳメッセージリスト１を縦方向に拡大する動画が提示される。すなわち、ページの上部境界に達したとき、ＳＭＳメッセージリスト１の拡大が表示され始め、ユーザの指を使用することによって実施される下方スライディングの距離が長くなるにつれて、表示されるＳＭＳメッセージリスト１は拡大される。いくつかの実施形態では、ユーザの指を使用することによって実施される下方スライディングの距離が長くなる処理において、表示されるＳＭＳメッセージリストは、それに応じて特定のサイズにズームアウトされた後に、もはやズームアウトされないように設定され得る。ユーザが指を解放した後で、ＳＭＳメッセージリスト１は、漸進的にズームインされ、図７（ａ）に示されている初期状態のサイズに復元され、その場合、モーフィングは実施されない。その復元処理の動画は、漸新的な復元を表示する様式、または即時復元（ジャンピング復元）を表示する様式であり得る。
【０１２９】
いくつかの実施形態では、ユーザの指がタッチ表示上で下方にスライドし、ページが下方に平行移動され、ページの上部境界に達したとき、ユーザがタッチ表示上で下方にスライドしていることが依然として検出される場合、図８（ａ）に示されるように、ユーザがスライド動作を継続するにつれて、ページ内でＳＭＳメッセージリスト３、ＳＭＳメッセージリスト２、およびＳＭＳメッセージリスト１をズームアウトする動画が提示される。すなわち、ページの上部境界に達したとき、ＳＭＳメッセージリスト３、ＳＭＳメッセージリスト２、およびＳＭＳメッセージリスト１をズームアウトする処理が表示され始め、ＳＭＳメッセージリスト３からＳＭＳメッセージリスト２へ、次いで、ＳＭＳメッセージリスト１への減少するズームアウトが生じる。加えて、図８（ｂ）に示されるように、ユーザの指を使用することによって実施される下方スライディングの距離が長くなるにつれて、ＳＭＳメッセージリスト３、ＳＭＳメッセージリスト２、およびＳＭＳメッセージリスト１がより小さくなる変更が表示される。ユーザが指を解放した後で、ＳＭＳメッセージリスト３、ＳＭＳメッセージリスト２、ＳＭＳメッセージリスト１のサイズは、図８（ｃ）に示された初期状態（すなわち、モーフィングされていない状態）に復元される。その復元処理の動画は、漸新的な復元を表示する様式、またはジャンピング復元を表示する様式であり得る。いくつかの実施形態では、ページ境界に達し、動作活動が依然として検出されるとき、図８（ａ）に示されたＳＭＳメッセージリストをズームアウトする動画が表示され、加えて、図９（ａ）に示されるように、ページ全体を下方に継続的に移動させることが表示され得、ページ境界を超えるエリア５００が表示され得る。図９（ｂ）に示されるように、ユーザの指を使用することによって実施される下方スライディングの距離が長くなるにつれて、ページ境界を超えるエリア５００はより大きくなる。いくつかの実施形態では、ユーザの指を使用することによって実施される下方スライディングの距離が長くなる処理において、特定のサイズに達した後で、ページ境界を超えるエリア５００はもはやより大きくならないように設定され得る。ページ境界を超えるエリア５００は、ブランクエリアであり得る。ユーザが指を解放した後で、図９（ｃ）に示されるように、ＳＭＳメッセージリストのサイズは、初期状態、すなわち、モーフィングが実施されない初期状態に復元され、同時に、ページ境界がタッチ表示の境界と整合する位置にページ境界が復元され、ページ境界を超えるエリア５００はもはや表示されない。その復元処理の動画は、復元された表示パターンに直接ジャンプする動画、または文書境界を超えるエリア５００がもはや表示されなくなるまで、リザイリング様式で第１の方向の反対方向にページを平行移動して戻す動画であり得る。図９（ｂ）を参照すると、図９（ｄ）は、特定のシナリオのいくつかの実施形態における、ページ境界に達し、ユーザの指がタッチ表示上でスライディングタッチ活動を実施していることが依然として検出されるときの、ユーザインターフェース内のＳＭＳメッセージリストの変更形式の概略図である。
【０１３０】
図１０（ａ）から図１０（ｃ）は、いくつかの実施形態によるスクローリングリストの形式変更の例示的概略図である。いくつかの実施形態では、ユーザの指がタッチ表示上で下方にスライドし、ページが下方に平行移動され、ページの上部境界に達したとき、ユーザがタッチ表示上で下方にスライドしていることが依然として検出される場合、図１０（ｂ）に示されるように、ユーザがスライド動作を継続するにつれて、ページ内でＳＭＳメッセージリスト３、ＳＭＳメッセージリスト２、およびＳＭＳメッセージリスト１の形状変更の動画が提示される。すなわち、ページの上部境界に達したとき、ＳＭＳメッセージリスト３、ＳＭＳメッセージリスト２、およびＳＭＳメッセージリスト１の台形のモーフィングが表示され始め、ＳＭＳメッセージリスト３からＳＭＳメッセージリスト２へ、次いで、ＳＭＳメッセージリスト１への減少するズームアウトが生じる。加えて、図１０（ｃ）に示されるように、ユーザの指を使用することによって実施される下方スライディングの距離が長くなるにつれて、より大きな台形変更およびより小さなサイズのＳＭＳメッセージリスト３、ＳＭＳメッセージリスト２、およびＳＭＳメッセージリスト１が表示され、ＳＭＳメッセージリスト１は三角形にすら変更される。ユーザが指を解放した後で、ＳＭＳメッセージリスト３、ＳＭＳメッセージリスト２、ＳＭＳメッセージリスト１のサイズは、図１０（ａ）に示された初期状態（すなわち、モーフィングされていない状態）に復元される。その復元処理の動画は、漸新的な復元を表示する様式、またはジャンピング復元を表示する様式であり得る。加えて、これらの実施形態では、図９（ａ）から図９（ｃ）に示されたエリア５００を表示する様式がさらに参照され得る。簡潔にするために、詳細は、再度説明されず、参照によって本明細書に組み込まれる。
【０１３１】
図１１（ａ）から図１１（ｆ）は、いくつかの実施形態による、サムネイルが平行移動されるときに生じる形式変更の例示的概略図である。いくつかの実施形態では、ギャラリーのサムネイルがページ内に提示される一例が使用され、詳細な説明を提供する。図１１（ａ）に示されるように、初期状態で、同じタイプのサムネイルのサイズは、基本的に同じであり得る。ユーザの指がタッチ表示上を上方または下方にスライドするとき、スライド動作に従って、ページ内のサムネイルがページ内に平行移動様式で表示される。
【０１３２】
いくつかの実施形態では、図１１（ｂ）に示されるように、ユーザの指がタッチ表示上で下方にスライドし、ページが下方に平行移動され、ページの上部境界に達したとき、ユーザがタッチ表示上で下方にスライドすることが依然として検出される場合、ユーザがスライド動作を継続するにつれて、ページ内の第１の行、第２の行、および第３の行内でサムネイルをズームアウトする動画が提示される。すなわち、ページの上部境界に達したとき、第３の行、第２の行、および第１の行内のサムネイルのズームアウトの処理が表示され始め、第３の行から第２の行へ、次いで、第１の行へのサムネイル内の減少するズームアウトが生じる。次いで、図１１（ｃ）に示されるように、ユーザの指を使用することによって実施される下方スライディングの距離が長くなるにつれて、第３の行、第２の行、および第１の行内により小さいサムネイル（等しい比率でズームアウトされる）が表示される。ユーザが指を解放した後で、第１の行、第２の行、および第３の行内のサムネイルは図１１（ａ）に示される初期状態のサイズで復元される。その復元処理の動画は、漸新的な復元を表現する様式、または即時復元を表示する様式であり得る。
【０１３３】
いくつかの実施形態では、図１１（ｅ）に示されるように、ユーザの指がタッチ表示上で下方にスライドし、ページが下方に平行移動され、ページの上部境界に達したとき、ユーザがタッチ表示上で下方にスライドしていることが依然として検出される場合、ユーザがスライド動作を継続するにつれて、ページ内の第１の行、第２の行、および第３の行内でサムネイルの透過性のトゥイーン動画が提示される。すなわち、ページの上部境界に達したとき、第３の行、第２の行、および第１の行内のサムネイルの透過性の漸進的変更が表示され始め、サムネイルの透過性は、第３の行から第２の行へ、次いで、第１の行へ漸進的に高まる。加えて、ユーザの指を使用することによって実施される下方スライディングの距離が長くなるにつれて、第３の行、第２の行、および第１の行内のサムネイルの透過性は等しい比率で高まる。
【０１３４】
いくつかの実施形態では、第１の行、第２の行、および第３の行内のサムネイルのズームアウト比率は、以下の式に従うことがある。
【０１３５】
ＩｔｅｍＮ＝Ｓ＋（Ｎ−１）×Ｄ）、式中、Ｓは、ズームアウト比率であり、Ｄは、サムネイルのすべての行同士の間の減少比率であり、ＩｔｅｍＮは、サムネイルの第Ｎ番目の行のズームアウト比率を表す。ズームアウト比率Ｓは、ユーザのスライディング距離の変更とともに変化し得る。ユーザのスライディング距離が長くなるとき、ズームアウト比率はより小さい。
【０１３６】
いくつかの実施形態では、ページ全体を下方に継続的に移動させることがさらに表示されることがあり、ページ境界を超えるエリアが表示されることがある。表示様式に関しては、図９（ａ）から図９（ｃ）に示される実施形態を参照されたく、詳細については再度説明されない。ユーザが指を解放した後で、第１の行、第２の行、および第３の行内のサムネイルは、モーフィングが実施されない初期状態のサイズに復元される。その復元処理の動画は、漸新的な復元を表示する様式、または即時復元を表示する様式であり得る。図１１（ｂ）を参照すると、図１１（ｄ）は、特定のシナリオのいくつかの実施形態における、ページ境界に達し、ユーザの指がタッチ表示上でスライディングタッチ活動を実施していることが依然として検出されるときの、ユーザインターフェース内のサムネイルの変更形式の概略図である。
【０１３７】
加えて、これらの実施形態では、図９（ａ）から図９（ｃ）に示されたエリア５００を表示する様式がさらに参照され得る。簡潔にするために、詳細は、再度説明されず、参照によって本明細書に組み込まれる。図１１（ｅ）は、特定のシナリオのいくつかの実施形態における、ページ境界に達し、ユーザの指がタッチ表示上でスライディングタッチ活動を実施していることが依然として検出されるときの、ページを超えるエリア、およびユーザインターフェース内のサムネイルの変更形式の概略図である。
【０１３８】
図１１（ｆ）に示されるように、特定のシナリオのいくつかの実施形態では、ページが第１の方向に移動されたときにページ境界に達し、動作活動が依然として検出される場合、ページ内の境界に隣接している少なくとも１つのグラフの透過性の漸進的な変更が表示され、変更形式を表示し、ユーザによって容易に認知される様式で、ページの境界に達したことを通知する。
【０１３９】
いくつかの実施形態では、グラフの色変更、たとえば、マルチカラーグラフからグレイグラフへの漸進的な変更（図示せず）を使用することによって変更形式を表示する様式で、ユーザによって容易に認知される様式でページの境界を通知する目的が達成されることもある。
【０１４０】
図１２（ａ）および図１２（ｂ）は、いくつかの実施形態による、アイコンが平行移動されるときに生じる形式変更の例示的概略図である。いくつかの実施形態では、デスクトップ上のアプリケーションアイコンがページ内に提示される一例が使用され、詳細な説明を提供する。デスクトップは、複数のスクリーンを有することがあり、各スクリーンは、１つまたは複数のアプリケーションアイコンを有する。図１２（ａ）に示されるように、初期状態で、デスクトップ上のアプリケーションアイコンのサイズは、基本的に同じであり得る。ユーザの指がタッチ表示上を左方向および右方向にスライドするとき、ページは、スライド動作に従って左方向または右方向に移動され、ページが特定の範囲に移動された後で、別のスクリーンに切り替えられる。いくつかの実施形態では、図１２ｂに示されるように、ユーザの指がタッチ表示上で左方向にスライドし、ページがデスクトップの最右スクリーンに達したとき、指がタッチ表示上に右方向にスライドしていることが依然として検出される場合、最後のスクリーン上で右境界に隣接しているいくつかの列内のアプリケーションアイコンをズームアウトする動画が表示される。すなわち、デスクトップの最右スクリーン上で、ユーザの指がタッチ表示上で左方向にスライドするとき、右境界に隣接しているいくつかの列内に表示されたアプリケーションアイコンは、右境界を指示する方向に減少してズームアウトされ、ユーザの指が左方向に継続的にスライドするにつれて、いくつかの列内に表示されたアプリケーションアイコンは比例的に小さくなる。いくつかの実施形態では、図１２（ｃ）に示されるように、ページ全体を左方向に継続的に移動させることがさらに表示されることがあり、ページ境界を超えるエリアが表示される。ユーザが指を解放した後で、列内にあり、比例的にズームアウトされるアプリケーションアイコンは、図１２（ａ）に示されている初期状態のサイズに復元され、その場合、モーフィングは実施されない。
【０１４１】
図１３（ａ）から図１３（ｃ）は、いくつかの実施形態による、サムネイルが平行移動されるときに生じる形式変更の例示的概略図である。いくつかの実施形態では、図１３（ａ）に示されるように、複数の形状およびサイズのサムネイルがユーザインターフェース内に表示され得る。ユーザの指がタッチ表示上で下方にスライドし、ページが下方に平行移動され、ページの上部境界に達したとき、ユーザがタッチ表示上で下方にスライドしていることが依然として検出される場合、ユーザがスライド動作を継続するにつれて、ページ内のサムネイル１、サムネイル２、およびサムネイル３をズームアウトする動画が提示される。すなわち、ページの上部境界に達したとき、サムネイル１、サムネイル２、およびサムネイル３をズームアウトする処理が表示され始める。いくつかの実施形態では、サムネイル１、サムネイル２、およびサムネイル３のズームアウト比率は、以下の式に従うことがある。ＩｔｅｍＮ＝（Ｓ＋（Ｎ−１）×Ｄ）であり、式中、Ｓは、ズームアウト比率であり、Ｄは、すべてのサムネイル同士の間の減少比率であり、ＩｔｅｍＮは、サムネイルＮのズームアウト比率を表す。ズームアウト比率Ｓは、ユーザのスライディング距離の変更とともに変化し得る。ユーザのスライディング距離が長くなるとき、ズームアウト比率はより小さい。すなわち、図１３ｂから図１３（ｃ）までの変更処理が表示される。図１３ｂを参照すると、図１３（ｄ）は、特定のシナリオのいくつかの実施形態において、ページ境界に達し、ユーザの指がタッチ表示上でスライディングタッチ活動を実施していることが依然として検出されるときの、ユーザインターフェース内のサムネイルの変更形式の概略図である。
【０１４２】
図１４（ａ）から図１４（ｃ）は、特定のシナリオのいくつかの実施形態による、サムネイルが左方向に平行移動されるときに生じる形式変更の例示的概略図である。図１４（ａ）に示されるように、ユーザの指がタッチ表示上で左方向にスライドし、ページが左方向に平行移動され、ページの右境界に達したとき、ユーザがタッチ表示上で左方向にスライドしていることが依然として検出される場合、ユーザがスライド動作を継続するにつれて、図８（ａ）および図８ｂに示されたのと同様に、ページ内のサムネイルをズームアウトする動画が表示される。図１４ｂに示されるように、対応して、図９（ａ）および図９ｂに示されたのと同様に、ページを超えるエリア５００およびページ内のサムネイルをズームアウトする動画が表示される。図１４（ｃ）に示されるように、図１１（ｆ）に示されたのと同様に、ページ内のサムネイルの透過性のトゥイーン動画が表示される。詳細についてはここで再度説明されない。
【０１４３】
図１５（ａ）から図１５（ｃ）は、いくつかの実施形態による、サムネイルが平行移動されるときに生じる形式変更の例示的概略図である。図１５（ａ）に示されるように、初期状態で、サムネイルのサイズは異なり得る。ユーザの指がタッチ表示上で左方向にスライドし、ページが下方に平行移動され、ページの右境界に達したとき、ユーザがタッチ表示上で下方にスライドしていることが依然として検出される場合、ユーザがスライド動作を継続するにつれて、図１５（ｂ）に示されるように、ページ内のサムネイル２およびサムネイルＮの境界のモーフィングが表示され、境界は長方形境界からアーク形状の境界に漸進的に変更される。左方向スライディングの距離が長くなるにつれて、図１５（ｂ）から図１５（ｃ）にアーク形状のモーフィングがより明らかになる。ユーザが指を解放した後で、サムネイルは、図１５（ａ）に示されている初期状態のサイズに復元され、その場合、モーフィングは実施されない。その復元処理の動画は、漸新的な復元を表示する様式、またはジャンピング復元を表示する様式であり得る。
【０１４４】
図１５（ｄ）から図１５（ｆ）は、いくつかの実施形態による、文字が平行移動されるときに生じる形式変更の例示的概略図である。たとえば、ページは文字ウェブページであり得る。図１５（ｄ）に示されるように、初期状態で、ページ内の文字のサイズは異なり得る。ユーザの指がタッチ表示上で上方にスライドし、ページが上方に平行移動され、ページの下部境界に達したとき、ユーザがタッチ表示上で上方にスライドしていることが依然として検出される場合、ユーザがスライド動作を継続するにつれて、図１５（ｅ）に示されるように、ページの下部において文字の最後の行（ＡＡＡＡ．．．など）のモーフィングが表示され、フォントサイズは漸進的に小さくなる。上方スライディングの距離が長くなるにつれて、図１５（ｅ）から図１５（ｆ）に、フォントサイズを低減させるモーフィングがより明らかになる。ユーザが指を解放した後で、文字は、図１５（ｄ）に示されている初期状態のサイズに復元され、その場合、モーフィングは実施されない。その復元処理の動画は、漸新的な復元を表示する様式、またはジャンピング復元を表示する様式であり得る。
【０１４５】
いくつかの実施形態では、この方法はステップＳ１０５およびＳ１０６をさらに含む。ステップＳ１０５で、動作活動がもはや検出されないという事実に応答して、表示されたページは、ダンピング移動に続いて宣言様式で第１の方向に継続的に移動される。ステップＳ１０４で、移動速度がゼロに低減されないという事実、およびページが第１の方向に移動されたときにページ境界に達したことに応答して、ページ内の境界に隣接している少なくとも１つのグラフの変更形式が表示され、ここで、グラフの変更形式は初期形式とは異なる。
【０１４６】
ユーザの指がタッチ表示２００を離れたとき、タッチ表示２００上にモバイル端末１００によって表示されるページは、即時に停止されないが、ページが停止されるまで、慣性様式で継続的に移動され、（移動速度が徐々に減少される）ダンピング移動様式で宣言する。移動速度がゼロに低減されないとき、モバイル端末１００が、ページのページ境界に達したことを検出した場合、ページ内の境界に隣接している少なくとも１つのグラフの変更形式が表示され始める。
【０１４７】
いくつかの実施形態では、ページの境界に達したことを検出するとき、モバイル端末１００は、境界に達したときに使用されたページの移動速度および慣性加速度に従って、境界に隣接している少なくとも１つのグラフの変更形式のトゥイーン動画の持続時間および変更レートを判定し、境界に隣接している少なくとも１つのグラフの初期形式を復元して表示する。
【０１４８】
図１６は、いくつかの実施形態による、モバイル端末内で走るように構成されることが可能なモジュールの概略図である。モジュールは、入力ユニット１３０と、ページ動作プロンプトエンジン６１０と、オブジェクト制御６２０と、制御インターフェースフレームワーク６３０とを含む。
【０１４９】
いくつかの実施形態では、入力ユニット１３０は、人間とコンピュータの対話のための入力デバイスであり、ユーザの動作活動の入力を取得する。入力ユニット１３０のコンテンツに関しては、図１に示された実施形態における説明を参照されたい。詳細は再度説明されず、参照によって本明細書に組み込まれる。
【０１５０】
ページ動作プロンプトエンジン６１０は、イベント処理ユニット６１１と、動画アルゴリズムユニット６１２と、グラフレンダリングユニット６１３と、イベントコールバック機構ユニット６１４とを含む。イベント処理ユニット６１１は、入力ユニット１３０によって取得された動作活動のイベントをスライディング変位情報（変位距離、レート、方向などを含む）に転換し、フィルタリングおよび平滑化処理を実施する。したがって、スライディングは滑らかで、異なるオペレーティングシステム内で識別可能に表示され、その結果、ユーザ体験は良好である。動画アルゴリズムユニット６１２は、ページ項目のスライディング変位、レート、方向、および高さ情報を含むスライディング変位情報を受信し、ページに関して区分的計算を実施して、実際の物理ページの移動と同様である継続的かつ平滑な移動の影響を達成する。動画アルゴリズムユニット６１２は、スライディング変位情報に従って、ページのロケーション情報を計算し、モーフィングアルゴリズムに従って、表示装置上に表示されたページ内のグラフのズーム情報を計算する。グラフレンダリングユニット６１３は、ページのロケーション情報およびグラフのズーム情報、すなわち、レンダリングアルゴリズムに従って、グラフ影響描写を実行し、描写データを生成し、次いで、制御インターフェースフレームワークを呼び出すことによって、描写データを特定の表示装置に適応して、描写データを表示装置上に表示する。グラフレンダリングユニット６１３は、グラフ信号を処理するための比較的独立した並列処理ユニットであり、独立したスレッドを使用することによって描写を実施して、オペレーティングシステムのネイティブ機能の性能に影響を及ぼすことを回避し、電力消費を低減する。イベントコールバック機構ユニット６１４は、プロセッサ１８０によってフィードバックされた、レンダリングおよびアルゴリズム処理に関する情報を取得し、動画とジェスチャとの間の協調を実装し、ページのロケーション情報およびスライディング変位情報に従って、ページが移動されたときにページ境界に達したかどうかを判定し、モーフィングアルゴリズムおよびレンダリングアルゴリズムを判定して正確な変更形式を生成するように構成される。
【０１５１】
オブジェクト制御６２０は、ページスライディングをサポートするいずれかの制御であり得、オブジェクト制御のアルゴリズムは自動的に適応される。グラフを用いてアルゴリズムに従って抽象化されたページオブジェクトが設定される。ページが境界にスクロールするとき、ページの現在の状態がページから取得される。イベント処理ユニット６１１からの変位情報に従って、手の進捗状況に関する時間または動画モーフィングデータが出力され、グラフレンダリングユニット６１３を使用することによって特定のハードウェアに適応されて、表示システムを動作させる。
【０１５２】
制御インターフェースフレームワーク６３０は、ユーザと対話するように構成された一連のインターフェースと、リフレッシュのためにページ動作プロンプト動画エンジンを呼び出すように構成された一連のインターフェースとを含む。
【０１５３】
１つの実装処理では、イベント処理ユニット６１１は、時間データ、センサーデータ、および検出されるタッチ動作のすべてを、０から１であり、スライディング変位情報を表す進捗値に転換し、次いで、進捗値をプロセッサ１８０に配信する。イベントコールバック機構ユニット６１４は、プロセッサ１８０によってフィードバックされ、レンダリングおよびアルゴリズム処理に関する情報を取得し、その情報をグラフ動画アルゴリズムユニット６１２に配信して動画計算を実施し、その情報をレンダリングユニット６１３に配信してグラフを再度描写する。制御インターフェースフレームワーク６３０は、再度描写されたグラフのデータを表示し、データはオブジェクト制御６２０に送信される。オブジェクト制御６２０は、グラフのページスライディングおよび変更形式を表示する。
【０１５４】
いくつかの実施形態で提供されるシナリオでは、ユーザがページをスライドするとき、入力ユニット１３０は、スライディングイベント（タッチ表示上のスライディングであり得るか、またはジェスチャ認識を使用することによって検出されるユーザの手のひらを振り動かして次のページのビューに切り替えることであり得る）の入力を判定する。
【０１５５】
イベント処理ユニット６１１は、変位情報キューを取得し、開始点から、ユーザによって実施された変位の距離を計算し、次いで、イベントコールバック機構ユニット６１４を使用することによって、ページ境界に達したかどうかを判定する。
【０１５６】
次いで、動画アルゴリズムユニット６１２は、現在のページ内のグラフ（項目）のズーム情報を計算する。式の一例は次の通りである。
【０１５７】
ｉｔｅｍＩｎｄｅｘ＜Ｔｈｒｅａｄｓｈｏｌｄであるとき、Ｓｃａｌｅ（ｉ）＝ｉｔｅｍＩｎｄｅｘ×ｓｃａｌｅＦａｃｔｏｒ×ｉｔｅｍＨｅｉｇｈｔＦａｃｔｏｒである。
【０１５８】
ｉｔｅｍＩｎｄｅｘは、現在のグラフの対応するページ境界からのランキングの後に取得されたロケーションシーケンス番号を表す。たとえば、ページが下方にスライドされ、ページの上部境界に達したとき、上部におけるシーケンス番号は、０であり、下方向では、シーケンス番号は１、２、３．．．である。ページが情報にスライドし、ページの下部境界に達したとき、下部のシーケンス番号は、０であり、上方向では、シーケンス番号は１、２、３．．．である。
【０１５９】
ＳｃａｌｅＦａｃｔｏｒはズーム比率を表す。ｂａｓｅＦａｃｔｏｒは、グラフの初期形式のズーム比率（通常、１に設定される）を表す。Ｎは、隣接しているシーケンス番号に関するズーム比率差である。ＳｃａｌｅＦａｃｔｏｒ＝ｂａｓｅＦａｃｔｏｒ−ｉｔｅｍＩｎｄｅｘ×Ｎである。動画影響は、固定された開始ズーム比率および各低減比率を調整することによって調整され得る。
【０１６０】
ｉｔｅｍＨｅｉｇｈｔＦａｃｔｏｒは、グラフの高さに関するパラメータを表し、グラフの高さが考慮されないときに生じる不連続性を表すことがあり、高さに直接比例する値であり得る。必要とされる最終的な影響に従って、固定比率が具体的に設定される。
【０１６１】
Ｔｈｒｅｓｈｏｌｄは、ページ境界から特定のグラフをランキングした後に取得されたエンドランクを表す。これは影響性能に対する最適化である。たとえば、Ｔｈｒｅｓｈｏｌｄが３に設定されている場合、ページ境界から開始して第３のグラフまでのグラフ（または、第３の行におけるグラフ、or graphs at a third row）のみがズームされて、物理的ロールバック全体の視覚的影響を達成する必要がある。
【０１６２】
アルゴリズム結果Ｓｃａｌｅ（ｉ）は、グラフレンダリングシステム内に独立したスレッドを作成して、グラフ影響描写を実施することによって取得される。アルゴリズムは、以下の疑似コードの形式であり得る。
Ｔｈｒｅａｄ｛
ｌｏｃｋ（ｓｕｒｆａｃｅ）
ｃａｎｖａｓ．ｓｅｔｓｃａｌｅ（ｉ）
ｒｅｌｅａｓｅ（ｓｕｒｆａｃｅ）
｝ｓｔａｒｔ
【０１６３】
イベントは、時間様式でさらに入力され得るか、またはセンサーデータ様式で入力され得る。時間データ様式では、イベントは定期的に実行される。センサーデータ様式では、センサーがデータを感知し、センサーデータが時間条件を満たすときにイベントが実行される。
【０１６４】
図１７は、いくつかの実施形態による、装置７０の概略構造図である。装置７０は、検出モジュール７０１と、移動表示ジュール７０２と、モーフィング表示モジュール７０３とを含む。
【０１６５】
装置は、表示装置を備えたモバイル端末内に配置されることがあり、装置は、ハードウェア、ソフトウェア、またはハードウェアとソフトウェアとを組み合わせた装置であり得る。
【０１６６】
いくつかの実施形態では、ページが第１の方向に移動され、動作活動が依然として検出されるときにページ境界に達することに応答して、装置７０は、第１のグラフの変更形式を表示する。詳細には、検出モジュール７０１は、ユーザの動作活動を検出する。動作活動が検出されることに応答して、移動表示モジュール７０２は、ページを表示装置上に第１の方向に移動可能に表示し、ここで、ページは１つまたは複数のグラフを含み、１つまたは複数のグラフは、表示装置上にグラフの初期形式で表示される。ページが第１の方向に移動され、動作活動が依然として検出されるときにページ境界に達することに応答して、モーフィング表示モジュール７０３は、第１のグラフの変更形式を表示し、ここで、第１のグラフは、表示装置上に表示された１つまたは複数のグラフ内にありページ境界に隣接しているグラフであり、第１のグラフの変更形式は第１のグラフの初期形式とは異なる。
【０１６７】
いくつかの実施形態では、モーフィング表示モジュール７０３は、第１の表示サブユニットを含む。動作活動が継続的に実施されていることを検出することに応答して、第１の表示サブユニットは、第１のグラフのものであり、動的に変化する変更形式を表示し、プリセット範囲内の動作活動のより大きな活動範囲は、第１のグラフの初期形式から第１のグラフの変更形式へのより大きな形式変更をもたらす。加えて、動作活動の活動範囲がプリセット範囲を超えることを検出することに応答して、第１の表示サブユニットは、第１のグラフの静的変更形式を表示する。
【０１６８】
いくつかの実施形態では、モーフィング表示モジュール７０３は、第２の表示サブユニットを含む。動作活動が継続的に実施されていることを検出することに応答して、第２の表示サブユニットは、第１のグラフのものであり、動的に変化する変更形式を表示し、動作活動のより大きな活動範囲は、第１のグラフの初期形式から第１のグラフの変更形式へのより大きな形式変更をもたらす。
【０１６９】
いくつかの実施形態では、装置７０は、復元表示モジュールをさらに含む。復元表示モジュールは、第１のグラフの初期形式が表示されるまで、第１のグラフの変更形式から第１のグラフの初期形式に第１のグラフを漸進的に復元することのトゥイーン動画を表示する。
【０１７０】
いくつかの実施形態では、装置７０は、ページが第１の方向に移動され、動作活動が依然として検出されるときにページ境界に達することに応答して、ページを継続的に移動させ、ページ境界を超えるエリアを表示することであって、エリアがページとは異なる、表示することと、動作入力がもはや検出されないという事実に応答して、エリアがもはや表示されなくなるまで、ページを第１の方向とは反対の第２の方向に移動させることを行うように構成された、エリア表示モジュールをさらに含む。
【０１７１】
いくつかの実施形態では、ページが第１の方向に移動され、動作活動が依然として検出されるときにページ境界に達することに応答して、装置７０は、ページ境界に隣接している少なくとも２つのグラフの変更形式を表示し、変更形式は、第１のグラフの変更形式および第２のグラフの変更形式を含む。
【０１７２】
詳細には、検出モジュール７０１は、ユーザの動作活動を検出する。動作活動が検出されることに応答して、移動表示モジュール７０２は、ページを表示装置上に第１の方向に移動可能に表示し、ここで、ページは１つまたは複数のグラフを含み、１つまたは複数のグラフは、表示装置上にグラフの初期形式で表示される。ページが第１の方向に移動され、動作活動が依然として検出されるときにページ境界に達することに応答して、モーフィング表示モジュール７０３は、第１のグラフの変更形式および第２のグラフの変更形式を表示し、ここで、第１のグラフおよび第２のグラフは、表示装置上に表示された１つまたは複数のグラフ内にありページ境界に隣接しているグラフであり、第１のグラフの変更形式は第１のグラフの初期形式とは異なり、第２のグラフの変更形式は第２のグラフの初期形式とは異なる。
【０１７３】
いくつかの実施形態では、モーフィング表示装置７０３は、第１のグラフの変更形式および第２のグラフの変更形式を表示し、ここで、第２のグラフの表示された変更形式と第２のグラフの初期形式との間の差は、第１のグラフの表示された変更形式と第１のグラフの初期形式との間の差よりも大きい。
【０１７４】
いくつかの実施形態では、動作活動がもはや検出されないことに応答して、装置７０は、ページを、ダンピング移動に続いて宣言様式で第１の方向に継続的に移動させる。加えて、ページの移動速度がゼロに低減されていないことを検出し、ページが第１の方向に移動されたときにページ境界に達したことに応答して、装置７０は、第１のグラフの変更形式を表示する。
【０１７５】
詳細には、検出モジュール７０１は、ユーザの動作活動を検出する。動作活動が検出されることに応答して、移動表示モジュール７０２は、ページを表示装置上に第１の方向に移動可能に表示し、ここで、ページは１つまたは複数のグラフを含み、１つまたは複数のグラフは、表示装置上にグラフの初期形式で表示される。動作活動がもはや検出されていないという事実に応答して、移動表示モジュール７０２は、ページを、ダンピング移動に続いて宣言様式で第１の方向に継続的に移動させる。ページの移動速度がゼロに低減されていないという事実が検出され、ページが第１の方向に移動されたときにページ境界に達したことに応答して、モーフィング表示モジュール７０３は、第１のグラフの変更形式を表示し、ここで、第１のグラフは、表示装置上に表示された１つまたは複数のグラフ内にありページ境界に隣接しているグラフであり、第１のグラフの変更形式は第１のグラフの初期形式とは異なる。
【０１７６】
いくつかの他の実施形態では、装置７０は、ページが第１の方向に移動されたときにページ境界に達したことが検出されることに応答して、ページを宣言様式で継続的に移動させ、ページ境界を超えるエリアを表示することであって、エリアがページとは異なる、表示することを行うように構成された、エリア表示モジュールと、ページの移動速度がゼロに低減されたことを検出することに応答して、エリアがもはや表示されなくなるまで、ページを第１の方向とは反対の第２の方向に移動させるように構成された、リザイリング表示モジュールと、エリアがもはや表示されないとき、第１のグラフの初期形式を表示するように構成された、復元表示モジュールとをさらに含む。
【０１７７】
検出モジュール７０１、移動表示モジュール７０２、モーフィング表示モジュール７０３、およびこれらの実施形態内のモジュール内に含まれるすべての表示サブユニットによって実施されるコンテンツに関しては、前述の実施形態の方法、および図１から図１６内で説明されたコンテンツを参照されたく、詳細については再度説明されない。
【０１７８】
最後に、前述の実施形態は、本発明の技術的解決策を説明するために意図されているにすぎず、本発明を限定するためではない。本発明が前述の実施形態を参照して詳細に説明されたが、当業者は、依然として、本発明の実施形態の技術的解決策の趣旨および範囲から逸脱することなく、前述の実施形態において説明された技術的解決策に変更を加えるか、またはそれらの一部の技術的特徴に均等の交換を行い得ることを理解されたい。
【図１】
2019537118.tif 000003
【図２】
2019537118.tif 000004
【図３】
2019537118.tif 000005
【図４（ａ）】
2019537118.tif 000006
【図４（ｂ）】
2019537118.tif 000007
【図４（ｃ）】
2019537118.tif 000008
【図４（ｄ）】
2019537118.tif 000009
【図４（ｅ）】
2019537118.tif 000010
【図４（ｆ）】
2019537118.tif 000011
【図４（ｇ）】
2019537118.tif 000012
【図４（ｈ）】
2019537118.tif 000013
【図４（ｉ）】
2019537118.tif 000014
【図４（ｊ）】
2019537118.tif 000015
【図４（ｋ）】
2019537118.tif 000016
【図４（ｌ）】
2019537118.tif 000017
【図４（ｍ）】
2019537118.tif 000018
【図４（ｎ）】
2019537118.tif 000019
【図４（ｏ）】
2019537118.tif 000020
【図５（ａ）】
2019537118.tif 000021
【図５（ｂ）】
2019537118.tif 000022
【図５（ｃ）】
2019537118.tif 000023
【図５（ｄ）】
2019537118.tif 000024
【図５（ｅ）】
2019537118.tif 000025
【図６】
2019537118.tif 000026
【図７（ａ）】
2019537118.tif 000027
【図７（ｂ）】
2019537118.tif 000028
【図７（ｃ）】
2019537118.tif 000029
【図８（ａ）】
2019537118.tif 000030
【図８（ｂ）】
2019537118.tif 000031
【図８（ｃ）】
2019537118.tif 000032
【図９（ａ）】
2019537118.tif 000033
【図９（ｂ）】
2019537118.tif 000034
【図９（ｃ）】
2019537118.tif 000035
【図９（ｄ）】
2019537118.tif 000036
【図１０（ａ）】
2019537118.tif 000037
【図１０（ｂ）】
2019537118.tif 000038
【図１０（ｃ）】
2019537118.tif 000039
【図１１（ａ）】
2019537118.tif 000040
【図１１（ｂ）】
2019537118.tif 000041
【図１１（ｃ）】
2019537118.tif 000042
【図１１（ｄ）】
2019537118.tif 000043
【図１１（ｅ）】
2019537118.tif 000044
【図１１（ｆ）】
2019537118.tif 000045
【図１２（ａ）】
2019537118.tif 000046
【図１２（ｂ）】
2019537118.tif 000047
【図１２（ｃ）】
2019537118.tif 000048
【図１３（ａ）】
2019537118.tif 000049
【図１３（ｂ）】
2019537118.tif 000050
【図１３（ｃ）】
2019537118.tif 000051
【図１３（ｄ）】
2019537118.tif 000052
【図１４（ａ）】
2019537118.tif 000053
【図１４（ｂ）】
2019537118.tif 000054
【図１４（ｃ）】
2019537118.tif 000055
【図１５（ａ）】
2019537118.tif 000056
【図１５（ｂ）】
2019537118.tif 000057
【図１５（ｃ）】
2019537118.tif 000058
【図１５（ｄ）】
2019537118.tif 000059
【図１５（ｅ）】
2019537118.tif 000060
【図１５（ｆ）】
2019537118.tif 000061
【図１６】
2019537118.tif 000062
【図１７】
2019537118.tif 000063
【手続補正書】
【提出日】令和1年5月24日(2019.5.24)
【手続補正１】
【補正対象書類名】特許請求の範囲
【補正対象項目名】全文
【補正方法】変更
【補正の内容】
【特許請求の範囲】
【請求項１】
表示装置を備えたモバイル端末上にページを表示するための方法であって、
ユーザの動作活動を検出するステップと、
前記動作活動が検出されることに応答して、ページを前記表示装置上に第１の方向に移動可能に表示するステップであって、前記ページが１つまたは複数のグラフを含み、前記１つまたは複数のグラフが、前記表示装置上に前記グラフの初期形式で表示される、移動可能に表示するステップと、
前記ページが前記第１の方向に移動され、前記動作活動が依然として検出されるときにページ境界に達することに応答して、第１のグラフの変更形式を表示するステップであって、前記第１のグラフが、前記表示装置上に表示された前記１つまたは複数のグラフ内にあり前記ページ境界に隣接しているグラフであり、前記第１のグラフの前記変更形式が前記第１のグラフの初期形式とは異なる、表示するステップと
を含む方法。
【請求項２】
前記第１のグラフの変更形式を前記表示するステップが、
前記動作活動が継続的に実施されていることを検出することに応答して、前記第１のグラフのものであり、動的に変化する変更形式を表示するステップであって、プリセット範囲内の前記動作活動のより大きな活動範囲が、前記第１のグラフの前記初期形式から前記第１のグラフの前記変更形式へのより大きな形式変更をもたらす、表示するステップと、
前記動作活動の前記活動範囲が前記プリセット範囲を超えることを検出することに応答して、前記第１のグラフの静的変更形式を表示するステップと
を含む請求項１に記載の方法。
【請求項３】
前記第１のグラフの変更形式を前記表示するステップが、
前記動作活動が継続的に実施されていることを検出することに応答して、前記第１のグラフのものであり、動的に変化する変更形式を表示するステップであって、前記動作活動のより大きな活動範囲が、前記第１のグラフの前記初期形式から前記第１のグラフの前記変更形式へのより大きな形式変更をもたらす、表示するステップ
を含む請求項１に記載の方法。
【請求項４】
前記第１のグラフの変更形式を前記表示するステップの後で、
前記動作活動がもはや検出されないことに応答して、前記第１のグラフの前記初期形式を表示するステップ
をさらに含む請求項１乃至３のいずれか一項に記載の方法。
【請求項５】
前記第１のグラフの前記変更形式を前記表示するステップが、
前記第１のグラフの前記初期形式が表示されるまで、前記第１のグラフの前記変更形式から前記第１のグラフの前記初期形式に前記第１のグラフを漸進的に復元することのトゥイーン動画を表示するステップ
をさらに含む請求項４に記載の方法。
【請求項６】
前記ページが前記第１の方向に移動され、前記動作活動が依然として検出されるときにページ境界に達することに応答して、前記ページを継続的に移動させ、前記ページ境界を超えるエリアを表示するステップであって、前記エリアが前記ページとは異なる、表示するステップと、
動作入力がもはや検出されないことに応答して、前記エリアがもはや表示されなくなるまで、前記ページを前記第１の方向とは反対の第２の方向に移動させるステップと
をさらに含む請求項１至５のいずれか一項に記載の方法。
【請求項７】
前記グラフが、
文字、項目リスト、デジタル画像、またはアイコン
である請求項１乃至６のいずれか一項に記載の方法。
【請求項８】
前記グラフの変更形式が、前記初期形式に関して、
形状変更、サイズ変更、透過性変更、または色変更
のうちのいずれか１つまたはいずれかの組合せが実施された後で取得される形式を含む請求項１乃至７のいずれか一項に記載の方法。
【請求項９】
前記モバイル端末がタッチ表示を有し、ユーザの動作活動を前記検出するステップが、
前記タッチ表示上で前記ユーザによって実施されたタッチ活動を検出するステップ
を含む請求項１乃至８のいずれか一項に記載の方法。
【請求項１０】
ユーザの動作活動を前記検出するステップが、
前記ユーザの音声命令を検出するステップ、
前記ユーザのジェスチャ活動を検出するステップ、または
前記ユーザの身体活動を検出するステップ
のうちの少なくとも１つを含む請求項１乃至８のいずれか一項に記載の方法。
【請求項１１】
前記ページが前記第１の方向に移動されたときに前記ページ境界に達し、前記動作活動が依然として検出されることに応答して、警告音を再生するステップ
をさらに含む請求項１乃至１０のいずれか一項に記載の方法。
【請求項１２】
前記第１の方向が、
前記表示装置上の水平方向、垂直方向、または斜め方向
である請求項１乃至１１のいずれか一項に記載の方法。
【請求項１３】
表示装置を備えたモバイル端末上にページを表示するための方法であって、
ユーザの動作活動を検出するステップと、
前記動作活動が検出されることに応答して、ページを前記表示装置上に第１の方向に移動可能に表示するステップであって、前記ページが１つまたは複数のグラフを含み、前記１つまたは複数のグラフが、前記表示装置上に前記グラフの初期形式で表示される、移動可能に表示するステップと、
前記ページが前記第１の方向に移動され、前記動作活動が依然として検出されるときにページ境界に達することに応答して、第１のグラフの変更形式および第２のグラフの変更形式を表示するステップであって、前記第１のグラフおよび前記第２のグラフが、前記表示装置上に表示された前記１つまたは複数のグラフ内にあり前記ページ境界に隣接しているグラフであり、前記第１のグラフの前記変更形式が前記第１のグラフの初期形式とは異なり、前記第２のグラフの前記変更形式が前記第２のグラフの初期形式とは異なる、表示するステップと
を含む方法。
【請求項１４】
前記第１のグラフと前記ページ境界との間の距離が前記第２のグラフと前記ページ境界との間の距離未満であり、前記第１のグラフの変更形式および第２のグラフの変更形式を前記表示するステップが、
前記第１のグラフの前記変更形式および前記第２のグラフの前記変更形式を表示するステップであって、前記第２のグラフの前記表示された変更形式と前記第２のグラフの前記初期形式との間の差が、前記第１のグラフの前記表示された変更形式と前記第１のグラフの前記初期形式との間の差よりも大きい、表示するステップ
を含む請求項１３に記載の方法。
【請求項１５】
表示装置を備えたモバイル端末上で実装される方法であって、
ユーザの動作活動を検出するステップと、
前記動作活動が検出されることに応答して、ページを前記表示装置上に第１の方向に移動可能に表示するステップであって、前記ページが１つまたは複数のグラフを含み、前記１つまたは複数のグラフが、前記表示装置上に前記グラフの初期形式で表示される、移動可能に表示するステップと、
前記動作活動がもはや検出されないことに応答して、前記ページをダンピング移動に続いて宣言様式で前記第１の方向に継続的に移動させるステップと、
前記ページの移動速度がゼロに低減されておらず、前記ページが前記第１の方向に移動されたときにページ境界に達したことを検出したことに応答して、第１のグラフの変更形式を表示するステップであって、前記第１のグラフが、前記表示装置上に表示された前記１つまたは複数のグラフ内にあり前記ページ境界に隣接しているグラフであり、前記第１のグラフの前記変更形式が前記第１のグラフの初期形式とは異なる、表示するステップと
を含む方法。
【請求項１６】
前記ページが前記第１の方向に移動されたときに前記ページ境界に達したことを検出することに応答して、前記ページを宣言様式で継続的に移動させ、前記ページ境界を超えるエリアを表示するステップであって、前記エリアが前記ページとは異なる、表示するステップと、
前記ページの前記移動速度がゼロに低減されたことを検出することに応答して、前記エリアがもはや表示されなくなるまで、前記ページを前記第１の方向とは反対の第２の方向に移動させるステップと、
前記エリアがもはや表示されないとき、前記第１のグラフの前記初期形式を表示するステップと
をさらに含む請求項１５に記載の方法。
【請求項１７】
モバイル端末であって、
表示装置と、
１つまたは複数のプロセッサと、
メモリと
を含み、
前記メモリが、コンピュータプログラムを記憶するように構成され、
前記プロセッサが、前記コンピュータプログラムを走らせて、請求項１乃至１６のいずれか一項の方法を実施するように構成されるモバイル端末。
【請求項１８】
表示装置を備えたモバイル端末上にページを表示するための装置であって、
ユーザの動作活動を検出するように構成された、検出モジュールと、
前記動作活動が検出されることに応答して、ページを前記表示装置上に第１の方向に移動可能に表示することであって、前記ページが１つまたは複数のグラフを含み、前記１つまたは複数のグラフが、前記表示装置上に前記グラフの初期形式で表示される、移動可能に表示することを行うように構成された、移動表示モジュールと、
前記ページが前記第１の方向に移動され、前記動作活動が依然として検出されるときにページ境界に達することに応答して、第１のグラフの変更形式を表示することであって、前記第１のグラフが、前記表示装置上に表示された前記１つまたは複数のグラフ内にあり前記ページ境界に隣接しているグラフであり、前記第１のグラフの前記変更形式が前記第１のグラフの初期形式とは異なる、表示することを行うように構成された、モーフィング表示モジュールと
を含む装置。
【請求項１９】
前記モーフィング表示モジュールが、
前記動作活動が継続的に実施されていることを検出することに応答して、前記第１のグラフのものであり、動的に変化する変更形式を表示することであって、プリセット範囲内の前記動作活動のより大きな活動範囲が、前記第１のグラフの前記初期形式から前記第１のグラフの前記変更形式へのより大きな形式変更をもたらす、表示することと、前記動作活動の前記活動範囲が前記プリセット範囲を超えることを検出することに応答して、前記第１のグラフの静的変更形式を表示することとを行うように構成された、第１の表示サブユニット
を含む請求項１８に記載の装置。
【請求項２０】
前記モーフィング表示モジュールが、
前記動作活動が継続的に実施されていることを検出することに応答して、前記第１のグラフのものであり、動的に変化する変更形式を表示することであって、前記動作活動のより大きな活動範囲が、前記第１のグラフの前記初期形式から前記第１のグラフの前記変更形式へのより大きな形式変更をもたらす、表示することを行うように構成された、第２の表示サブユニット
を含む請求項１８に記載の装置。
【請求項２１】
前記第１のグラフの前記変更形式が表示された後で、前記動作活動がもはや検出されないことに応答して、前記第１のグラフの前記初期形式を表示するように構成された復元表示モジュール
をさらに含む、請求項１８乃至２０のいずれか一項に記載の装置。
【請求項２２】
前記復元表示モジュールが、
前記第１のグラフの前記初期形式が表示されるまで、前記第１のグラフの前記変更形式から前記第１のグラフの前記初期形式に前記第１のグラフを漸進的に復元することのトゥイーン動画を表示するように構成された、復元表示サブユニット
を含む請求項２１に記載の装置。
【請求項２３】
前記ページが前記第１の方向に移動され、前記動作活動が依然として検出されるときにページ境界に達することに応答して、前記ページを継続的に移動させ、前記ページ境界を超えるエリアを表示することあって、前記エリアが前記ページとは異なる、表示することと、動作入力がもはや検出されないことに応答して、前記エリアがもはや表示されなくなるまで、前記ページを前記第１の方向とは反対の第２の方向に移動させることとを行うように構成された、エリア表示モジュール
をさらに含む請求項１９乃至２２のいずれか一項に記載の装置。
【請求項２４】
表示装置を備えたモバイル端末上にページを表示するための装置であって、
ユーザの動作活動を検出するように構成された、検出モジュールと、
前記動作活動が検出されることに応答して、ページを前記表示装置上に第１の方向に移動可能に表示することであって、前記ページが１つまたは複数のグラフを含み、前記１つまたは複数のグラフが、前記表示装置上に前記グラフの初期形式で表示される、移動可能に表示することを行うように構成された、移動表示モジュールと、
前記ページが前記第１の方向に移動され、前記動作活動が依然として検出されるときにページ境界に達することに応答して、第１のグラフの変更形式および第２のグラフの変更形式を表示することであって、前記第１のグラフおよび前記第２のグラフが、前記表示装置上に表示された前記１つまたは複数のグラフ内にあり前記ページ境界に隣接しているグラフであり、前記第１のグラフの前記変更形式が前記第１のグラフの初期形式とは異なり、前記第２のグラフの前記変更形式が前記第２のグラフの初期形式とは異なる、表示することとを行うように構成された、モーフィング表示モジュールと
を含む装置。
【請求項２５】
前記モーフィング表示モジュールが、
前記第１のグラフの前記変更形式および前記第２のグラフの前記変更形式を表示することであって、前記第２のグラフの前記表示された変更形式と前記第２のグラフの前記初期形式との間の差が、前記第１のグラフの前記表示された変更形式と前記第１のグラフの前記初期形式との間の差よりも大きい、表示すること
を行うように構成される請求項２４に記載の装置。
【請求項２６】
表示装置を備えたモバイル端末上にページを表示するための装置であって、
ユーザの動作活動を検出するように構成された、検出モジュールと、
前記動作活動が検出されることに応答して、ページを前記表示装置上に第１の方向に移動可能に表示することであって、前記ページが１つまたは複数のグラフを含み、前記１つまたは複数のグラフが、前記表示装置上に前記グラフの初期形式で表示される、移動可能に表示することと、前記動作活動がもはや検出されないことに応答して、前記ページをダンピング移動に続いて宣言様式で前記第１の方向に継続的に移動させることとを行うように構成された、移動表示モジュールと、
前記ページの移動速度がゼロに低減されておらず、前記ページが前記第１の方向に移動されたときにページ境界に達したことを検出したことに応答して、第１のグラフの変更形式を表示することであって、前記第１のグラフが、前記表示装置上に表示された前記１つまたは複数のグラフ内にあり前記ページ境界に隣接しているグラフであり、前記第１のグラフの前記変更形式が前記第１のグラフの初期形式とは異なる、表示することとを行うように構成された、モーフィング表示モジュールと
を含む装置。
【請求項２７】
前記ページが前記第１の方向に移動されたときに前記ページ境界に達したことを検出することに応答して、前記ページを宣言様式で継続的に移動させ、前記ページ境界を超えるエリアを表示することであって、前記エリアが前記ページとは異なる、表示することを行うように構成された、エリア表示モジュールと、
前記ページの前記移動速度がゼロに低減されたことを検出することに応答して、前記エリアがもはや表示されなくなるまで、前記ページを前記第１の方向とは反対の第２の方向に移動させるように構成された、リザイリング表示モジュールと、
前記エリアがもはや表示されないとき、前記第１のグラフの前記初期形式を表示するように構成された、復元表示モジュールと
をさらに含む請求項２６に記載の装置。
【請求項２８】
表示装置を備えたモバイル端末上のグラフィカルユーザインターフェースであって、
前記表示装置上に表示されたページの一部分を含み、前記ページが１つまたは複数のグラフを含み、
ユーザの動作活動が検出されるという事実に応答して、前記ページが第１の方向に移動され、前記１つまたは複数のグラフが初期形式で表示され、
前記ページが前記第１の方向に移動され、前記動作活動が依然として検出されるときにページ境界に達することに応答して、第１のグラフの変更形式が表示され、前記第１のグラフが、前記表示装置上に表示された前記１つまたは複数のグラフ内にあり前記ページ境界に隣接しているグラフであり、前記第１のグラフの前記変更形式が前記第１のグラフの初期形式とは異なる
グラフィカルユーザインターフェース。
【手続補正２】
【補正対象書類名】明細書
【補正対象項目名】全文
【補正方法】変更
【補正の内容】
【発明の詳細な説明】
【技術分野】
【０００１】
本発明は、電子技術の分野に関し、詳細には、ページを表示するための方法および装置、グラフィカルユーザインターフェース、およびモバイル端末に関する。
【背景技術】
【０００２】
継続的な発展により、モバイル端末は増大する量のコンピュータ機能を実装することができる。モバイル端末を使用することによって、人々は、互いと通信することだけではなく、娯楽活動、寿命管理、モバイルオフィスソリューションなどを実装することもできる。完全に機能的で、より携帯し易く、容易に使用できるインテリジェントデバイスとして、モバイル端末は、漸進的にデスクトップコンピュータまたはラップトップに取って代わり、人々によって日々使用されるメインストリーム電子デバイスになった。
【０００３】
モバイル端末の携帯性を満たすために、モバイル端末の表示サイズは、通常、デスクトップコンピュータまたはラップトップの表示サイズよりも小さいことが必要とされる。加えて、モバイル端末によって実行される機能の量および機能のコンテンツは、継続的に増大する。したがって、多くの場合、モバイル端末は、ページ全体の一部分のみを現在の表示インターフェース内に表示することができ、ユーザは、通常、モバイル端末にスクローリング様式または平行移動様式で残りのコンテンツを表示させるための移動動作を実施する必要がある。
【０００４】
たとえば、ユーザがモバイル端末上でページをスライドする動作を実施するとき、ユーザは、通常、上部境界、下部境界、左境界、または右境界を含めて、ページの境界までページをスライドし続ける。しかしながら、ページがページの境界にスライドするとき、視覚的なフィードバックプロンプトがモバイル端末上に示されない場合、ユーザは、動作について誤解することがある。たとえば、ユーザは、ユーザによって入力された動作が影響を及ぼすかどうかを知らず、したがって、ユーザは、無効動作を継続的に繰り返し、それによって、動作効率に影響を及ぼし、次いで、使用経験に影響を及ぼす。
【発明の概要】
【０００５】
本出願のいくつかの実施形態により提供される、表示装置を備えたモバイル端末上にページを表示するための方法および装置が使用され、先行技術の欠点、およびユーザが対話のためにモバイル端末を使用するときに生じる不都合の問題を除去する。
【０００６】
一態様によれば、本出願のいくつかの実施形態により、表示装置を備えたモバイル端末上にページを表示するための方法が提供される。モバイル端末は、ユーザの動作活動を検出し、ユーザの動作活動に従って表示装置上にページを移動可能に表示し、動作活動に従って、ページがページ境界に達するまで移動されたことが検出され、動作活動が依然として検出されるとき、モバイル端末は、第１のグラフの形式を変更し、そのページ内にあり、ページ境界に隣接している、第１のグラフの変更された形式を表示し、変更形式は、モーフィングされていない第１のグラフの初期形式とは異なって見える。
【０００７】
前述の説明を参照すると、いくつかの実施形式では、この方法は、初めに、モバイル端末によって、表示装置上にページを表示するステップと、モバイル装置によって、ページを表示する処理におけるユーザの動作活動を検出するステップと、動作活動が検出されるとき、動作活動に応答して、ページを第１の方向に移動可能に表示するステップであって、ページが１つまたは複数のグラフを含み、１つまたは複数のグラフが表示装置上にグラフの初期形態で表示され、すなわち、ページが表示装置上に移動され、ページのエリアが表示されるとき、ページのエリア内のグラフが表示され、これらのグラフが表示装置上にグラフの初期形態で表示される、移動可能に表示するステップと、次いで、モバイル装置によって、ページが移動されたときにページ境界に達したかどうかを検出するステップと、ページが第１の方向に移動されたときにページ境界が検出され、動作活動が依然として検出されるとき、表示装置上に第１のグラフの変更形式を表示するステップであって、第１のグラフが、表示装置上に表示された１つまたは複数のグラフ内にありページ境界に隣接しているグラフであり、第１のグラフの変更形式が第１のグラフの初期形式とは異なる、表示するステップとを含む。
【０００８】
ページ内のグラフは文字、項目リスト、デジタル画像、またはアイコンであり、１つのページは、１つまたは複数のタイプのグラフを含み得ることに留意されたい。
【０００９】
グラフの形状変更またはサイズ変更は、グラフの形状およびサイズの変更であり、グラフのエリアの一部分が表示装置の表示エリアの外に移動され、残りのエリアが表示装置の表示エリア上に表示される場合は、グラフの形式またはサイズの変更に属さないことに留意されたい。
【００１０】
いくつかの実施形態では、グラフの変更形式は、以下の変更：形状変更、サイズ変更、透過性変更、または色変更のうちのいずれか１つまたはいずれかの組合せが初期形式に関して実施された後で取得される形式を含む。
【００１１】
いくつかの実施形態では、表示装置上に第１のグラフの形式を表示するとき、動作活動が継続的に実施されていることを検出することに応答して、モバイル端末は、第１のグラフのものであり、動的に変化する変更形式を表示し、プリセット範囲内の動作活動のより大きな活動範囲は、第１のグラフの初期形式から第１のグラフの変更形式へのより大きな形式変更をもたらす。動作活動の活動範囲がプリセット範囲を超えることが検出されるとき、第１のグラフの変更形式は、もはや動的に変化せず、モバイル端末は第１のグラフの静的変更形式を表示する。
【００１２】
いくつかの実施形態では、表示装置上に第１のグラフの形式を表示するとき、動作活動が継続的に実施されていることを検出することに応答して、モバイル端末は、第１のグラフのものであり、動的に変化する変更形式を表示し、動作活動のより大きな活動範囲は、第１のグラフの初期形式から第１のグラフの変更形式へのより大きな形式変更をもたらす。
【００１３】
いくつかの実施形態では、表示装置上に第１のグラフの形式を表示した後で、動作活動がもはや検出されないことに応答して、モバイル端末は、第１のグラフの変更形式から第１のグラフの初期形式に第１のグラフの形式を復元し、第１のグラフの初期形式を表示する。
【００１４】
モバイル端末は、第１のグラフの初期形式が表示されるまで、第１のグラフの変更形式から第１のグラフの初期形式に漸進的に復元することのトゥイーン動画（tweened animation）を表示装置上に表示し、第１のグラフの形式を復元する処理を示すことに留意されたい。
【００１５】
いくつかの実施形態では、モバイル端末がそのページを表示装置上に第１の方向に移動可能に表示した後で、動作活動がもはや検出されないとき、モバイル端末は、以下の処理を表示装置上に継続的に表示する：ページをダンピング移動に続いて宣言様式で第１の方向に継続的に移動させる。ページが第１の方向に移動されたことが検出されるとき、ページが移動されたときにページ境界に達しているときですら、移動速度が依然としてゼロに低減されていない場合、モバイル端末は、ページのページ境界に達したとき、第１のグラフの変更形式を表示し、第１のグラフの変更形式は第１のグラフの初期形式とは異なる。
【００１６】
いくつかの実施形態では、前述の実施形態のうちのいくつかを参照すると、ページが第１の方向に移動されたときにページ境界に達しており、動作活動が依然として検出されることに応答して、モバイル端末は、ページを継続的に移動させて、ページ境界を超えるエリア（たとえば、このエリアはブランクエリアであるかまたは純色エリアである）を表示する。このエリアはページとは異なり、エリアおよびページは、ユーザによって視覚的に容易に区別され得る。動作入力がもはや検出されなくなった後で、そのエリアがもはや表示されなくなるまで、ページは第１の方向とは反対の第２の方向に移動される。
【００１７】
いくつかの実施形態では、モバイル端末はタッチ表示を有し、ユーザの動作活動を検出するステップは、タッチ表示上でユーザによって実施されたタッチ活動を検出するステップを含む。
【００１８】
いくつかの他の実施形態では、モバイル端末がユーザの動作活動を検出することは、以下のうちの少なくとも１つをさらに含み得る：ユーザの音声命令を検出するステップ；ユーザのジェスチャ活動を検出するステップ；またはユーザの身体活動を検出するステップ。
【００１９】
いくつかの実施形態では、モバイル端末が、ページが第１の方向に移動されたときにページ境界に達したことを検出し、動作活動を依然として検出する場合、モバイル端末は、プロンプトのための警告音をさらに再生し得る。
【００２０】
前述の実施形態を参照すると、第１の方向は、表示装置上の水平方向、垂直方向、または斜め方向である。
【００２１】
別の態様によれば、この方法では、モバイル端末が、ページが移動されたときにページ境界に達したことを検出し、動作活動を依然として検出することができるとき、モバイル端末は、１つまたは複数のグラフ内にあり、ページ境界に隣接している少なくとも２つのグラフの変更形式を表示する。
【００２２】
いくつかの可能な実装ソリューションでは、少なくとも２つのグラフの初期形式から、１つまたは複数のグラフ内にあり、ページ境界に隣接している、少なくとも２つのグラフの変更形式への形式変更の程度は異なり得る。たとえば、ページ境界からの異なる距離により、異なる形式差が生成される。たとえば、ページ境界からの距離がより短く、形式差がより大きい場合、すなわち、第１のグラフとページ境界との間の距離が第２のグラフとページ境界との間の距離に満たない場合、第２のグラフの表示された変更形式と第２のグラフの初期形式との間の差は、第１のグラフの表示された変更形式と第１のグラフの初期形式との間の差よりも大きい。
【００２３】
前述の説明を参照すると、本出願のいくつかの実施形態による、表示装置を備えたモバイル端末上にページを表示するための方法が提供され、この方法は、ユーザの動作活動を検出するステップと、動作活動が検出されることに応答して、ページを表示装置上に第１の方向に移動可能に表示するステップであって、ページが１つまたは複数のグラフを含み、１つまたは複数のグラフが、表示装置上にグラフの初期形式で表示される、移動可能に表示するステップと、ページが第１の方向に移動され、動作活動が依然として検出されるときにページ境界に達することに応答して、第１のグラフの変更形式および第２のグラフの変更形式を表示するステップであって、第１のグラフおよび第２のグラフが、表示装置上に表示された１つまたは複数のグラフ内にありページ境界に隣接しているグラフであり、第１のグラフの変更形式が第１のグラフの初期形式とは異なり、第２のグラフの変更形式が第２のグラフの初期形式とは異なる、表示するステップとを含む。
【００２４】
当然、ページが第１の方向に移動されたときにページ境界に達し、動作活動が依然として検出される場合、モバイル端末は、ページ内の１つまたは複数のグラフ内にあり、ページ境界に隣接している、第３のグラフ、第４のグラフなどの形式変更を表示装置上にさらに表示し得る。
【００２５】
いくつかの実施形態では、第１のグラフとページ境界との間の距離は、第２のグラフとページ境界との間の距離に満たず、第１のグラフの変更形式および第２のグラフの変更形式を表示するステップは、第１のグラフの変更形式および第２のグラフの変更形式を表示するステップであって、第２のグラフの表示された変更形式と第２のグラフの初期形式との間の差が、第１のグラフの表示された変更形式と第１のグラフの初期形式との間の差よりも大きい、表示するステップを含む。
【００２６】
前述の実施形態のうちのいくつかによれば、モバイル端末によって実施される方法は、ユーザとの対話の処理においてより直観的で、簡潔な、興味深い対話情報を提供し、それにより、ユーザの使用経験を改善する。
【００２７】
さらに別の態様によれば、この方法では、モバイル端末は、動作活動に従って、慣性原理を使用することによってダンピング移動様式で実施されるページの移動を表示し、実際の影響に近づける。動作活動がもはや検出されないとき、ページの速度がゼロに低減されるまで、ページは、動作活動が停止したとき、宣言様式でページの移動方向に継続的に移動される。移動速度がゼロに低減されていないことが検出され、ページが第１の方向に移動されたときにページ境界に達したとき、ページ内の境界に隣接している第１のグラフの変更形式が表示される。
【００２８】
前述の説明を参照すると、本出願のいくつかの実施形態によって提供される方法では、モバイル端末は、ユーザの動作活動を検出することと、動作活動が検出されるという事実に応答して、ページを表示装置上に第１の方向に移動可能に表示することであって、ページが１つまたは複数のグラフを含み、１つまたは複数のグラフが、表示装置上にグラフの初期形式で表示される、移動可能に表示することと、動作活動がもはや検出されないという事実に応答して、ページをダンピング移動に続いて宣言様式で第１の方向に継続的に移動させることと、ページの移動速度がゼロに低減されていないことが検出されるという事実、およびページが第１の方向に移動されたときにページ境界に達したことに応答して、第１のグラフの変更形式を表示することであって、第１のグラフが、表示装置上に表示された１つまたは複数のグラフ内にありページ境界に隣接しているグラフであり、第１のグラフの変更形式が第１のグラフの初期形式とは異なる、表示することとを行う。
【００２９】
いくつかの実施形態では、ページが第１の方向に移動されたときにページ境界に達したことが検出されるという事実に応答して、モバイル端末はページを移動させるのを停止する。
【００３０】
いくつかの他の実施形態では、ページが第１の方向に移動されたときにページ境界に達したことが検出されるという事実に応答して、モバイル端末は、ページを宣言様式で継続的に移動させ、ページ境界を超えるエリアを表示することであって、エリアがページとは異なる、表示することとを行い、ページの移動速度がゼロに低減されたことを検出したことに応答して、モバイル端末は、エリアがもはや表示されなくなるまで、ページを第１の方向とは反対の第２の方向に移動させ、モバイル端末は、エリアがもはや表示されないとき、第１のグラフの初期形式を表示する。
【００３１】
さらに別の態様によれば、本出願のいくつかの実施形態に従って提供されるモバイル端末は、表示装置と、１つまたは複数のプロセッサと、メモリとを含み、メモリは、コンピュータプログラムを記憶するように構成され、プロセッサは、コンピュータプログラムを走らせて、以下の手順：ユーザの動作活動を検出することと、動作活動が検出されることに応答して、ページを表示装置上に第１の方向に移動可能に表示することであって、ページが１つまたは複数のグラフを含み、１つまたは複数のグラフが初期形式で表示される、移動可能に表示することと、ページが第１の方向に移動され、動作活動が依然として検出されるときにページ境界に達することに応答して、複数のグラフのうち、境界に隣接している少なくとも１つのグラフの変更形式を表示することであって、グラフの変更形式が初期形式とは異なる、表示することと、を実施するように構成される。
【００３２】
いくつかの実施形態では、モバイル装置は、ページが第１の方向に移動されたときにページ境界に達したことを検出することに応答して、ページを宣言様式で継続的に移動させ、ページ境界を超えるエリアを表示することであって、エリアがページとは異なる、表示することと、ページの移動速度がゼロに低減されたことを検出することに応答して、エリアがもはや表示されなくなるまで、ページを第１の方向とは反対の第２の方向に移動させることと、エリアがもはや表示されないとき、第１のグラフの初期形式を表示することとをさらに実施する。
【００３３】
さらに別の態様によれば、本出願のいくつかの実施形態による、表示装置を備えたモバイル端末上にページを表示するための装置が提供され、この装置は、ユーザの動作活動を検出するように構成された、検出モジュールと、動作活動が検出されることに応答して、ページを表示装置上に第１の方向に移動可能に表示することであって、ページが１つまたは複数のグラフを含み、１つまたは複数のグラフが、表示装置上にグラフの初期形式で表示される、移動可能に表示することを行うように構成された、移動表示モジュールと、ページが第１の方向に移動され、動作活動が依然として検出されるときにページ境界に達することに応答して、第１のグラフの変更形式を表示することであって、第１のグラフが、表示装置上に表示された１つまたは複数のグラフ内にありページ境界に隣接しているグラフであり、第１のグラフの変更形式が第１のグラフの初期形式とは異なる、表示することを行うように構成された、モーフィング表示モジュールとを含む。
【００３４】
いくつかの実施形態では、モーフィング表示モジュールは、動作活動が継続的に実施されていることを検出することに応答して、第１のグラフのものであり、動的に変化する変更形式を表示することであって、プリセット範囲内の動作活動のより大きな活動範囲が、第１のグラフの初期形式から第１のグラフの変更形式へのより大きな形式変更をもたらす、表示することと、動作活動の活動範囲がプリセット範囲を超えることを検出することに応答して、第１のグラフの静的変更形式を表示することとを行うように構成された、第１の表示サブユニットを含む。
【００３５】
いくつかの実施形態では、モーフィング表示装置は、動作活動が継続的に実施されていることを検出することに応答して、第１のグラフのものであり、動的に変化する変更形式を表示することであって、動作活動のより大きな活動範囲が、第１のグラフの初期形式から第１のグラフの変更形式へのより大きな形式変更をもたらす、表示することを行うように構成された、第２の表示サブユニットを含む。
【００３６】
いくつかの実施形態では、この装置は、第１のグラフの変更形式が表示された後で、動作活動がもはや検出されないことに応答して、第１のグラフの初期形式を表示するように構成された、復元表示モジュールをさらに含む。
【００３７】
いくつかの実施形態では、復元表示モジュールは、第１のグラフの初期形式が表示されるまで、第１のグラフの変更形式から第１のグラフの初期形式に第１のグラフを漸進的に復元することのトゥイーン動画を表示するように構成された、復元表示サブユニットを含む。
【００３８】
いくつかの実施形態では、この装置は、ページが第１の方向に移動され、動作活動が依然として検出されるときにページ境界に達することに応答して、ページを継続的に移動させ、ページ境界を超えるエリアを表示することであって、エリアがページとは異なる、表示することと、動作入力がもはや検出されないことに応答して、エリアがもはや表示されなくなるまで、ページを第１の方向とは反対の第２の方向に移動させることとを行うように構成された、エリア表示モジュールをさらに含む。
【００３９】
さらに別の態様によれば、本出願のいくつかの実施形態による、表示装置を備えたモバイル端末上にページを表示するための装置が提供され、この装置は、ユーザの動作活動を検出するように構成された、検出モジュールと、動作活動が検出されることに応答して、ページを表示装置上に第１の方向に移動可能に表示することであって、ページが１つまたは複数のグラフを含み、１つまたは複数のグラフが、表示装置上にグラフの初期形式で表示される、移動可能に表示することを行うように構成された、移動表示モジュールと、ページが第１の方向に移動され、動作活動が依然として検出されるときにページ境界に達することに応答して、第１のグラフの変更形式および第２のグラフの変更形式を表示することであって、第１のグラフおよび第２のグラフが、表示装置上に表示された１つまたは複数のグラフ内にありページ境界に隣接しているグラフであり、第１のグラフの変更形式が第１のグラフの初期形式とは異なり、第２のグラフの変更形式が第２のグラフの初期形式とは異なる、表示することを行うように構成されたモーフィング表示モジュールとを含む。
【００４０】
いくつかの実施形態では、モーフィング表示モジュールは、第１のグラフの変更形式および第２のグラフの変更形式を表示することであって、第２のグラフの表示された変更形式と第２のグラフの初期形式との間の差は、第１のグラフの表示された変更形式と第１のグラフの初期形式との間の差よりも大きい、表示することを行うように構成される。
【００４１】
さらに別の態様によれば、本出願のいくつかの実施形態による、表示装置を備えたモバイル端末上にページを表示するための装置が提供され、この装置は、ユーザの動作活動を検出するように構成された、検出モジュールと、動作活動が検出されることに応答して、ページを表示装置上に第１の方向に移動可能に表示することであって、ページが１つまたは複数のグラフを含み、１つまたは複数のグラフが、表示装置上にグラフの初期形式で表示される、移動可能に表示することと、動作活動がもはや検出されないことに応答して、ページをダンピング移動に続いて宣言様式で第１の方向に継続的に移動させることとを行うように構成された、移動表示モジュールと、ページの移動速度がゼロに低減されておらず、ページが第１の方向に移動されたときにページ境界に達したことを検出したことに応答して、第１のグラフの変更形式を表示することであって、第１のグラフが、表示装置上に表示された１つまたは複数のグラフ内にありページ境界に隣接しているグラフであり、第１のグラフの変更形式が第１のグラフの初期形式とは異なる、表示することを行うように構成された、モーフィング表示モジュールとを含む。
【００４２】
いくつかの実施形態では、この装置は、ページが第１の方向に移動されたときにページ境界に達したことが検出されることに応答して、ページを宣言様式で継続的に移動させ、ページ境界を超えるエリアを表示することであって、エリアがページとは異なる、表示することを行うように構成された、エリア表示モジュールと、ページの移動速度がゼロに低減されたことを検出することに応答して、エリアがもはや表示されなくなるまで、ページを第１の方向とは反対の第２の方向に移動させるように構成された、リザイリング（resiling）表示モジュールと、エリアがもはや表示されないとき、第１のグラフの初期形式を表示するように構成された、復元表示モジュールとをさらに含む。
【００４３】
さらに別の態様によれば、本出願のいくつかの実施形態による、表示装置を備えたモバイル端末上のグラフィカルユーザインターフェースが提供され、このグラフィカルユーザインターフェースは、表示装置上に表示されたページの一部分を含み、ページは１つまたは複数のグラフを含み、ユーザの動作活動が検出されるという事実に応答して、ページは第１の方向に移動され、１つまたは複数のグラフは初期形式で表示され、ページが第１の方向に移動され、動作活動が依然として検出されるときにページ境界に達することに応答して、第１のグラフの変更形式が表示され、第１のグラフは、表示装置上に表示された１つまたは複数のグラフ内にありページ境界に隣接しているグラフであり、第１のグラフの変更形式は第１のグラフの初期形式とは異なる。
【００４４】
いくつかの実施形態では、本発明の特定の実装における実装モジュールによれば、実装モジュールは、入力ユニットと、表示装置上で動画表示を実装するように構成されたオブジェクト制御とを含み、オブジェクト制御は、制御インターフェースフレームワークとページ動作プロンプト動画エンジンとを含み、ページ動作プロンプト動画エンジンは、イベント処理ユニットと、動画アルゴリズムユニットと、イベントコールバック機構ユニットと、グラフレンダリングユニットとを含む。入力ユニットは、ユーザの動作活動の入力を取得する。イベント処理ユニットは、ユーザの動作活動を検出し、ユーザの動作活動をスライディング変位情報に転換する。動画アルゴリズムユニットは、スライディング変位情報に従ってページのロケーション情報を計算する。イベントコールバック機構ユニットは、ページのロケーション情報およびスライディング変位情報に従って、ページが移動されたときにページ境界に達したかどうかを判定し、モーフィングアルゴリズムおよびレンダリングアルゴリズムを判定する。動画アルゴリズムユニットは、モーフィングアルゴリズムに従って、表示装置上に表示されたページ内のグラフのズーム情報を計算する。グラフレンダリングユニットは、ページのロケーション情報およびグラフのズーム情報、すなわち、レンダリングアルゴリズムに従って、グラフ影響描写を実施し、描写データを生成し、次いで、制御インターフェースフレームワークを呼び出すことによって、描写データを特定の表示装置に適応させて、描写データを表示装置上に表示する。
【図面の簡単な説明】
【００４５】
本発明の実施形態の技術的解決策についてよりはっきりと説明するために、以下では、本実施形態について説明するために必要とされる添付の図面について手短に説明する。添付の図面では、同じ参照符号は対応する部分を表す。明らかに、以下の説明において添付の図面は、本発明のすべての実施形態ではなく、単にいくつかの実施形態を示す。当業者は、創造的な取り組みなしに、これらの添付の図面から他の図面を依然として導出し得る。
【図１】いくつかの実施形態によるモバイル端末の概略構造図である。
【図２】いくつかの実施形態によるモバイル端末内のソフトウェアの概略図である。
【図３】いくつかの実施形態によるモバイル端末の外観の概略図である。
【図４（ａ）】いくつかの実施形態によるモバイル端末上に形式変更を表示するための例示的概略図である。
【図４（ｂ）】いくつかの実施形態によるモバイル端末上に形式変更を表示するための例示的概略図である。
【図４（ｃ）】いくつかの実施形態によるモバイル端末上に形式変更を表示するための例示的概略図である。
【図４（ｄ）】いくつかの実施形態によるモバイル端末上に形式変更を表示するための例示的概略図である。
【図４（ｅ）】いくつかの実施形態によるモバイル端末上に形式変更を表示するための例示的概略図である。
【図４（ｆ）】いくつかの実施形態によるモバイル端末上に形式変更を表示するための例示的概略図である。
【図４（ｇ）】いくつかの実施形態によるモバイル端末上に形式変更を表示するための例示的概略図である。
【図４（ｈ）】いくつかの実施形態によるモバイル端末上に形式変更を表示するための例示的概略図である。
【図４（ｉ）】いくつかの実施形態によるモバイル端末上に形式変更を表示するための例示的概略図である。
【図４（ｊ）】いくつかの実施形態によるモバイル端末上に形式変更を表示するための例示的概略図である。
【図４（ｋ）】いくつかの実施形態によるモバイル端末上に形式変更を表示するための例示的概略図である。
【図４（ｌ）】いくつかの実施形態によるモバイル端末上に形式変更を表示するための例示的概略図である。
【図４（ｍ）】いくつかの実施形態によるモバイル端末上に形式変更を表示するための例示的概略図である。
【図４（ｎ）】いくつかの実施形態によるモバイル端末上に形式変更を表示するための例示的概略図である。
【図４（ｏ）】いくつかの実施形態によるモバイル端末上に形式変更を表示するための例示的概略図である。
【図５（ａ）】いくつかの実施形態によるモバイル端末の表示装置上にページを移動可能に表示する例示的概略図である。
【図５（ｂ）】いくつかの実施形態によるモバイル端末の表示装置上にページを移動可能に表示する例示的概略図である。
【図５（ｃ）】いくつかの実施形態によるモバイル端末の表示装置上にページを移動可能に表示する例示的概略図である。
【図５（ｄ）】いくつかの実施形態によるモバイル端末の表示装置上にページを移動可能に表示する例示的概略図である。
【図５（ｅ）】いくつかの実施形態によるモバイル端末の表示装置上にページを移動可能に表示する例示的概略図である。
【図６】いくつかの実施形態による、ページを平行移動させ、ページの境界に達したことをユーザに通知するための方法のフローチャートである。
【図７（ａ）】いくつかの実施形態によるスクローリングリストの形式変更の例示的概略図である。
【図７（ｂ）】いくつかの実施形態によるスクローリングリストの形式変更の例示的概略図である。
【図７（ｃ）】いくつかの実施形態によるスクローリングリストの形式変更の例示的概略図である。
【図８（ａ）】いくつかの実施形態によるスクローリングリストの形式変更の例示的概略図である。
【図８（ｂ）】いくつかの実施形態によるスクローリングリストの形式変更の例示的概略図である。
【図８（ｃ）】いくつかの実施形態によるスクローリングリストの形式変更の例示的概略図である。
【図９（ａ）】いくつかの実施形態によるスクローリングリストの形式変更の例示的概略図である。
【図９（ｂ）】いくつかの実施形態によるスクローリングリストの形式変更の例示的概略図である。
【図９（ｃ）】いくつかの実施形態によるスクローリングリストの形式変更の例示的概略図である。
【図９（ｄ）】特定のシナリオのいくつかの実施形態による形式変更の例示的概略構造図である。
【図１０（ａ）】いくつかの実施形態によるスクローリングリストの形式変更の例示的概略図である。
【図１０（ｂ）】いくつかの実施形態によるスクローリングリストの形式変更の例示的概略図である。
【図１０（ｃ）】いくつかの実施形態によるスクローリングリストの形式変更の例示的概略図である。
【図１１（ａ）】いくつかの実施形態による、サムネイルが平行移動されるときに生じる形式変更の例示的概略図である。
【図１１（ｂ）】いくつかの実施形態による、サムネイルが平行移動されるときに生じる形式変更の例示的概略図である。
【図１１（ｃ）】いくつかの実施形態による、サムネイルが平行移動されるときに生じる形式変更の例示的概略図である。
【図１１（ｄ）】いくつかの実施形態による、サムネイルが平行移動されるときに生じる形式変更の例示的概略図である。
【図１１（ｅ）】いくつかの実施形態による、サムネイルが平行移動されるときに生じる形式変更の例示的概略図である。
【図１１（ｆ）】いくつかの実施形態による、サムネイルが平行移動されるときに生じる形式変更の例示的概略図である。
【図１２（ａ）】いくつかの実施形態による、アイコンが平行移動されるときに生じる形式変更の例示的概略図である。
【図１２（ｂ）】いくつかの実施形態による、アイコンが平行移動されるときに生じる形式変更の例示的概略図である。
【図１２（ｃ）】いくつかの実施形態による、アイコンが平行移動されるときに生じる形式変更の例示的概略図である。
【図１３（ａ）】いくつかの実施形態による、サムネイルが平行移動されるときに生じる形式変更の例示的概略図である。
【図１３（ｂ）】いくつかの実施形態による、アイコンが平行移動されるときに生じる形式変更の例示的概略図である。
【図１３（ｃ）】いくつかの実施形態による、アイコンが平行移動されるときに生じる形式変更の例示的概略図である。
【図１３（ｄ）】いくつかの実施形態による、アイコンが平行移動されるときに生じる形式変更の例示的概略図である。
【図１４（ａ）】特定のシナリオのいくつかの実施形態による、サムネイルが左方向に平行移動されるときに生じる形式変更の例示的概略図である。
【図１４（ｂ）】特定のシナリオのいくつかの実施形態による、サムネイルが左方向に平行移動されるときに生じる形式変更の例示的概略図である。
【図１４（ｃ）】特定のシナリオのいくつかの実施形態による、サムネイルが左方向に平行移動されるときに生じる形式変更の例示的概略図である。
【図１５（ａ）】いくつかの実施形態による、サムネイルが平行移動されるときに生じる形式変更の例示的概略図である。
【図１５（ｂ）】いくつかの実施形態による、サムネイルが平行移動されるときに生じる形式変更の例示的概略図である。
【図１５（ｃ）】いくつかの実施形態による、サムネイルが平行移動されるときに生じる形式変更の例示的概略図である。
【図１５（ｄ）】いくつかの実施形態による、サムネイルが平行移動されるときに生じる形式変更の例示的概略図である。
【図１５（ｅ）】いくつかの実施形態による、サムネイルが平行移動されるときに生じる形式変更の例示的概略図である。
【図１５（ｆ）】いくつかの実施形態による、サムネイルが平行移動されるときに生じる形式変更の例示的概略図である。
【図１６】いくつかの実施形態によるモバイル端末内で走るように構成されることが可能なモジュールの概略図である。
【図１７】いくつかの実施形態によるモバイル端末内で走るように構成されること可能な装置の概略図である。
【発明を実施するための形態】
【００４６】
以下は、いくつかの実施形態における添付の図面を参照して、実施形態における技術的ソリューションを明瞭に完全に説明する。明らかに、説明される実施形態は、いくつかの実施形態にすぎず、すべての実施形態ではない。いくつかのよく知られている方法、処理、構造、およびネットワークは、もはや冗長的に説明されない。
【００４７】
以下は、モバイル端末の一実施形態、モバイル端末内で使用されるグラフィカルユーザインターフェースの一実施形態、およびモバイル端末によって実装される方法の一実施形態について説明する。モバイル端末は、モバイルフォン（スマートフォンと呼ばれることもある）、タブレットコンピュータ（Ｔａｂｌｅｔ  Ｐｅｒｓｏｎａｌ  Ｃｏｍｐｕｔｅｒ）、携帯情報端末（ｐｅｒｓｏｎａｌ  ｄｉｇｉｔａｌ  ａｓｓｉｓｔａｎｔ、略して、ＰＤＡ）、電子ブックリーダー（英語：ｅ−ｂｏｏｋ  ｒｅａｄｅｒ）、装着可能デバイス（Ｗｅａｒａｂｌｅ  Ｄｅｖｉｃｅ）、仮想現実対話デバイス（Ｖｉｒｔｕａｌ  Ｒｅａｌｉｔｙ  Ｉｎｔｅｒａｃｔｉｖｅ  Ｄｅｖｉｃｅ）などであり得る。モバイル端末は、２Ｇ（第２世代モバイルフォン通信技術仕様書）、３Ｇ（第３世代モバイルフォン通信技術仕様書）、４Ｇ（第４世代モバイルフォン通信技術仕様書）、５Ｇ（第５世代モバイルフォン通信技術仕様書）、ＷＬＡＮ（ワイヤレスローカルエリアネットワーク）、または将来に出現し得る通信モードを使用することによって、ネットワークとの通信を確立し得る。
【００４８】
簡潔にするために、これは、本発明の実施形態ではさらに限定されない。説明を簡単にするために、モバイル端末は以下の実施形態における説明のための一例として使用される。
【００４９】
図１は、いくつかの実施形態によるモバイル端末１００の概略構造図である。モバイル端末は、モバイルフォン、タブレットコンピュータ、ＰＤＡ（Ｐｅｒｓｏｎａｌ  Ｄｉｇｉｔａｌ  Ａｓｓｉｓｔａｎｔ、携帯情報端末）、ＰＯＳ（Ｐｏｉｎｔ  ｏｆ  Ｓａｌｅ、ポイントオブセール）、車載コンピュータなどを含む、いずれかの端末デバイスであり得る。モバイル端末は、電話アプリケーション、インスタントメッセージ送受信アプリケーション、デジタル撮影および／または画像撮影（image shooting）アプリケーション、ウェブブラウジングアプリケーション、音楽および／またはビデオ再生アプリケーション、ビデオ通信アプリケーション、ソーシャルネットワーキングアプリケーション、金融アプリケーション、天気アプリケーション、買い物アプリケーション、およびオフィスアプリケーションなど、様々なアプリケーションをサポートし得る。
【００５０】
図１は、いくつかの実施形態によるモバイル端末１００の部分的な構造のブロック図である。図１を参照すると、モバイル端末１００は、ＲＦ（Ｒａｄｉｏ  Ｆｒｅｑｕｅｎｃｙ、無線周波数）回路１１０、メモリ１２０、入力ユニット１３０、ディスプレイユニット１４０、センサー１５０、オーディオ周波数回路１６０、ＷｉＦｉ（Ｗｉｒｅｌｅｓｓ  Ｆｉｄｅｌｉｔｙ、ワイヤレスフィデリティ）モジュール１７０、プロセッサ１８０、電源１９０などの構成要素を含む。
【００５１】
当業者は、図１に示されるモバイル端末の構造は単なる一実装における一例であり、モバイル端末に関して何の限定も構成せず、図面に示される構成要素よりも多数のまたは少数の構成要素を含むこと、もしくはいくつかの構成要素を組み合わせること、または異なる構成要素構成を有することがあることを理解されよう。
【００５２】
以下で、図１を参照しながらモバイル端末１００の各構成要素について詳細に説明する。
【００５３】
ＲＦ回路１１０は、情報を受信し、情報を送り、または呼処理において信号を受信し、信号を送るように構成され、詳細には、基地局からダウンリンク情報を受信した後に、プロセッサ１８０に処理のためにダウンリンク情報を送り、基地局に関係するアップリンクデータを送るように構成され得る。通常、ＲＦ回路は、限定はされないが、アンテナ、少なくとも１つの増幅器、トランシーバ、カプラ、ＬＮＡ（Ｌｏｗ  Ｎｏｉｓｅ  Ａｍｐｌｉｆｉｅｒ、低雑音増幅器）、およびデュプレクサを含む。加えて、ＲＦ回路１１０は、ワイヤレス通信様式でネットワークおよび別のデバイスと通信し得る。限定はされないが、ＧＳＭ（Ｇｌｏｂａｌ  Ｓｙｓｔｅｍ  ｏｆ  Ｍｏｂｉｌｅ  Ｃｏｍｍｕｎｉｃａｔｉｏｎ、モバイル通信用グローバルシステム）、ＧＰＲＳ（Ｇｅｎｅｒａｌ  Ｐａｃｋｅｔ  Ｒａｄｉｏ  Ｓｅｒｖｉｃｅ、汎用パケット無線サービス）、ＣＤＭＡ（Ｃｏｄｅ  Ｄｉｖｉｓｉｏｎ  Ｍｕｌｔｉｐｌｅ  Ａｃｃｅｓｓ、符号分割多元接続）、ＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ、広帯域符号分割多元接続）、ＬＴＥ（Ｌｏｎｇ  Ｔｅｒｍ  Ｅｖｏｌｕｔｉｏｎ、ロングタームエボリューション）、電子メール、およびＳＭＳ（Ｓｈｏｒｔ  Ｍｅｓｓａｇｉｎｇ  Ｓｅｒｖｉｃｅ、ショートメッセージサービス）を含む、どんな通信規格またはプロトコルでもワイヤレス通信のために使用され得る。
【００５４】
メモリ１２０は、ソフトウェアプログラムおよびモジュールを記憶するように構成され得、プロセッサ１８０は、メモリ１２０内に記憶されたソフトウェアプログラムおよびモジュールを走らせることによって、モバイル端末１００の様々な機能アプリケーションおよびデータ処理を実施する。メモリ１２０は、プログラムストレージエリアおよびデータストレージエリアを主に含み得る。プログラムストレージエリアは、オペレーティングシステム、（音再生機能または画像再生機能などの）少なくとも１つの機能によって必要とされるアプリケーションプログラムなどを記憶し得る。データストレージエリアは、モバイル端末１００の使用に従って作成された（オーディオデータおよび電話帳などの）データなどを記憶し得る。加えて、メモリ１２０は、高速ランダムアクセスメモリを含むことがあり、または少なくとも１つの磁気ディスクストレージデバイス、フラッシュメモリデバイス、または別の揮発性ソリッドステートストレージデバイスなどの不揮発性メモリを含み得る。
【００５５】
入力ユニット１３０は、入力されたデジタルまたは文字情報を受信し、モバイル端末１００のユーザ設定および機能制御に関係するキー信号または活動信号入力を生成するように構成され得る。詳細には、入力ユニット１３０は、タッチパネル１３１、カメラ１３２、または別の入力デバイス１３２のうちの１つまたは複数を含み得る。タッチパネル１３１は、タッチ表示またはタッチパッドであり得る。タッチ表示は、表示およびタッチエリアを統合するデバイスである。タッチパッドは、タッチ表示とは異なり、視覚的出力を表示しない、デバイスのタッチセンシティブエリアである。タッチパッドは、表示パネルとは別個のタッチセンシティブ表面であり得るか、またはタッチスクリーンを含む、タッチセンシティブ表面の拡張部分であり得る。タッチパネル１３１は、タッチパネル１３１上でまたはタッチパネル１３１の近くでユーザによって実施されるタッチ動作（たとえば、指またはスタイラスなど、いずれかの適切なオブジェクトまたはアクセサリーを使用することによってタッチパネル１３１上でまたはタッチパネル１３１の近くでユーザによって実施される動作など）を収集し、プリセットプログラムに従って対応する接続装置を駆動し得る。任意選択で、タッチパネル１３１は、タッチ検出装置およびタッチコントローラという２つの部分を含み得る。タッチ検出装置は、ユーザのタッチロケーションを検出し、タッチ動作によってもたらされた信号を検出し、信号をタッチコントローラに送信する。タッチコントローラは、タッチ検出装置からタッチ情報を受信し、タッチ情報をタッチ点座標に転換し、タッチ点座標をプロセッサ１８０に送る。加えて、タッチコントローラは、プロセッサ１８０によって送られたコマンドを受信し、実行することができる。加えて、タッチパネル１３１は、抵抗性タイプ、容量性タイプ、赤外線タイプ、および表面弾性波タイプなど、複数のタイプで実装され得る。カメラ１３２は、１つまたは複数のアナログカメラ、デジタルカメラ、深度カメラ、またはいずれかの量の前述のカメラの組合せであり得る。カメラ１３２は、プロセッサ１８０が、ビデオ信号から入力信号を収集する（たとえば、ビデオ信号からユーザのジェスチャ動作を識別する）ように、ビデオ信号を収集し、ビデオ信号をプロセッサ１８０に送信し得る。タッチパネル１３１およびカメラ１３２に加えて、入力ユニット１３０は別の入力デバイス１３３を含み得る。詳細には、別の入力デバイス１３３は、限定はされないが、物理キーボード、（ボリューム制御キーまたはオン／オフキーなどの）機能キー、トラックボール、マウス、ジョイスティック、脳波識別子、またはジャイロスコープのうちの１つまたは複数を含み得る。加えて、入力ユニット１３０は、マイクロフォン１６２、センサー１５０などをカバーし得る。いくつかの実施形態では、マイクロフォン１６２は、プロセッサが、オーディオ信号から入力信号を収集する（たとえば、オーディオ信号からユーザの音声動作を識別する）ように、オーディオ信号を収集し、オーディオ信号をプロセッサに送信し得る。
【００５６】
表示ユニット１４０は、ユーザによって入力された情報またはユーザに提供される情報、およびモバイル端末１００の様々なメニューを表示するように構成され得る。表示ユニット１４０は、表示パネル１４１、投写デバイス１４２、または別の表示デバイス１４３のうちの１つまたは複数を含み得る。任意選択で、表示パネル１４１は、ＬＣＤ（Ｌｉｑｕｉｄ  Ｃｒｙｓｔａｌ  Ｄｉｓｐｌａｙ、液晶ディスプレイ）、ＯＬＥＤ（Ｏｒｇａｎｉｃ  Ｌｉｇｈｔ−Ｅｍｉｔｔｉｎｇ  Ｄｉｏｄｅ、有機発光ダイオード）などの形式で構成され得る。さらに、タッチパネル１３１は表示パネル１４１をカバーし得る。タッチパネル１３１上のまたはその近くのタッチ動作を検出したとき、タッチパネル１３１は、タッチイベントタイプを判定するためにタッチ動作をプロセッサ１８０に送信し、次いで、プロセッサ１８０は、タッチイベントタイプに従って表示パネル１４１上に対応する視覚的出力を提供する。図１では、タッチパネル１３１および表示パネル１４１は、モバイル端末１００の１つまたは複数の入力機能を実装するための２つの独立した構成要素として働く。しかしながら、いくつかの実施形態では、タッチパネル１３１および表示パネル１４１は統合され、モバイル端末１００の入力および出力機能を実装し得る。投写デバイス１４２は、ミニプロジェクタまたは３Ｄホログラフィックプロジェクタであり得る。ミニプロジェクタは、インテリジェントグラスデバイス上にインストールされた、半透明プリズムを使用することによって、投影のために、人の目の網膜上に画像を投写するデバイスであり得る。代替として、ミニプロジェクタは、投影のためにモバイル端末の表示またはスクリーン上に画像を投写するデバイスであり得る。３Ｄ（３次元）ホログラフィックプロジェクタは、干渉および回析の原理を使用することによって物理空間内で投写を直接実施して、オブジェクトの実際の３次元画像を提示することができるデバイスである。表示パネル１４１および投写デバイス１４２に加えて、表示ユニット１４０は別の表示デバイスをさらに含み得る。詳細には、別の表示デバイスは、限定はされないが、ワイヤレスローカルエリアネットワーク、ＵＳＢ（Ｕｎｉｖｅｒｓａｌ  Ｓｅｒｉａｌ  Ｂｕｓ、ユニバーサルシリアルバス）データケーブル、およびＨＤＭＩ（Ｈｉｇｈ  Ｄｅｆｉｎｉｔｉｏｎ  Ｍｕｌｔｉｍｅｄｉａ  Ｉｎｔｅｒｆａｃｅ、高解像度マルチメディアインターフェース）ケーブルなど、１つまたは複数の接続様式でモバイル端末に接続される表示デバイス（ＴＶなど）を含み得る。
【００５７】
モバイル端末１００は、少なくとも１つのタイプのセンサー１５０、たとえば、光センサー、動きセンサー、および別のセンサーをさらに含み得る。詳細には、光センサーは、周辺光センサーおよび近接センサーを含み得る。周辺光センサーは、周辺光の輝度に従って表示パネル１４１のルミナンスを調整し得る。近接センサーは、モバイル端末１００が耳に移動したとき、表示パネル１４１および／またはバックライトをオフにし得る。動きセンサーとして、加速度センサーは、各方向（概して、３軸）の加速度値を検出することがあり、静的状態における重力の値および方向を検出することがあり、モバイル端末姿勢のアプリケーション（横長と縦長の間の切替え、関係するゲーム、および磁力計姿勢校正など）、振動識別に関係する機能（歩数計およびストライクなど）などを識別するように構成され得る。ジャイロスコープ、気圧計、湿度計、温度計、および赤外線センサーなど、他のセンサーがモバイル端末１００内でさらに構成され得、本明細書で詳細については説明されない。
【００５８】
オーディオ周波数回路１６０、ラウドスピーカー１６１、およびマイクロフォン１６２は、ユーザとモバイル端末１００との間のオーディオインターフェースを提供し得る。オーディオ周波数回路１６０は、受信されたオーディオデータが転換された後に取得された電気信号をラウドスピーカー１６１に送信することがあり、ラウドスピーカー１６１は、電気信号を音信号に転換し、音信号を出力する。加えて、マイクロフォン１６２は、収集された音信号を電気信号に転換する。オーディ周波数回路１６０は、電気信号を受信した後に、電気信号をオーディオデータに転換し、次いで、オーディオデータをプロセッサ１８０に出力して、オーディオデータを処理する。プロセッサ１８０はオーディオデータを、ＲＦ回路１１０を使用することによって、たとえば、別のモバイル端末に送るか、またはオーディオデータをメモリ１２０に出力して、オーディオデータをさらに処理する。
【００５９】
ＷｉＦｉは、短距離ワイヤレス送信技術に属する。モバイル端末１００は、ＷｉＦｉモジュール１７０を使用することによって、ユーザが、電子メールを受信し、電子メールを送り、ウェブページをブラウズし、ストリーミングメディアにアクセスすることなどを支援し得る。ＷｉＦｉモジュール１７０は、ワイヤレスブロードバンドインターネットアクセスをユーザに提供する。図１はＷｉＦｉモジュール１７０を示しているが、ＷｉＦｉモジュール１７０はモバイル端末１００の必須構成要素ではなく、本発明の本質を変更することなく要件に応じて完全に省略され得ることを理解されよう。
【００６０】
プロセッサ１８０は、モバイル端末１００の制御センターであり、様々なインターフェースおよびケーブルを使用することによってモバイル端末全体の各部分に接続され、メモリ１２０内に記憶されたソフトウェアプログラムおよび／またはモジュールを走らせるかまたは実行することによってならびにメモリ１２０内に記憶されたデータを呼び出すことによって、モバイル端末の様々な機能を実行しデータを処理して、モバイル端末上で全体的な監視を実施する。任意選択で、プロセッサ１８０は１つまたは複数の処理ユニットを含み得る。好ましくは、プロセッサ１８０は、アプリケーションプロセッサおよびモデムプロセッサを統合し得る。アプリケーションプロセッサは、オペレーティングシステム、ユーザインターフェース、アプリケーションプログラムなどを主に処理し、モデムプロセッサは、ワイヤレス通信を主に処理する。前述のモデムプロセッサは、プロセッサ１８０に統合されないことがあることを理解されよう。
【００６１】
モバイル端末１００は、各構成要素に電力を供給する電源１９０（たとえば、バッテリー）をさらに含む。好ましくは、電源は、電力管理システムを使用することによってプロセッサ１８０に論理的に接続され、電力管理システムを使用することによって、充電管理、放電管理、および電力消費管理などの機能を実装することがある。
【００６２】
図に示されていないが、モバイル端末１００は、カメラ、ブルートゥースモジュールなどをさらに含むことがあり、本明細書で詳細については説明されない。
【００６３】
図２は、いくつかの実施形態によるモバイル端末のソフトウェア構成要素の概略図である。モバイル端末１００は、ソフトウェア構成要素をさらに有する。ソフトウェア構成要素は、メモリ１２０内に記憶されることがあり、オペレーティングシステム１２１、通信モジュール１２２、グラフィックスモジュール１２３、テキスト入力モジュール１２４、測位システムモジュール１２５（全地球測位システム（ＧＰＳ）など）、アプリケーションプログラム１２６などを含み得る。
【００６４】
オペレーティングシステム１２１、たとえば、アンドロイド（Ａｎｄｒｏｉｄ）システム、ｉＯＳ（ＩＯＳ）システム、ＵＮＩＸシステム、またはウィンドウズフォンシステムは、一般的なシステムタスク（電力管理など）を制御および管理するように構成された様々なソフトウェア構成要素および／またはドライバを含み、様々なハードウェア構成要素およびソフトウェア構成要素同士の間の通信を円滑にする。
【００６５】
通信モジュール１２２は、ＲＦ回路１００および／またはＷｉＦｉモジュール１７０を使用することによって受信されたデータを管理するように構成された様々なソフトウェア構成要素を含む。
【００６６】
グラフィックスモジュール１２３は、様々なグラフを表示ユニット１４０上で表示するように構成された様々な知られているソフトウェア構成要素を含む。グラフは、限定はされないが、テキスト、項目リスト、アイコン（タッチ表示上に表示されるソフトキーアイコンまたはアプリケーションアイコンなど）、デジタル画像、ビデオ、および動画を含めて、ユーザに表示され得る、いずれかのオブジェクトを含む。
【００６７】
テキスト入力モジュール１２４は、グラフィックスモジュールを使用することによってソフトキーボードを提供し、ユーザ動作に対応するテキストを様々なアプリケーションプログラム内に入力し得る。
【００６８】
測位システムモジュール１２５は、モバイル端末のロケーションを判定し、各アプリケーションプログラムに使用するためのロケーション情報を提供するように、たとえば、マップアプリケーションにロケーション情報を提供するように構成される。
【００６９】
アプリケーションプログラム１２６は、限定はされないが、電話帳モジュール１２６ａ、インスタントメッセージ送信モジュール１２６ｂ、ウェブページブラウジングモジュール１２６ｃ、画像撮影モジュール１２６ｄ、ビデオ再生モジュール１２６ｅ、ソーシャルネットワーキングモジュール１２６ｆ、音楽再生モジュール１２６ｇ、カレンダーモジュール１２６ｈ、システム設定モジュール１２６ｉ、ピクチャ閲覧および編集モジュール１２６ｊ、アプリケーションストアモジュール１２６ｋ、電子メール送受信モジュール１２６ｌ、検索モジュール１２６ｍ、またはウィジェットモジュール１２６ｎのうちの少なくとも１つを含み得る。ウィジェットモジュール１２６ｋｎは、計算機ウィジェット、天気ウィジェット、通知ウィジェット、カレンダーウィジェットなどを含み得る。
【００７０】
プロセッサ１８０、入力ユニット１３０、表示ユニット１４０、および関係するアプリケーションプログラムを参照すると、ユーザによって入力ユニット１３０内に入力された入力信号を受信した後で、モバイル端末は、対応する計算および処理を実施し、対応する出力信号を生成し、出力信号を表示ユニット１４０に送信し、その結果、モバイル端末は、視覚的および動作可能な様式でユーザと対話することができる。いくつかの好ましい実施形態では、入力ユニット１３０および表示ユニット１４０は、タッチ表示を使用することによって実装される。
【００７１】
加えて、モバイル端末は、１つまたは複数のキーをさらに含み得る。キーは、物理キーであり得るか、または表示ユニットを使用することによって表示されるソフトキーであり得る。いくつかの実施形態では、物理キーは、実際の圧力を使用することによって加圧されて、入力を取得することがある。物理キーは、デバイスの電源をオン／オフにし、デバイスをロックするためのボタンと、音量を調整するためのボタンとを含み得る。ソフトキーは、上記で説明された様式でタッチされて、入力を取得することがある。代替的実施形態では、モバイル端末１００は、マイクロフォン１６２を使用することによって、いくつかの機能をアクティブ化させるために使用される音声入力を受信するか、またはセンサー１５０を使用することによって、いくつかの機能をアクティブ化させて、たとえば、重力センサーを使用することによってシェーク活動を取得するために使用される活動入力を受信することがさらにあり得る。
【００７２】
以下の実施形態のうちのいくつかでは、表示装置としてタッチ表示を有するモバイル端末は、詳細な説明を継続的に提供するための一例として使用される。当業者は、ミニプロジェクタまたは３Ｄホログラフィックプロジェクタなど、別の表示装置が依然として適用可能であり、依然として以下の実施形態の代替ソリューションであり得ることを理解されよう。
【００７３】
図３は、いくつかの実施形態による、タッチ表示を備えたモバイル端末の概略図である。ラウドスピーカー１６１、カメラ１３２、センサー１５０、およびいくつかの物理キー２１０（音量制御キーおよびスクリーンロック／アンロックキーなど）に加えて、モバイル端末１００はタッチ表示２００を有する。ユーザは、タッチ表示２００上で様々なタッチ動作を実施することによって制御命令を入力し得る。タッチ動作は、１つまたは複数の指２０２またはスタイラスを使用することによって対応するエリアをタッチして、指示されたオブジェクトを制御することを含む。タッチは、ワンタイムのタッピング、複数回の継続的タッピング、またはタッチ表示２００上に存続してスライドすること（左から右へ、右から左へ、上方／下方に、円を描くなど）を含み得る。たとえば、ユーザの指がタッチ表示２００上に残り、スライドするとき、モバイル端末１００は、現在のページをスライディング方向に平行移動させる処理をタッチ表示２００上に提示する。タッチ表示２００は、ユーザと対話するために使用されるユーザインターフェースを表示するように構成され、ユーザインターフェースを直観的な様式で提示することができ、動作させ易い様式でユーザとの対話を提示することができる。
【００７４】
ユーザインターフェースが使用され、単一レイヤにおいてまたは複数のレイヤにおいて１つまたは複数のページを提示する。ユーザインターフェースは、複数のタイプの対話フレームワークを使用することによって提示され得る。図４（ａ）および図４（ｂ）を参照すると、たとえば、ユーザインターフェース３００は、フレームワークをラベル形式で使用することによって提示される。ユーザがいずれかのラベル３０１を選択するとき、ユーザインターフェース３００は、そのラベルに対応するページ、すなわち、ラベル３０１に対応するページ３０２にジャンプする。図４（ｃ）および図４（ｄ）に示されるように、ユーザインターフェース３００は、引き出し形式でさらに提示されることが可能である。ユーザが引き出し形式の拡張アイコン３０３をタップするとき、ナビゲーションのために使用される隠れたページ３０５がユーザインターフェース内に拡張される（タップされるとき、ユーザインターフェース内にサブインターフェース３０５が表示され、現在のインターフェース３０４のすべてまたは一部分をカバーし得る）。ページ３０５は、別のページを入力するためのエントリを含むページである。同様に、図４（ｅ）に示されるように、ユーザインターフェース３００は、ドット収集（dot-gathering）形式で提示される。すなわち、サブインターフェースを入力するために使用されるアイコンは、特定のアイコン（ドットアイコンなど）の中に隠されている。ユーザがアイコンをタップするとき、ページを入力するために使用される、隠されたアイコンは、そのアイコンの周囲に拡張される。ユーザインターフェース３００は、図４（ｆ）および図４（ｇ）に示されたリスト形式で、図４（ｈ）および図（ｉ）に示されたスプリングボード形式で、図４（ｊ）および図４（ｋ）に示された展覧会ギャラリー形式で、または図４（ｌ）および図４（ｍ）に示されたウォーターフォール形式でフレームワークを使用することによってさらに提示されることが可能である。ユーザは、ユーザインターフェース３００内のリスト３０６、アイコン３０７、またはサムネイル３０８をタップして、詳細ページ（図示せず）にジャンプし、閲覧することができる。加えて、ユーザインターフェース３００は、図４（ｎ）および図４（ｏ）に示された交替形式でフレームワークを使用することによってさらに提示されることが可能である。ユーザは、タッチ表示上でスライド動作（たとえば、左から右にスライドする、または右から左にスライドする）を実施して、異なるページ３１０に交替することができる。現在のスクリーン識別子３０９は、現在のページ３１０のシーケンス番号またはロケーションをユーザに通知する。いくつかの実施形態では、対話フレームワークは、複数のレイヤにおいてページを有し得る。前述の実施形態において各ページ内に提示されるフレームワークは、下位レイヤにおいてページを継続的に有することが可能であり、下位レイヤにおけるページの実装は限定されない。
【００７５】
図４（ｂ）、図４（ｄ）、図４（ｅ）、図４（ｇ）、図４（ｉ）、図４（ｋ）、図４（ｍ）、および図４（ｏ）は、特定のアプリケーションシナリオの概略図であり、前述の説明の理解を促進する。しかしながら、図における特定のシナリオおよび特性は、図に示された特定のシナリオおよび特性に限定されない。
【００７６】
いくつかの実施形態では、ページ全体またはタッチ表示２００上に直接見られるページの一部分は、モバイル端末１００のタッチ表示２００上に提示され得る。各ページは、複数のタイプのグラフを含み得る。グラフは、文字、表、画像、動画、ビデオ、およびオーディオなどの提示要素を含み得る。グラフは、電子文書、項目リスト、サムネイル、デジタル画像、アプリケーションアイコンなどであり得る。
【００７７】
いくつかの実施形態では、タッチ表示２００は、グラフの一部分のみをページ内に表示し、ユーザの動作活動を検出し、動作活動の移動に従って、ページを平行移動させる処理を対応して表示し、たとえば、項目リストをスクローリング様式で表示し、電子文書を平行移動様式で表示し、またはマルチスクリーン切替えを交替様式で表示する。動作活動の移動は、加速、速度、方向、変位などを含む。ページを平行移動させる処理では、動作活動の移動に従って、対応する方向、対応する平行移動レート、および対応する加速度が判定され得る。
【００７８】
いくつかの実施形態では、図５（ａ）から図５（ｃ）を参照すると、モバイル端末１００のタッチ表示２００は、ページ３００の一部分を提示し、ページ３００は、特定の瞬間にタッチ表示２００上に表示されるグラフ４００（ａ）と、その瞬間にタッチ表示２００上に表示されないグラフ４００（ｂ）とを含む複数のグラフ４００を有する。ユーザは、タッチ表示２００上でスライド動作を実施して、ページ３００のエリアの一部分またはエリア全体を表示することができる。図５（ｂ）に示されるように、ページ３００は、指の活動に従って上方に平行移動され、他の部分が表示される。ユーザが下部から上部に複数回のスライド動作を継続的に実施した場合、ページ３００は上方に平行移動され、ページ３００の下部ページ境界に達する。いくつかの実施形態では、図５（ｄ）に示されたタッチ表示２００およびページ３００に関して、ユーザはタッチ表示２００上で左方向／右方向にスライドして、それに応じてページ３００を左方向および右方向に移動させることによって、ページ３００を移動可能に表示する。いくつかの実施形態では、図５（ｅ）に示されたタッチ表示２００およびページ３００に関して、ユーザはタッチ表示２００上で左方向／右方向または上方／下方にスライドして、それに応じてページ３００を移動させることによって、ページ３００を移動可能に表示し得る。
【００７９】
いくつかの実施形態では、スライド動作のレート、振幅、方向、および加速度の変更に従って、モバイル端末１００がページ３００を平行移動させるとき、対応する移動変更もやはり生じる。ページ３００の平行移動加速度は、摩擦モデルに従って、すなわち、ダンピング移動をシミュレートする様式で判定され得る。ページ３００内のコンテンツは、文字、画像、ビデオ、またはオーディオのうちのいずれか１つまたはいずれかの組合せを含み得る。ページ３００内のいずれかのコンテンツは、別のページにジャンプするハイパーリンク属性を有し得る。
【００８０】
いくつかの実施形態では、ページは、摩擦移動をシミュレートする様式で平行移動され得る。
【００８１】
図６は、いくつかの実施形態による、ページを平行移動させるための方法のフローチャートである。この方法は、現在ページ境界に達していることをユーザに通知するための方法を提供する。
【００８２】
初めに、ステップＳ１０１において、ユーザの動作活動が検出される。いくつかの実施形態では、検出処理は、モバイル端末１００によってリアルタイムで継続的に実施される。
【００８３】
入力信号を取得した後で、モバイル端末１００の入力装置は、入力信号をプロセッサ１８０に送る。プロセッサ１８０は、入力信号を処理して、入力信号からユーザの動作活動を検出する。いくつかの実施形態では、検出方法は、以下の方法のうちのいずれか１つまたはいずれかの組合せであり得る。
【００８４】
（１）タッチ表示は、タッチ信号を取得し、タッチ信号をプロセッサに送る。プロセッサは、タッチ信号から、プリセット条件を満たすタッチ活動を検出する。いくつかの実施形態では、タッチ活動は、ユーザの指またはスタイラスを使用することによって、タッチ表示上で実施される移動である。
【００８５】
（２）物理ボタンは、加圧信号を取得し、加圧信号をプロセッサに送る。プロセッサは、１つまたは複数の加圧信号から、プリセット条件を満たす加圧入力を検出して、加圧命令を検出する。
【００８６】
（３）マイクロフォンは、オーディオ信号を取得し、オーディオ信号をプロセッサに送る。プロセッサは、音声認識を実施し、オーディオ信号を分析して、音声命令を検出する。
【００８７】
（４）カメラは、ビデオ信号を取得し、ビデオ信号をプロセッサに送る。プロセッサは、画像認識を実施し、ビデオ信号を分析して、ジェスチャ活動、身体活動、および眼球活動を検出する。
【００８８】
（５）加えて、脳波取得手段は、ユーザの脳波信号を直接取得し、脳波信号をプロセッサに送る。プロセッサは、脳波信号を分析して、ユーザの精神的な命令を検出する。
【００８９】
次いで、ステップＳ１０２で、動作活動が検出されることに応答して、ページが表示装置上に第１の方向に移動可能に表示され、ページは１つまたは複数のグラフを含み、１つまたは複数のグラフは初期形式で表示される。
【００９０】
いくつかの実施形態では、各ページは１つまたは複数のグラフを含むことがあり、複数のグラフは複数のタイプのグラフであり得る。グラフは、文字、表、画像、動画、ビデオ、およびオーディオなどの要素を含み得る。グラフは、電子文書、文字、項目リスト、デジタル画像、アイコン、動画、ビデオなどであり得る。いくつかの実施形態では、グラフはショートメッセージリストである。いくつかの実施形態では、グラフは、さらなる他のリスト、たとえば、電子メールメッセージリスト、連絡先リスト、第３者のインスタントメッセージングメッセージのリスト、フォルダリスト、メモリスト、アルバム名リスト、金融手形リスト、ウェブブラウジングメッセージリスト、システム設定項目リスト、文書リスト、またはブックマークリストであり得る。いくつかの実施形態では、電子文書は、文字、表、画像、動画、ビデオ、およびオーディオなどの提示要素を含む文書、たとえば、文字文書、提示文書、電子メール、電子スプレッドシート、またはウェブページであり得る。サムネイルは、ギャラリーサムネイル、アプリケーションエントリサムネイルなどであり得る。アイコンは、アプリケーションアイコン、カテゴリーアイコンなどであり得る。
【００９１】
いくつかの実施形態では、第１の方向は、ページがタッチ表示２００上で移動された方向であり、垂直方向、水平方向、および斜め方向であり得る。第１の方向は、動作活動の方向に対応しているが、動作方向の方向と同じでないことがある。たとえば、ユーザがタッチ表示を垂直方向にスライドするとき、対応する第１の方向は垂直方向である。いくつかの実施形態では、タッチ表示上のユーザのスライディング方向と垂直方向との間に含まれた角度が斜角度範囲未満である（限定の代わりに一例として、３０°未満である）場合、ユーザのタッチ活動のスライディング方向が検出され得、投写原理に従って垂直方向に投写され得、ページは、投写の後で取得された垂直方向に平行移動される。
【００９２】
いくつかの実施形態では、ユーザジェスチャを認識するための制御様式の場合、ユーザによって空中で実施されるジェスチャ活動が垂直方向にスライドするとき、タッチ表示２００上の対応する第１の方向は垂直方向である。
【００９３】
いくつかの実施形態では、ページ境界に達する前に、ページの移動レートはユーザの動作活動の移動レートに対応し得、その結果、ユーザの動作体験は現実により近づけられる。いくつかの実施形態では、ユーザの指がタッチ表示上を特定の速度でスライドするとき、ページは対応する移動レートで転移されるように駆動される。次いで、ユーザの指がタッチ表示を突然離れた場合、移動が停止されるまで、ページは、摩擦移動の原理に従って宣言様式で移動され得る。
【００９４】
この場合、初期形式は、グラフが通常表示されるときの、グラフの色、形状、サイズ、および透過性などの形式である。
【００９５】
次いで、モバイル端末は、表示されたページが第１の方向に移動されたとき、ページ境界に達したかどうか、すなわち、ページの終点に達したかどうかを判定するステップ、およびページ境界に達した場合、この場合、対応する動作活動が依然として検出される場合、複数のグラフのうち、境界に隣接している少なくとも１つのグラフの変更形式を表示するステップであって、グラフの変更形式が初期形式とは異なる、表示するステップであるステップＳ１０３を実施する。
【００９６】
いくつかの実施形態では、ページが第１の方向に移動されたときにページ境界に達したという事実、および動作活動が依然として検出されることに応答して、モバイル端末１００は、警告音をさらに再生し得る。ユーザは、警告音を再生することによってさらにプロンプトされる。
【００９７】
いくつかの実施形態では、モバイル端末１００は、ページ３００が移動されたときにページ境界に達したかどうかをリアルタイムで検出し得る。
【００９８】
検出からモバイル端末１００の応答まで特定の処理持続時間が存在する。いくつかの実施形態では、モバイル端末１００は、ページ３００が移動されたときにページ境界に達したことが検出されるときに応答を行うように設定され得る。
【００９９】
たとえば、モバイル端末１００が、ページが表示エリアの境界に移動されたことを検出し、表示エリアの境界とページに対応するページ境界との間の距離が、距離しきい値未満であり（たとえば、距離しきい値は、限定はされないが、２ミリメートルであり）、動作活動が依然として現在存在することを判定するとき、モバイル端末１００は、複数のグラフのうち、境界に隣接している少なくとも１つのグラフの変更形式を表示する。
【０１００】
別の例では、ページのページ境界およびタッチ表示２００の表示エリアの境界が重複することが予測される時間が、ページの移動速度および加速度、ならびに表示エリアの境界とページに対応するページ境界との間の距離に従って計算される。予測される重複時間が時間しきい値（たとえば、時間しきい値は、限定はされないが、０．１秒である）未満であるとき、動作活動が依然として現在存在することが判定され、複数のグラフのうち、境界に隣接している少なくとも１つのグラフの変更形式が表示される。
【０１０１】
いくつかの実施形態では、モバイル端末１００が、ページ３００が移動されたときにページ境界に達したことを検出し、動作活動の持続時間が特定のしきい値を超えることを検出した（限定の代わりに一例として、ページ３００が移動されたときにページ境界に達した後で、ユーザによって実施される継続的なスライディングの持続時間が０．１秒を超えることが検出された、またはユーザによって実施される継続的なスライディングの距離が２ミリメートルを超えることが検出された）後で、モバイル端末１００は、代替として、複数のグラフのうち、境界に隣接している少なくとも１つのグラフの変更形式を表示し得る。
【０１０２】
ページ境界に達していることに事前に応答するか、またはページ境界に達していることに後で応答する前述の様式において、モバイル端末１００は、よりフレキシブルな様式でユーザにプロンプトし、ユーザの使用習慣に従って、より頻繁にユーザと対話することができる。モバイル端末１００が応答した後で、複数のグラフのうち、境界に隣接している少なくとも１つのグラフの変更形態を表示する表示様式に関しては、本明細書の実施形態を参照されたい。
【０１０３】
図５（ａ）から図５（ｃ）を参照すると、タッチ表示２００は、ページ３００のすべてまたは一部分を表示する。モバイル端末１００が、ユーザの指が第１の方向に移動するという動作活動を検出するとき、ページ３００は第１の方向に対応する方向に移動される。図５（ｃ）に示されるように、モバイル端末１００がページ境界およびタッチ表示２００の表示エリアの境界が重複することを検出するとき、モバイル端末１００は、表示されたページが現在移動されているとき、ページ境界に達したことを判定する。たとえば、図５（ａ）に示されるように、ユーザの指はタッチ表示２００上で下部から上部に、または上部から下部にスライドする。指が上部から下部に移動し（すなわち、第１の方向がタッチ表示２００に沿った下方移動方向であり）、ページ４００の上部ページ境界に達したとき、ページ４００の上部ページ境界に隣接しているいくつかの第１のグラフ４００ｃの形式は変更され、グラフの変更形式が表示される。
【０１０４】
さらに、移動ページに関して、判定が事前に実施され、ページの境界に達したときに適時に応答し得る。詳細には、いくつかの実施形態では、判定方法は、モバイル端末によって、ページの現在の移動方向、移動速度、および移動加速度、ならびにタッチ表示の表示境界を判定するステップと、移動方向に従って、達することが予想されるページの境界を判定するステップと、移動速度および移動加速度に従って、境界に達することになる予想時間を推定するステップと、予測される時間が到着したとき、ページの境界およびタッチ表示２００の表示エリアの境界が重複するかどうかを検出するステップと、ページの境界およびタッチ表示２００の表示エリアの境界が重複する場合、表示されたページの境界に達したことを判定するステップとをさらに含み得る。この期間の間、ページの移動方向、移動速度、および移動加速度のうちのいずれかが変更された場合、計算が再度実施される。
【０１０５】
いくつかの実施形態では、グラフの変更形式は、以下の変更のうちのいずれか１つまたはいずれかの組合せを含む：形状変更、サイズ変更、透過性変更、または色変更。たとえば、グラフ（アイコン、文字、サムネイル、またはリストなど）がより大きくまたはより小さくなり、グラフは長方形から台形に漸進的に変更され、次いで、三角形に漸進的に変更され、グラフの透過性が漸進的により高まるか、またはグラフの色がマルチカラーからグレイに漸進的に変更される。
【０１０６】
グラフの形状変更またはサイズ変更は、グラフの形状およびサイズの変更であり、グラフのエリアの一部分が表示装置の表示エリアの外に移動され、残りのエリアが表示装置の表示エリア上に表示される場合は、グラフの形式またはサイズの変更に属さないことに留意されたい。
【０１０７】
いくつかの実施形態では、境界に隣接しているグラフは、境界に最も近いグラフもしくはグラフの行であり得るか、または境界から開始して最後のいくつかのグラフもしくは最後のいくつかの行であり得る。たとえば、項目リストは、第１の行、最後の行、第１の列、および最後の列を有する。境界に隣接しているグラフは、第１の行、最後の行、第１の列、または最後の列の中にあり得る。境界にあるまたは境界に隣接しているグラフは、第１の行から第３の行の中のグラフ、最後の行から最後から３番目の行までの中のグラフ、第１の列から第３の列の中のグラフ、または最後の列から最後から３番目の列の中のグラフであり得る。当然、当業者は、第１の行または第３の行は説明のための一例に過ぎないことを理解されよう。隣接しているグラフの特定の量は、実際のシナリオに従って詳細に設定されることがあり、本明細書で限定されない。
【０１０８】
境界に隣接しているグラフに加えて、ページは、境界に隣接していない１つまたは複数のグラフをさらに含み得る。境界に隣接していない１つまたは複数のグラフは、最初から終わりまで初期形式で表示され、形式は変更されない。
【０１０９】
ページ内の境界に隣接しているグラフの変更形式は、様々な好ましい様式で表示され得る。たとえば、グラフが直接変更された後に取得された形式が表示され、初期形式の代わりに、変更の後に取得された形式が表示される。代替として、初期形式から漸進的に変化する動的に変更された形式が変更段階において表示される。
【０１１０】
いくつかの実施形態では、変更形式は、初期形式が直接ジャンプして変更される変更形式であり得、初期形式が変更形式にジャンプした後で、動作活動が継続的に実施されていることが検出されるとき、グラフの変更形式が静的な様式で表示される。たとえば、ページが第１の方向に移動されたときに境界に達し、ユーザの指を使用することによってタッチ表示上で実施されたタッチ活動が検出されるとき、ページ内で境界に隣接している、初期サイズのものであるアイコンを表示することは、初期サイズのアイコンがズームアウトした後に取得されたアイコンを表示することに直接切り替わり、ユーザがタッチ活動を終了するまで、初期サイズのアイコンがズームアウトした後に取得されたアイコンが表示される。別の例の場合、ページが第１の方向に移動されたときに境界に達し、動作活動が検出されるとき、ページ内の境界に隣接している四角形アイコンを表示することは、三角形アイコンを表示することに直接切り替わり、ユーザがタッチ活動を終了するまで、三角形アイコンが表示される。
【０１１１】
いくつかの実施形態では、変更形式は、初期形式から漸進的に動的に変化し得る。すなわち、動作活動が継続的に実施されていることが検出されるとき、ページ内の境界に隣接している少なくとも１つのグラフのものであり、動的に変化する変更形式が表示され、動作活動の活動範囲がより大きい場合、初期形式から変更形式への形式変更はより大きく、すなわち、変更形式は初期形式とより異なって見える。たとえば、ページが第１の方向に移動されたときに境界に達し、ユーザの指を使用することによってタッチ表示上で実施されたタッチ活動が検出された時間から開始して、ページ内の境界に隣接するアイコンが初期サイズから直接漸進的にズームアウトされる動的変更が表示され、タッチ活動の移動範囲がより大きい場合、アイコンのサイズはより小さい。タッチ活動の移動範囲は本明細書において第１の方向の移動範囲を条件とし、すなわち、タッチ活動のものであり、第１の方向にある移動距離がより大きい場合、タッチ活動の移動範囲はより大きい。
【０１１２】
いくつかの実施形態では、変更形式は、動作活動が指定された範囲を超えないとき、初期形式から漸進的に動的に変化し得る。しかしながら、動作活動が特定の範囲を超える場合、変更形式は漸進的に変更されない。すなわち、動作活動が継続的に実施されていることが検出されるとき、ページ内の境界に隣接している少なくとも１つのグラフのものであり、動的に変化する変更形式が表示され、動作活動の活動範囲がプリセット範囲内でより大きい場合、グラフの初期形式から変更形式への形式変更はより大きく、すなわち、変更形式は初期形式とより異なって見える。動作活動の活動範囲がプリセット範囲を超えるとき、グラフの静的変更形式が表示される。たとえば、ページが第１の方向に移動されたときに境界に達し、ユーザの指を使用することによってタッチ表示上で実施されたタッチ活動が検出された時間から開始して、ページ内の境界に隣接するアイコンが初期サイズから直接漸進的にズームアウトされる動的変更が表示され、タッチ活動の移動範囲がより大きい場合、アイコンのサイズはより小さい。タッチ活動の移動範囲がプリセット範囲を超えるとき、アイコンのサイズは、移動範囲がプリセット範囲に達したときに取得されたサイズに保持され、もはや低減されない。タッチ活動の移動範囲は本明細書において第１の方向の移動範囲を条件とし、すなわち、タッチ活動のものであり、第１の方向にある移動距離がより大きい場合、タッチ活動の移動範囲はより大きい。
【０１１３】
いくつかの実施形態では、境界に達したとき、グラフのサイズ変更またはグラフの変更を変換することによってグラフの変更形式が提示され得、特定のステップは以下を含む。Ａ１．ページ内の達した境界に隣接する少なくとも１つのグラフを判定し、境界に隣接する少なくとも１つのグラフの各画素のものである、タッチ表示上のロケーション座標を取得する。Ｂ１．サイズ変更規則に従って、各画素の座標の変換パラメータを判定する。Ｃ１．変換パラメータに従って、各画素の新しいロケーション座標を判定する。Ｄ１．画素の新しいロケーション座標においてグラフの各画素を再度描写および表示し、変更形式を表示する。
【０１１４】
いくつかの実施形態では、形状変更を使用することによってグラフの変更形式が提示される場合、形状変更は、テーラリング様式でさらに表示され得、特定のステップは以下を含む。Ａ２．ページ内の達した境界に隣接する少なくとも１つのグラフを判定し、境界に隣接する少なくとも１つのグラフの各画素のものである、タッチ表示上のロケーション座標を取得する。Ｂ２．サイズ変更規則に従って変更された形状を判定し、削除されることになる画素、および変更に先立つ形状と変更された形状との間の対応に従って予約されることになる各画素の座標の変換パラメータを判定し、すなわち、グラフの初期形式をテーラリングする。Ｃ２．変換パラメータに従って、予約されることになる各画素の新しいロケーション座標を判定する。Ｄ２．予約された画素の新しいロケーション座標において予約された画素を再度描写および表示し、変更形式を表示する。
【０１１５】
いくつかの実施形態では、境界に達したとき、透過性またはグレイスケール変更を使用することによって、グラフの変更形式が提示され得る。詳細には、変換パラメータは、透過性またはグレイスケール変更規則に従って判定され、変換パラメータに従って、変更された透過性または変更されたグレイスケールが判定され、変更された透過性またはグレイスケールに従って、グラフが再度描写および表示されて、変更形式を表示する。
【０１１６】
いくつかの実施形態では、ステップＳ１０３において、タッチ表示２００上に表示されたページ内の境界に隣接しているグラフ内で、グラフが第１の方向でページ境界により近い場合、グラフの初期形式からグラフの変更形式までの形式変更はより大きい。
【０１１７】
いくつかの実施形態では、変換パラメータは、定数であり得るか、または変数であり得る。変数は、ユーザの動作活動の変位Ｄ、もしくはページ境界までのランキングの後で取得された各グラフのランクＮに関係し得るか、または直接ジャンプして変更形式を表示するか、もしくはユーザの動作活動の振幅に従って、漸進的に変更される変更形式およびページ境界から開始する複数のグラフの段階的変更のパターンを表示するように、変位とランクの両方に関係し得る。
【０１１８】
そのサイズが低減されたグラフの変更形状を表示する様式の場合、各画素の座標の変換パラメータＰａｒａｍｅｔｅｒは、グラフのサイズのズームアウト比率Ｉｔｅｍに関係し、すなわち、Ｐａｒａｍｅｔｅｒ＝Ｆ（Ｉｔｅｍ）である。
【０１１９】
特定のシナリオのいくつかの実施形態では、各グラフのサイズに対するズームアウトＩｔｅｍＮの場合、ＩｔｅｍＮ＝Ｓ（（Ｎ−１）×Ｄ）であり、式中、Ｎは、ページ境界からのランキングの後に取得されたランクであり、Ｄは、隣接しているランクのグラフ同士の間の段階的変更比率であり、Ｓは、ページ境界からのランキングの後に取得された第１のグラフまたはグラフの第１の行のズームアウト比率である。たとえば、ページ境界からのランキングの後で取得された第１のグラフのズームアウト比率が０．２である場合、隣接しているランクのグラフ同士の間の段階的変更比率は０．２であり、ページ境界に隣接している４つのグラフのズームアウト比率は以下の通りである：第１のグラフのズームアウト比率は０．２であり（すなわち、変更形式のサイズは、初期形式のサイズの２０％であり）、第２のグラフのズームアウト比率は０．４であり、第３のグラフのズームアウト比率は０．６であり、第４のグラフのズームアウト比率は０．８である。
【０１２０】
この方法はステップＳ１０４をさらに含み得る。ステップＳ１０４で、ステップＳ１０３の後に、動作活動がもはや検出されないことに応答して、モバイル端末は、ページ内にグラフを表示し、これらのグラフは初期形式で表示される。
【０１２１】
いくつかの実施形態では、ユーザの手がタッチ表示２００を離れるとき、モバイル端末１００は、動作活動をもはや検出せず、ページ内のグラフが変更形式から初期形式（すなわち、変更に先立つ初期形式）に復元される処理を表示する。
【０１２２】
いくつかの実施形態では、変更形式から初期形式に復元する様式は、ジャンピング変更、すなわち、変更形式から初期形式への直接更新であり得る。
【０１２３】
いくつかの実施形態では、変更形式から初期形式への復元様式で、変更形式から初期形式にグラフを漸進的に復元することのトゥイーン動画が表示され得、すなわち、変更形式からのグラフの漸進的な復元は、初期形式が表示されるまで、特定の持続時間内で提示される。
【０１２４】
この方法は、ページが第１の方向に移動され、動作活動が依然として検出されるときにページ境界に達することに応答して、ページを継続的に移動させるステップと、ページ境界を超えるエリアを表示するステップであって、エリアがページとは異なる、表示するステップと、動作入力がもはや検出されないことに応答して、エリアがもはや表示されなくなるまで、ページを第１の方向とは反対の第２の方向に移動させるステップとをさらに含む。
【０１２５】
いくつかの実施形態では、モバイル端末１００は、表示された提示様式で、ページ境界を超えるエリアを提示し得る。詳細には、ページが第１の方向に移動されたときにページ境界に達したことに応答して、モバイル端末１００は、短時間の間、ページを移動させることを停止し、動作活動が特定のしきい値にわたって存続することを検出した後で（限定の代わりに一例として、ページ３００が移動されたときにページ境界に達した後で、ユーザが０．１秒を超えて連続的にスライドすることが検出された後で、またはユーザが２ミリメートルを超えて連続的にスライドすることが検出された後で）、ページを継続的に移動させ、ページ境界を超えるエリアを表示する。
【０１２６】
図７（ａ）から図７（ｃ）は、いくつかの実施形態によるスクローリングリストのページの例示的概略図である。いくつかの実施形態では、ＳＭＳメッセージリストがページ内に提示される一例が使用され、詳細な説明を提供する。図７（ａ）に示されるように、初期状態で、ＳＭＳメッセージリスト内のすべてのＳＭＳメッセージのサイズは、基本的に同じであり得る。
【０１２７】
モバイル端末１００が、ユーザの指がタッチ表示上を上方または下方にスライドしていることを検出するとき、スライド動作に従って、ページ内のＳＭＳメッセージリストがページ内に平行移動様式で表示される。
【０１２８】
いくつかの実施形態では、図７（ｂ）に示されるように、モバイル端末１００が、ユーザの指がタッチ表示上を下方にスライドしていることを検出し、ページが下方に平行移動され、ページの上部境界に達したとき、ユーザがタッチ表示上を下方にスライドしていることが依然として検出される場合、ページ内でＳＭＳメッセージリスト１を縦方向に拡大する動画が提示される。すなわち、ページの上部境界に達したとき、ＳＭＳメッセージリスト１の拡大が表示され始め、ユーザの指を使用することによって実施される下方スライディングの距離が長くなるにつれて、表示されるＳＭＳメッセージリスト１は拡大される。いくつかの実施形態では、ユーザの指を使用することによって実施される下方スライディングの距離が長くなる処理において、表示されるＳＭＳメッセージリストは、それに応じて特定のサイズにズームアウトされた後に、もはやズームアウトされないように設定され得る。ユーザが指を解放した後で、ＳＭＳメッセージリスト１は、漸進的にズームインされ、図７（ａ）に示されている初期状態のサイズに復元され、その場合、モーフィングは実施されない。その復元処理の動画は、漸新的な復元を表示する様式、または即時復元（ジャンピング復元）を表示する様式であり得る。
【０１２９】
いくつかの実施形態では、ユーザの指がタッチ表示上で下方にスライドし、ページが下方に平行移動され、ページの上部境界に達したとき、ユーザがタッチ表示上で下方にスライドしていることが依然として検出される場合、図８（ａ）に示されるように、ユーザがスライド動作を継続するにつれて、ページ内でＳＭＳメッセージリスト３、ＳＭＳメッセージリスト２、およびＳＭＳメッセージリスト１をズームアウトする動画が提示される。すなわち、ページの上部境界に達したとき、ＳＭＳメッセージリスト３、ＳＭＳメッセージリスト２、およびＳＭＳメッセージリスト１をズームアウトする処理が表示され始め、ＳＭＳメッセージリスト３からＳＭＳメッセージリスト２へ、次いで、ＳＭＳメッセージリスト１への減少するズームアウトが生じる。加えて、図８（ｂ）に示されるように、ユーザの指を使用することによって実施される下方スライディングの距離が長くなるにつれて、ＳＭＳメッセージリスト３、ＳＭＳメッセージリスト２、およびＳＭＳメッセージリスト１がより小さくなる変更が表示される。ユーザが指を解放した後で、ＳＭＳメッセージリスト３、ＳＭＳメッセージリスト２、ＳＭＳメッセージリスト１のサイズは、図８（ｃ）に示された初期状態（すなわち、モーフィングされていない状態）に復元される。その復元処理の動画は、漸新的な復元を表示する様式、またはジャンピング復元を表示する様式であり得る。いくつかの実施形態では、ページ境界に達し、動作活動が依然として検出されるとき、図８（ａ）に示されたＳＭＳメッセージリストをズームアウトする動画が表示され、加えて、図９（ａ）に示されるように、ページ全体を下方に継続的に移動させることが表示され得、ページ境界を超えるエリア５００が表示され得る。図９（ｂ）に示されるように、ユーザの指を使用することによって実施される下方スライディングの距離が長くなるにつれて、ページ境界を超えるエリア５００はより大きくなる。いくつかの実施形態では、ユーザの指を使用することによって実施される下方スライディングの距離が長くなる処理において、特定のサイズに達した後で、ページ境界を超えるエリア５００はもはやより大きくならないように設定され得る。ページ境界を超えるエリア５００は、ブランクエリアであり得る。ユーザが指を解放した後で、図９（ｃ）に示されるように、ＳＭＳメッセージリストのサイズは、初期状態、すなわち、モーフィングが実施されない初期状態に復元され、同時に、ページ境界がタッチ表示の境界と整合する位置にページ境界が復元され、ページ境界を超えるエリア５００はもはや表示されない。その復元処理の動画は、復元された表示パターンに直接ジャンプする動画、または文書境界を超えるエリア５００がもはや表示されなくなるまで、リザイリング様式で第１の方向の反対方向にページを平行移動して戻す動画であり得る。図９（ｂ）を参照すると、図９（ｄ）は、特定のシナリオのいくつかの実施形態における、ページ境界に達し、ユーザの指がタッチ表示上でスライディングタッチ活動を実施していることが依然として検出されるときの、ユーザインターフェース内のＳＭＳメッセージリストの変更形式の概略図である。
【０１３０】
図１０（ａ）から図１０（ｃ）は、いくつかの実施形態によるスクローリングリストの形式変更の例示的概略図である。いくつかの実施形態では、ユーザの指がタッチ表示上で下方にスライドし、ページが下方に平行移動され、ページの上部境界に達したとき、ユーザがタッチ表示上で下方にスライドしていることが依然として検出される場合、図１０（ｂ）に示されるように、ユーザがスライド動作を継続するにつれて、ページ内でＳＭＳメッセージリスト３、ＳＭＳメッセージリスト２、およびＳＭＳメッセージリスト１の形状変更の動画が提示される。すなわち、ページの上部境界に達したとき、ＳＭＳメッセージリスト３、ＳＭＳメッセージリスト２、およびＳＭＳメッセージリスト１の台形のモーフィングが表示され始め、ＳＭＳメッセージリスト３からＳＭＳメッセージリスト２へ、次いで、ＳＭＳメッセージリスト１への減少するズームアウトが生じる。加えて、図１０（ｃ）に示されるように、ユーザの指を使用することによって実施される下方スライディングの距離が長くなるにつれて、より大きな台形変更およびより小さなサイズのＳＭＳメッセージリスト３、ＳＭＳメッセージリスト２、およびＳＭＳメッセージリスト１が表示され、ＳＭＳメッセージリスト１は三角形にすら変更される。ユーザが指を解放した後で、ＳＭＳメッセージリスト３、ＳＭＳメッセージリスト２、ＳＭＳメッセージリスト１のサイズは、図１０（ａ）に示された初期状態（すなわち、モーフィングされていない状態）に復元される。その復元処理の動画は、漸新的な復元を表示する様式、またはジャンピング復元を表示する様式であり得る。加えて、これらの実施形態では、図９（ａ）から図９（ｃ）に示されたエリア５００を表示する様式がさらに参照され得る。簡潔にするために、詳細は、再度説明されず、参照によって本明細書に組み込まれる。
【０１３１】
図１１（ａ）から図１１（ｆ）は、いくつかの実施形態による、サムネイルが平行移動されるときに生じる形式変更の例示的概略図である。いくつかの実施形態では、ギャラリーのサムネイルがページ内に提示される一例が使用され、詳細な説明を提供する。図１１（ａ）に示されるように、初期状態で、同じタイプのサムネイルのサイズは、基本的に同じであり得る。ユーザの指がタッチ表示上を上方または下方にスライドするとき、スライド動作に従って、ページ内のサムネイルがページ内に平行移動様式で表示される。
【０１３２】
いくつかの実施形態では、図１１（ｂ）に示されるように、ユーザの指がタッチ表示上で下方にスライドし、ページが下方に平行移動され、ページの上部境界に達したとき、ユーザがタッチ表示上で下方にスライドすることが依然として検出される場合、ユーザがスライド動作を継続するにつれて、ページ内の第１の行、第２の行、および第３の行内でサムネイルをズームアウトする動画が提示される。すなわち、ページの上部境界に達したとき、第３の行、第２の行、および第１の行内のサムネイルのズームアウトの処理が表示され始め、第３の行から第２の行へ、次いで、第１の行へのサムネイル内の減少するズームアウトが生じる。次いで、図１１（ｃ）に示されるように、ユーザの指を使用することによって実施される下方スライディングの距離が長くなるにつれて、第３の行、第２の行、および第１の行内により小さいサムネイル（等しい比率でズームアウトされる）が表示される。ユーザが指を解放した後で、第１の行、第２の行、および第３の行内のサムネイルは図１１（ａ）に示される初期状態のサイズで復元される。その復元処理の動画は、漸新的な復元を表現する様式、または即時復元を表示する様式であり得る。
【０１３３】
いくつかの実施形態では、図１１（ｅ）に示されるように、ユーザの指がタッチ表示上で下方にスライドし、ページが下方に平行移動され、ページの上部境界に達したとき、ユーザがタッチ表示上で下方にスライドしていることが依然として検出される場合、ユーザがスライド動作を継続するにつれて、ページ内の第１の行、第２の行、および第３の行内でサムネイルの透過性のトゥイーン動画が提示される。すなわち、ページの上部境界に達したとき、第３の行、第２の行、および第１の行内のサムネイルの透過性の漸進的変更が表示され始め、サムネイルの透過性は、第３の行から第２の行へ、次いで、第１の行へ漸進的に高まる。加えて、ユーザの指を使用することによって実施される下方スライディングの距離が長くなるにつれて、第３の行、第２の行、および第１の行内のサムネイルの透過性は等しい比率で高まる。
【０１３４】
いくつかの実施形態では、第１の行、第２の行、および第３の行内のサムネイルのズームアウト比率は、以下の式に従うことがある。
【０１３５】
ＩｔｅｍＮ＝Ｓ＋（Ｎ−１）×Ｄ）、式中、Ｓは、ズームアウト比率であり、Ｄは、サムネイルのすべての行同士の間の減少比率であり、ＩｔｅｍＮは、サムネイルの第Ｎ番目の行のズームアウト比率を表す。ズームアウト比率Ｓは、ユーザのスライディング距離の変更とともに変化し得る。ユーザのスライディング距離が長くなるとき、ズームアウト比率はより小さい。
【０１３６】
いくつかの実施形態では、ページ全体を下方に継続的に移動させることがさらに表示されることがあり、ページ境界を超えるエリアが表示されることがある。表示様式に関しては、図９（ａ）から図９（ｃ）に示される実施形態を参照されたく、詳細については再度説明されない。ユーザが指を解放した後で、第１の行、第２の行、および第３の行内のサムネイルは、モーフィングが実施されない初期状態のサイズに復元される。その復元処理の動画は、漸新的な復元を表示する様式、または即時復元を表示する様式であり得る。図１１（ｂ）を参照すると、図１１（ｄ）は、特定のシナリオのいくつかの実施形態における、ページ境界に達し、ユーザの指がタッチ表示上でスライディングタッチ活動を実施していることが依然として検出されるときの、ユーザインターフェース内のサムネイルの変更形式の概略図である。
【０１３７】
加えて、これらの実施形態では、図９（ａ）から図９（ｃ）に示されたエリア５００を表示する様式がさらに参照され得る。簡潔にするために、詳細は、再度説明されず、参照によって本明細書に組み込まれる。図１１（ｅ）は、特定のシナリオのいくつかの実施形態における、ページ境界に達し、ユーザの指がタッチ表示上でスライディングタッチ活動を実施していることが依然として検出されるときの、ページを超えるエリア、およびユーザインターフェース内のサムネイルの変更形式の概略図である。
【０１３８】
図１１（ｆ）に示されるように、特定のシナリオのいくつかの実施形態では、ページが第１の方向に移動されたときにページ境界に達し、動作活動が依然として検出される場合、ページ内の境界に隣接している少なくとも１つのグラフの透過性の漸進的な変更が表示され、変更形式を表示し、ユーザによって容易に認知される様式で、ページの境界に達したことを通知する。
【０１３９】
いくつかの実施形態では、グラフの色変更、たとえば、マルチカラーグラフからグレイグラフへの漸進的な変更（図示せず）を使用することによって変更形式を表示する様式で、ユーザによって容易に認知される様式でページの境界を通知する目的が達成されることもある。
【０１４０】
図１２（ａ）および図１２（ｂ）は、いくつかの実施形態による、アイコンが平行移動されるときに生じる形式変更の例示的概略図である。いくつかの実施形態では、デスクトップ上のアプリケーションアイコンがページ内に提示される一例が使用され、詳細な説明を提供する。デスクトップは、複数のスクリーンを有することがあり、各スクリーンは、１つまたは複数のアプリケーションアイコンを有する。図１２（ａ）に示されるように、初期状態で、デスクトップ上のアプリケーションアイコンのサイズは、基本的に同じであり得る。ユーザの指がタッチ表示上を左方向および右方向にスライドするとき、ページは、スライド動作に従って左方向または右方向に移動され、ページが特定の範囲に移動された後で、別のスクリーンに切り替えられる。いくつかの実施形態では、図１２ｂに示されるように、ユーザの指がタッチ表示上で左方向にスライドし、ページがデスクトップの最右スクリーンに達したとき、指がタッチ表示上に右方向にスライドしていることが依然として検出される場合、最後のスクリーン上で右境界に隣接しているいくつかの列内のアプリケーションアイコンをズームアウトする動画が表示される。すなわち、デスクトップの最右スクリーン上で、ユーザの指がタッチ表示上で左方向にスライドするとき、右境界に隣接しているいくつかの列内に表示されたアプリケーションアイコンは、右境界を指示する方向に減少してズームアウトされ、ユーザの指が左方向に継続的にスライドするにつれて、いくつかの列内に表示されたアプリケーションアイコンは比例的に小さくなる。いくつかの実施形態では、図１２（ｃ）に示されるように、ページ全体を左方向に継続的に移動させることがさらに表示されることがあり、ページ境界を超えるエリアが表示される。ユーザが指を解放した後で、列内にあり、比例的にズームアウトされるアプリケーションアイコンは、図１２（ａ）に示されている初期状態のサイズに復元され、その場合、モーフィングは実施されない。
【０１４１】
図１３（ａ）から図１３（ｃ）は、いくつかの実施形態による、サムネイルが平行移動されるときに生じる形式変更の例示的概略図である。いくつかの実施形態では、図１３（ａ）に示されるように、複数の形状およびサイズのサムネイルがユーザインターフェース内に表示され得る。ユーザの指がタッチ表示上で下方にスライドし、ページが下方に平行移動され、ページの上部境界に達したとき、ユーザがタッチ表示上で下方にスライドしていることが依然として検出される場合、ユーザがスライド動作を継続するにつれて、ページ内のサムネイル１、サムネイル２、およびサムネイル３をズームアウトする動画が提示される。すなわち、ページの上部境界に達したとき、サムネイル１、サムネイル２、およびサムネイル３をズームアウトする処理が表示され始める。いくつかの実施形態では、サムネイル１、サムネイル２、およびサムネイル３のズームアウト比率は、以下の式に従うことがある。ＩｔｅｍＮ＝（Ｓ＋（Ｎ−１）×Ｄ）であり、式中、Ｓは、ズームアウト比率であり、Ｄは、すべてのサムネイル同士の間の減少比率であり、ＩｔｅｍＮは、サムネイルＮのズームアウト比率を表す。ズームアウト比率Ｓは、ユーザのスライディング距離の変更とともに変化し得る。ユーザのスライディング距離が長くなるとき、ズームアウト比率はより小さい。すなわち、図１３（ｂ）から図１３（ｃ）までの変更処理が表示される。図１３ｂを参照すると、図１３（ｄ）は、特定のシナリオのいくつかの実施形態において、ページ境界に達し、ユーザの指がタッチ表示上でスライディングタッチ活動を実施していることが依然として検出されるときの、ユーザインターフェース内のサムネイルの変更形式の概略図である。
【０１４２】
図１４（ａ）から図１４（ｃ）は、特定のシナリオのいくつかの実施形態による、サムネイルが左方向に平行移動されるときに生じる形式変更の例示的概略図である。図１４（ａ）に示されるように、ユーザの指がタッチ表示上で左方向にスライドし、ページが左方向に平行移動され、ページの右境界に達したとき、ユーザがタッチ表示上で左方向にスライドしていることが依然として検出される場合、ユーザがスライド動作を継続するにつれて、図８（ａ）および図８（ｂ）に示されたのと同様に、ページ内のサムネイルをズームアウトする動画が表示される。図１４（ｂ）に示されるように、対応して、図９（ａ）および図９（ｂ）に示されたのと同様に、ページを超えるエリア５００およびページ内のサムネイルをズームアウトする動画が表示される。図１４（ｃ）に示されるように、図１１（ｆ）に示されたのと同様に、ページ内のサムネイルの透過性のトゥイーン動画が表示される。詳細についてはここで再度説明されない。
【０１４３】
図１５（ａ）から図１５（ｃ）は、いくつかの実施形態による、サムネイルが平行移動されるときに生じる形式変更の例示的概略図である。図１５（ａ）に示されるように、初期状態で、サムネイルのサイズは異なり得る。ユーザの指がタッチ表示上で左方向にスライドし、ページが下方に平行移動され、ページの右境界に達したとき、ユーザがタッチ表示上で下方にスライドしていることが依然として検出される場合、ユーザがスライド動作を継続するにつれて、図１５（ｂ）に示されるように、ページ内のサムネイル２およびサムネイルＮの境界のモーフィングが表示され、境界は長方形境界からアーク形状の境界に漸進的に変更される。左方向スライディングの距離が長くなるにつれて、図１５（ｂ）から図１５（ｃ）にアーク形状のモーフィングがより明らかになる。ユーザが指を解放した後で、サムネイルは、図１５（ａ）に示されている初期状態のサイズに復元され、その場合、モーフィングは実施されない。その復元処理の動画は、漸新的な復元を表示する様式、またはジャンピング復元を表示する様式であり得る。
【０１４４】
図１５（ｄ）から図１５（ｆ）は、いくつかの実施形態による、文字が平行移動されるときに生じる形式変更の例示的概略図である。たとえば、ページは文字ウェブページであり得る。図１５（ｄ）に示されるように、初期状態で、ページ内の文字のサイズは異なり得る。ユーザの指がタッチ表示上で上方にスライドし、ページが上方に平行移動され、ページの下部境界に達したとき、ユーザがタッチ表示上で上方にスライドしていることが依然として検出される場合、ユーザがスライド動作を継続するにつれて、図１５（ｅ）に示されるように、ページの下部において文字の最後の行（ＡＡＡＡ．．．など）のモーフィングが表示され、フォントサイズは漸進的に小さくなる。上方スライディングの距離が長くなるにつれて、図１５（ｅ）から図１５（ｆ）に、フォントサイズを低減させるモーフィングがより明らかになる。ユーザが指を解放した後で、文字は、図１５（ｄ）に示されている初期状態のサイズに復元され、その場合、モーフィングは実施されない。その復元処理の動画は、漸新的な復元を表示する様式、またはジャンピング復元を表示する様式であり得る。
【０１４５】
いくつかの実施形態では、この方法はステップＳ１０５およびＳ１０６をさらに含む。ステップＳ１０５で、動作活動がもはや検出されないという事実に応答して、表示されたページは、ダンピング移動に続いて宣言様式で第１の方向に継続的に移動される。ステップＳ１０４で、移動速度がゼロに低減されないという事実、およびページが第１の方向に移動されたときにページ境界に達したことに応答して、ページ内の境界に隣接している少なくとも１つのグラフの変更形式が表示され、ここで、グラフの変更形式は初期形式とは異なる。
【０１４６】
ユーザの指がタッチ表示２００を離れたとき、タッチ表示２００上にモバイル端末１００によって表示されるページは、即時に停止されないが、ページが停止されるまで、慣性様式で継続的に移動され、（移動速度が徐々に減少される）ダンピング移動様式で宣言する。移動速度がゼロに低減されないとき、モバイル端末１００が、ページのページ境界に達したことを検出した場合、ページ内の境界に隣接している少なくとも１つのグラフの変更形式が表示され始める。
【０１４７】
いくつかの実施形態では、ページの境界に達したことを検出するとき、モバイル端末１００は、境界に達したときに使用されたページの移動速度および慣性加速度に従って、境界に隣接している少なくとも１つのグラフの変更形式のトゥイーン動画の持続時間および変更レートを判定し、境界に隣接している少なくとも１つのグラフの初期形式を復元して表示する。
【０１４８】
図１６は、いくつかの実施形態による、モバイル端末内で走るように構成されることが可能なモジュールの概略図である。モジュールは、入力ユニット１３０と、ページ動作プロンプトエンジン６１０と、オブジェクト制御６２０と、制御インターフェースフレームワーク６３０とを含む。
【０１４９】
いくつかの実施形態では、入力ユニット１３０は、人間とコンピュータの対話のための入力デバイスであり、ユーザの動作活動の入力を取得する。入力ユニット１３０のコンテンツに関しては、図１に示された実施形態における説明を参照されたい。詳細は再度説明されず、参照によって本明細書に組み込まれる。
【０１５０】
ページ動作プロンプトエンジン６１０は、イベント処理ユニット６１１と、動画アルゴリズムユニット６１２と、グラフレンダリングユニット６１３と、イベントコールバック機構ユニット６１４とを含む。イベント処理ユニット６１１は、入力ユニット１３０によって取得された動作活動のイベントをスライディング変位情報（変位距離、レート、方向などを含む）に転換し、フィルタリングおよび平滑化処理を実施する。したがって、スライディングは滑らかで、異なるオペレーティングシステム内で識別可能に表示され、その結果、ユーザ体験は良好である。動画アルゴリズムユニット６１２は、ページ項目のスライディング変位、レート、方向、および高さ情報を含むスライディング変位情報を受信し、ページに関して区分的計算を実施して、実際の物理ページの移動と同様である継続的かつ平滑な移動の影響を達成する。動画アルゴリズムユニット６１２は、スライディング変位情報に従って、ページのロケーション情報を計算し、モーフィングアルゴリズムに従って、表示装置上に表示されたページ内のグラフのズーム情報を計算する。グラフレンダリングユニット６１３は、ページのロケーション情報およびグラフのズーム情報、すなわち、レンダリングアルゴリズムに従って、グラフ影響描写を実行し、描写データを生成し、次いで、制御インターフェースフレームワークを呼び出すことによって、描写データを特定の表示装置に適応して、描写データを表示装置上に表示する。グラフレンダリングユニット６１３は、グラフ信号を処理するための比較的独立した並列処理ユニットであり、独立したスレッドを使用することによって描写を実施して、オペレーティングシステムのネイティブ機能の性能に影響を及ぼすことを回避し、電力消費を低減する。イベントコールバック機構ユニット６１４は、プロセッサ１８０によってフィードバックされた、レンダリングおよびアルゴリズム処理に関する情報を取得し、動画とジェスチャとの間の協調を実装し、ページのロケーション情報およびスライディング変位情報に従って、ページが移動されたときにページ境界に達したかどうかを判定し、モーフィングアルゴリズムおよびレンダリングアルゴリズムを判定して正確な変更形式を生成するように構成される。
【０１５１】
オブジェクト制御６２０は、ページスライディングをサポートするいずれかの制御であり得、オブジェクト制御のアルゴリズムは自動的に適応される。グラフを用いてアルゴリズムに従って抽象化されたページオブジェクトが設定される。ページが境界にスクロールするとき、ページの現在の状態がページから取得される。イベント処理ユニット６１１からの変位情報に従って、手の進捗状況に関する時間または動画モーフィングデータが出力され、グラフレンダリングユニット６１３を使用することによって特定のハードウェアに適応されて、表示システムを動作させる。
【０１５２】
制御インターフェースフレームワーク６３０は、ユーザと対話するように構成された一連のインターフェースと、リフレッシュのためにページ動作プロンプト動画エンジンを呼び出すように構成された一連のインターフェースとを含む。
【０１５３】
１つの実装処理では、イベント処理ユニット６１１は、時間データ、センサーデータ、および検出されるタッチ動作のすべてを、０から１であり、スライディング変位情報を表す進捗値に転換し、次いで、進捗値をプロセッサ１８０に配信する。イベントコールバック機構ユニット６１４は、プロセッサ１８０によってフィードバックされ、レンダリングおよびアルゴリズム処理に関する情報を取得し、その情報をグラフ動画アルゴリズムユニット６１２に配信して動画計算を実施し、その情報をレンダリングユニット６１３に配信してグラフを再度描写する。制御インターフェースフレームワーク６３０は、再度描写されたグラフのデータを表示し、データはオブジェクト制御６２０に送信される。オブジェクト制御６２０は、グラフのページスライディングおよび変更形式を表示する。
【０１５４】
いくつかの実施形態で提供されるシナリオでは、ユーザがページをスライドするとき、入力ユニット１３０は、スライディングイベント（タッチ表示上のスライディングであり得るか、またはジェスチャ認識を使用することによって検出されるユーザの手のひらを振り動かして次のページのビューに切り替えることであり得る）の入力を判定する。
【０１５５】
イベント処理ユニット６１１は、変位情報キューを取得し、開始点から、ユーザによって実施された変位の距離を計算し、次いで、イベントコールバック機構ユニット６１４を使用することによって、ページ境界に達したかどうかを判定する。
【０１５６】
次いで、動画アルゴリズムユニット６１２は、現在のページ内のグラフ（項目）のズーム情報を計算する。式の一例は次の通りである。
【０１５７】
ｉｔｅｍＩｎｄｅｘ＜Ｔｈｒｅａｄｓｈｏｌｄであるとき、Ｓｃａｌｅ（ｉ）＝ｉｔｅｍＩｎｄｅｘ×ｓｃａｌｅＦａｃｔｏｒ×ｉｔｅｍＨｅｉｇｈｔＦａｃｔｏｒである。
【０１５８】
ｉｔｅｍＩｎｄｅｘは、現在のグラフの対応するページ境界からのランキングの後に取得されたロケーションシーケンス番号を表す。たとえば、ページが下方にスライドされ、ページの上部境界に達したとき、上部におけるシーケンス番号は、０であり、下方向では、シーケンス番号は１、２、３．．．である。ページが情報にスライドし、ページの下部境界に達したとき、下部のシーケンス番号は、０であり、上方向では、シーケンス番号は１、２、３．．．である。
【０１５９】
ＳｃａｌｅＦａｃｔｏｒはズーム比率を表す。ｂａｓｅＦａｃｔｏｒは、グラフの初期形式のズーム比率（通常、１に設定される）を表す。Ｎは、隣接しているシーケンス番号に関するズーム比率差である。ＳｃａｌｅＦａｃｔｏｒ＝ｂａｓｅＦａｃｔｏｒ−ｉｔｅｍＩｎｄｅｘ×Ｎである。動画影響は、固定された開始ズーム比率および各低減比率を調整することによって調整され得る。
【０１６０】
ｉｔｅｍＨｅｉｇｈｔＦａｃｔｏｒは、グラフの高さに関するパラメータを表し、グラフの高さが考慮されないときに生じる不連続性を表すことがあり、高さに直接比例する値であり得る。必要とされる最終的な影響に従って、固定比率が具体的に設定される。
【０１６１】
Ｔｈｒｅｓｈｏｌｄは、ページ境界から特定のグラフをランキングした後に取得されたエンドランクを表す。これは影響性能に対する最適化である。たとえば、Ｔｈｒｅｓｈｏｌｄが３に設定されている場合、ページ境界から開始して第３のグラフまでのグラフ（または、第３の行におけるグラフ、or graphs at a third row）のみがズームされて、物理的ロールバック全体の視覚的影響を達成する必要がある。
【０１６２】
アルゴリズム結果Ｓｃａｌｅ（ｉ）は、グラフレンダリングシステム内に独立したスレッドを作成して、グラフ影響描写を実施することによって取得される。アルゴリズムは、以下の疑似コードの形式であり得る。
Ｔｈｒｅａｄ｛
ｌｏｃｋ（ｓｕｒｆａｃｅ）
ｃａｎｖａｓ．ｓｅｔｓｃａｌｅ（ｉ）
ｒｅｌｅａｓｅ（ｓｕｒｆａｃｅ）
｝ｓｔａｒｔ
【０１６３】
イベントは、時間様式でさらに入力され得るか、またはセンサーデータ様式で入力され得る。時間データ様式では、イベントは定期的に実行される。センサーデータ様式では、センサーがデータを感知し、センサーデータが時間条件を満たすときにイベントが実行される。
【０１６４】
図１７は、いくつかの実施形態による、装置７０の概略構造図である。装置７０は、検出モジュール７０１と、移動表示ジュール７０２と、モーフィング表示モジュール７０３とを含む。
【０１６５】
装置は、表示装置を備えたモバイル端末内に配置されることがあり、装置は、ハードウェア、ソフトウェア、またはハードウェアとソフトウェアとを組み合わせた装置であり得る。
【０１６６】
いくつかの実施形態では、ページが第１の方向に移動され、動作活動が依然として検出されるときにページ境界に達することに応答して、装置７０は、第１のグラフの変更形式を表示する。詳細には、検出モジュール７０１は、ユーザの動作活動を検出する。動作活動が検出されることに応答して、移動表示モジュール７０２は、ページを表示装置上に第１の方向に移動可能に表示し、ここで、ページは１つまたは複数のグラフを含み、１つまたは複数のグラフは、表示装置上にグラフの初期形式で表示される。ページが第１の方向に移動され、動作活動が依然として検出されるときにページ境界に達することに応答して、モーフィング表示モジュール７０３は、第１のグラフの変更形式を表示し、ここで、第１のグラフは、表示装置上に表示された１つまたは複数のグラフ内にありページ境界に隣接しているグラフであり、第１のグラフの変更形式は第１のグラフの初期形式とは異なる。
【０１６７】
いくつかの実施形態では、モーフィング表示モジュール７０３は、第１の表示サブユニットを含む。動作活動が継続的に実施されていることを検出することに応答して、第１の表示サブユニットは、第１のグラフのものであり、動的に変化する変更形式を表示し、プリセット範囲内の動作活動のより大きな活動範囲は、第１のグラフの初期形式から第１のグラフの変更形式へのより大きな形式変更をもたらす。加えて、動作活動の活動範囲がプリセット範囲を超えることを検出することに応答して、第１の表示サブユニットは、第１のグラフの静的変更形式を表示する。
【０１６８】
いくつかの実施形態では、モーフィング表示モジュール７０３は、第２の表示サブユニットを含む。動作活動が継続的に実施されていることを検出することに応答して、第２の表示サブユニットは、第１のグラフのものであり、動的に変化する変更形式を表示し、動作活動のより大きな活動範囲は、第１のグラフの初期形式から第１のグラフの変更形式へのより大きな形式変更をもたらす。
【０１６９】
いくつかの実施形態では、装置７０は、復元表示モジュールをさらに含む。復元表示モジュールは、第１のグラフの初期形式が表示されるまで、第１のグラフの変更形式から第１のグラフの初期形式に第１のグラフを漸進的に復元することのトゥイーン動画を表示する。
【０１７０】
いくつかの実施形態では、装置７０は、ページが第１の方向に移動され、動作活動が依然として検出されるときにページ境界に達することに応答して、ページを継続的に移動させ、ページ境界を超えるエリアを表示することであって、エリアがページとは異なる、表示することと、動作入力がもはや検出されないという事実に応答して、エリアがもはや表示されなくなるまで、ページを第１の方向とは反対の第２の方向に移動させることを行うように構成された、エリア表示モジュールをさらに含む。
【０１７１】
いくつかの実施形態では、ページが第１の方向に移動され、動作活動が依然として検出されるときにページ境界に達することに応答して、装置７０は、ページ境界に隣接している少なくとも２つのグラフの変更形式を表示し、変更形式は、第１のグラフの変更形式および第２のグラフの変更形式を含む。
【０１７２】
詳細には、検出モジュール７０１は、ユーザの動作活動を検出する。動作活動が検出されることに応答して、移動表示モジュール７０２は、ページを表示装置上に第１の方向に移動可能に表示し、ここで、ページは１つまたは複数のグラフを含み、１つまたは複数のグラフは、表示装置上にグラフの初期形式で表示される。ページが第１の方向に移動され、動作活動が依然として検出されるときにページ境界に達することに応答して、モーフィング表示モジュール７０３は、第１のグラフの変更形式および第２のグラフの変更形式を表示し、ここで、第１のグラフおよび第２のグラフは、表示装置上に表示された１つまたは複数のグラフ内にありページ境界に隣接しているグラフであり、第１のグラフの変更形式は第１のグラフの初期形式とは異なり、第２のグラフの変更形式は第２のグラフの初期形式とは異なる。
【０１７３】
いくつかの実施形態では、モーフィング表示装置７０３は、第１のグラフの変更形式および第２のグラフの変更形式を表示し、ここで、第２のグラフの表示された変更形式と第２のグラフの初期形式との間の差は、第１のグラフの表示された変更形式と第１のグラフの初期形式との間の差よりも大きい。
【０１７４】
いくつかの実施形態では、動作活動がもはや検出されないことに応答して、装置７０は、ページを、ダンピング移動に続いて宣言様式で第１の方向に継続的に移動させる。加えて、ページの移動速度がゼロに低減されていないことを検出し、ページが第１の方向に移動されたときにページ境界に達したことに応答して、装置７０は、第１のグラフの変更形式を表示する。
【０１７５】
詳細には、検出モジュール７０１は、ユーザの動作活動を検出する。動作活動が検出されることに応答して、移動表示モジュール７０２は、ページを表示装置上に第１の方向に移動可能に表示し、ここで、ページは１つまたは複数のグラフを含み、１つまたは複数のグラフは、表示装置上にグラフの初期形式で表示される。動作活動がもはや検出されていないという事実に応答して、移動表示モジュール７０２は、ページを、ダンピング移動に続いて宣言様式で第１の方向に継続的に移動させる。ページの移動速度がゼロに低減されていないという事実が検出され、ページが第１の方向に移動されたときにページ境界に達したことに応答して、モーフィング表示モジュール７０３は、第１のグラフの変更形式を表示し、ここで、第１のグラフは、表示装置上に表示された１つまたは複数のグラフ内にありページ境界に隣接しているグラフであり、第１のグラフの変更形式は第１のグラフの初期形式とは異なる。
【０１７６】
いくつかの他の実施形態では、装置７０は、ページが第１の方向に移動されたときにページ境界に達したことが検出されることに応答して、ページを宣言様式で継続的に移動させ、ページ境界を超えるエリアを表示することであって、エリアがページとは異なる、表示することを行うように構成された、エリア表示モジュールと、ページの移動速度がゼロに低減されたことを検出することに応答して、エリアがもはや表示されなくなるまで、ページを第１の方向とは反対の第２の方向に移動させるように構成された、リザイリング表示モジュールと、エリアがもはや表示されないとき、第１のグラフの初期形式を表示するように構成された、復元表示モジュールとをさらに含む。
【０１７７】
検出モジュール７０１、移動表示モジュール７０２、モーフィング表示モジュール７０３、およびこれらの実施形態内のモジュール内に含まれるすべての表示サブユニットによって実施されるコンテンツに関しては、前述の実施形態の方法、および図１から図１６内で説明されたコンテンツを参照されたく、詳細については再度説明されない。
【０１７８】
最後に、前述の実施形態は、本発明の技術的解決策を説明するために意図されているにすぎず、本発明を限定するためではない。本発明が前述の実施形態を参照して詳細に説明されたが、当業者は、依然として、本発明の実施形態の技術的解決策の趣旨および範囲から逸脱することなく、前述の実施形態において説明された技術的解決策に変更を加えるか、またはそれらの一部の技術的特徴に均等の交換を行い得ることを理解されたい。
【国際調査報告】
2019537118.tif 000064
2019537118.tif 000065
2019537118.tif 000066
2019537118.tif 000067